(57)【要約】      （修正有）【課題】傘立てがないと傘を立たせておくことや、壁などに吸着して収納できないという不都合を解決できる傘と傘保持具を提供する。【解決手段】傘２９１の手元２９２の一部に、側面２９３に平らな磁石部２９４を備え、手元２９２と付け外し自在で、傘２９１の手元２９２から取り外して、傘２９１の石突き２９６に挿着することで傘立てとしても使用できるフック部２９５を手元２９２の一部に設け、フック部２９５の一部に傘２９１の石突き２９６を挿着し保持するための、挿着保持部２９７を設け、さらに傘２９１の石突き２９６の一部に磁石と吸着する素材を設ける。さらにフック部２９５と接続する手元２９２の一部に凹凸部を設け、手元２９２と接続する側のフック部２９５の一部にも手元２９２の凹凸部と係合する凹凸部を設ける。【選択図】図４７
2018042763.tif 000002
【特許請求の範囲】
【請求項１】
傘の手元の一部に吸着部を備えた、吸着板
を設けたことを特徴とする吸着式の傘
【請求項２】
傘の手元の一部に吸着部を備えた回動自在な吸着板を設けたことを特徴とする吸着式の傘
【請求項３】
傘の手元の一部に吸着部を備えたフタを設けたことを特徴とする吸着式の傘
【請求項４】
傘の手元の一部に吸着部を備え前記手元の一部と繋がったまま脱着自在なフタを
設けたことを特徴とする吸着式の傘
【請求項５】
傘の手元の一部に、前記手元に収納自在で前記手元からスライドにより、吸着部
が外側へ迫り出す、前記吸着部を備えた手元を設けたことを特徴とする吸着式の傘
【請求項６】
傘の手元の一部に、吸着部を備えた回動自在な手元を設け、前記回動自在な手元を
回動させて、前記吸着部を外側に向け、磁力により吸着できる素材で作られた壁などに
外側に向けた前記回動自在な手元の吸着部を吸着させることで前記吸着部のみの
吸着力で前記傘を地面から浮かせた状態で前記壁などに吸着保持できることを特徴と
する吸着式の傘
【請求項７】
傘の手元の一部に吸着部を設け傘の
シャフトの一部に曲がった部分を設けたことを特徴とする吸着式の傘
【請求項８】
傘の手元の一部に吸着部を設け前記傘のシャフトの一部に曲がった部分を設け
前記シャフトの曲がった部分により傘を閉じて布の部分を紐で締めた時に
前記傘の布の部分より、前記手元の一部と前記手元の吸着部が外側にくることを
特徴とする吸着式の傘
【請求項９】
傘の手元の一部に曲がった部分を設け
さらに前記手元の一部に吸着部を設けたことを特徴とする吸着式の傘
【請求項１０】
傘の手元の一部に曲がった部分を設けさらに前記手元の一部に吸着部を設ける
前記手元の曲がった部分により前記傘を閉じて布の部分を紐で締めた時に
前記傘の布の部分よりも前記手元の一部と前記手元に設けた吸着部が
外側にくることを特徴とする吸着式の傘
【請求項１１】
傘のシャフトの一部に吸着部を備えた吸着板を設けたことを特徴とする吸着式の傘
【請求項１２】
傘のシャフトの一部に吸着部を備えた回動自在な吸着部を設けたことを特徴とする
吸着式の傘
【請求項１３】
傘の手元の一部に吸着部と吸盤を備えたフタを設けたことを特徴とする吸着式の傘
【請求項１４】
傘の手元の一部に前記手元と一部が繋がったまま、前記手元から
付け外し自在な吸着部を設けたことを特徴とする吸着式の傘
【請求項１５】
傘の手元のフック部の側面に平らな吸着部を設けたことを特徴とする吸着式の傘
【請求項１６】
請求項１から請求項１５に記載のいずれかの吸着式の傘において
傘の手元の一部に設けた吸着部を磁石としたことを特徴とする吸着式の傘
【請求項１７】
請求項１から請求項１６に記載のいずれかの吸着式の傘において
傘の手元の一部に設けた吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できることを特徴とする吸着式の傘
【請求項１８】
傘のシャフト又は手元に挟んで装着し、壁などに吸着させることで
傘を吸着保持させる傘吸着具に
磁力の力で吸着する吸着部を傘吸着具の一部に設け、さらに傘吸着具の一部に
バネ及びバネに連動して動く挟持部を設けたことを特徴とする傘吸着具
【請求項１９】
請求項１８に記載の傘吸着具において
挟持部の一部が交差して挟持できることを特徴とする傘吸着具
【請求項２０】
傘の手元又はシャフトに挟んで装着し壁などに吸着させることで
傘を吸着保持させる傘吸着具に
磁力の力で吸着する回動自在な吸着部を傘吸着具の一部に設け、さらに傘吸着具の一部に
バネ及びバネに連動して動く挟持部を設けたことを特徴とする傘吸着具
【請求項２１】
傘の手元又はシャフトに固着して装着し、壁などに吸着させることで傘
を吸着保持させる傘吸着具に磁力の力で吸着する吸着部を傘吸着具の一部に設け
さらに傘吸着具の一部に巻きつけて固着する固着部を設けたことを特徴とする傘吸着具
【請求項２２】
傘の手元又はシャフトに固着して装着し、壁などに吸着させることで傘
を吸着保持させる傘吸着具に磁力の力で吸着する吸着部を傘吸着具の一部に設け
さらに傘吸着具の一部に挟んで固着するための固着部を設けたことを特徴とする傘吸着具
【請求項２３】
請求項１８から請求項２２に記載のいずれかの傘吸着具において
傘吸着具の一部に設けた吸着部を磁石としたことを特徴とする傘吸着具
【請求項２４】
請求項１８から請求項２３に記載のいずれかの傘吸着具において
傘吸着具の一部に設けた吸着部を
磁力により吸着が可能な素材でできた壁や物の壁面に吸着させる
ことで、前記吸着部のみの吸着力で、前記傘吸着具に装着した傘を地面から浮かせた状態で
前記壁や物の壁面などに吸着保持できることを特徴とする傘吸着具
【請求項２５】
傘の収納ケースの一部に吸着部を設けたことを特徴とする吸着式の傘ケース
【請求項２６】
請求項２５に記載の吸着式の傘ケースにおいて
吸着式の傘ケースの一部に設けた吸着部を磁石としたことを特徴とする吸着式の傘ケース
【請求項２７】
傘の収納ケースの一部に吸着部を設け
磁力により吸着が可能な素材でできた壁や物の壁面に前記吸着部を吸着させる
ことで、前記吸着部のみの吸着力で、前記傘を地面から浮かせた状態で
前記壁や物の壁面などに吸着保持できることを特徴とする吸着式の傘ケース
【請求項２８】
傘袋の一部に吸着部を設けたことを特徴とする吸着式の傘袋
【請求項２９】
請求項２８に記載の吸着式の傘袋において
吸着式の傘袋の一部に設けた吸着部を磁石としたことを特徴とする吸着式の傘袋
【請求項３０】
請求項２８から請求項２９に記載のいずれかの傘袋において
傘の袋の一部に設けた吸着部を、付け外し自在な吸着部にしたことを
特徴とする吸着式の傘袋
【請求項３１】
傘袋の一部に吸着部を設け
磁力により吸着が可能な素材でできた壁や物の壁面に前記吸着部を吸着させる
ことで、前記吸着部のみの吸着力で、前記傘を地面から浮かせた状態で
前記壁や物の壁面などに吸着保持できることを特徴とする吸着式の傘袋
【請求項３２】
傘の手元の一部の側面に吸着部を備え、前記手元と付け外し自在で
傘の手元から取り外して傘の石突きに装着することで
傘立てとしても使用できるフック部を前記手元の一部に設けたことを
特徴とする自立も可能な吸着式の傘
【請求項３３】
傘の手元の一部の側面に平らな吸着部を備え、前記手元と付け外し自在で
傘の手元から取り外して傘の石突きに装着することで
傘立てとしても使用できるフック部を前記手元の一部に設け
さらに前記フック部の一部に傘の石突きを装着し保持するための穴を設けたことを
特徴とする自立も可能な吸着式の傘
【請求項３４】
傘の手元の一部の側面に平らな吸着部を備え、前記手元と付け外し自在で
傘の手元から取り外して傘の石突きに装着することで
傘立てとしても使用できるフック部を前記手元の一部に設け
さらに、傘立てとして前記フック部を使用時に、傘立ての支脚の一部として
も使用できる回動自在な支脚部を前記フック部の一部に設けたこと
を特徴とする自立も可能な吸着式の傘
【請求項３５】
傘の手元の一部の側面に平らな吸着部を備え、前記手元と付け外し自在で
前記傘の手元から取り外して傘の石突きに装着することで
傘立てとしても使用できるフック部を前記手元の一部に設け
さらに、傘立てとして前記フック部を使用時に、傘立ての支脚の一部として
も使用できる回動自在な支脚部を前記フック部の一部に設け
さらに前記フック部の一部に傘の石突きを装着し保持するための穴を設けたことを
特徴とする自立も可能な吸着式の傘
【請求項３６】
傘の手元の一部に吸着部を備え、前記手元と付け外し自在で
前記傘の手元から取り外して、傘の石突きに装着することで
傘立てとしても使用できる手元を、前記手元の一部に設け
さらに傘立てとして前記手元を使用時に、傘立ての支脚としても使用できる
支脚部を、前記傘立てとしても使用できる手元の一部に設け
さらに傘立てにもなる前記手元の一部に、前記傘の石突きを
挿着し保持するための穴を設けたことを特徴とする自立も可能な吸着式の傘
【請求項３７】
請求項３２から請求項３６に記載のいずれかの自立も可能な吸着式の傘において
手元の一部にフック部と接続するための
接続部を設け、さらに前記フック部にも前記手元の接続部への接続と脱着が自在となる
接続部を設けたことを特徴とする自立も可能な吸着式の傘
【請求項３８】
請求項３２から請求項３６に記載のいずれかの自立も可能な吸着式の傘において
手元の一部にフック部と吸着して接続する吸着接続部を設け
さらに前記フック部にも前記手元の吸着接続部への吸着により脱着が
自在となる吸着接続部を前記フック部にも設けたことを特徴と自立も可能な吸着式の傘
【請求項３９】
請求項１から請求項１７に記載のいずれかの吸着式の傘において
吸着式の傘に、長傘と折り畳み傘を含むことを特徴とする吸着式の傘
【請求項４０】
請求項３２から請求項３８に記載のいずれかの自立も可能な吸着式の傘において
自立も可能な吸着式の傘に長傘と折りたたみ傘を含むことを特徴とする
自立も可能な吸着式の傘
【請求項４１】
請求項１から請求項１７及び請求項３９に記載のいずれかの吸着式の傘において
吸着式の傘の一部に設けた吸着部を磁石としたことを特徴とする吸着式の傘
【請求項４２】
請求項３２から請求項３８及び請求項４０に記載のいずれかの自立も可能な吸着式の傘
において
自立も可能な吸着式の傘の一部に設けた吸着部を磁石としたことを特徴とする
自立も可能な吸着式の傘
【請求項４３】
傘（１）の手元（３）の一部に磁石部（２）を備えた、吸着板（５）
を設けたことを特徴とする吸着式の傘
【請求項４４】
傘（１）の手元（３）の一部に磁石部（２）を備えた吸着板（５）を設け
磁力により吸着可能な素材でできた壁（４）などに前記吸着板（５）
の磁石部（２）を
吸着させることで前記磁石部（２）のみの吸着力で、前記傘（１）を地面から
浮かせた状態で、前記素材で作られた壁（４）などに吸着保持できることを
特徴とする吸着式の傘
【請求項４５】
傘（６）の手元（８）の一部に磁石部（７）を備えた回動自在な吸着板（９）を
設けたことを特徴とする吸着式の傘
【請求項４６】
傘（６）の手元（８）の一部に磁石部（７）を備えた回動自在な吸着板（９）を
設け磁力により吸着可能な素材でできた壁（１１）などに前記回動自在な吸着板（９）
の磁石部（７）を吸着させることで、前記磁石部（７）のみの吸着力で、前記傘（６）
を地面から浮かせた状態で、前記素材で作られた壁（１１）などに、吸着保持できることを
特徴とする吸着式の傘
【請求項４７】
傘（１５）の手元（１９）の一部に磁石部（２０）を備えたフタ（２２）を設けたことを
特徴とする吸着式の傘
【請求項４８】
傘（１５）の手元（１９）の一部に磁石部（２０）を備え前記手元（１９）の一部と
繋がったまま脱着自在なフタ（２２）を
設けたことを特徴とする吸着式の傘
【請求項４９】
傘（１５）の手元（１９）の一部に磁石部（２０）を備え前記手元（１９）の一部と
繋がったまま脱着自在なフタ（２２）を設け
さらに手元（１９）の一部に凹凸部（２３）を設け、フタ（２２）の一部に凹凸部
（２１）を設け
磁力により吸着可能な素材で作られた壁（６２）などに前記脱着自在なフタ（２２）の
磁石部（２０）を吸着させ
ることで、前記磁石部（２０）のみの吸着力で前記傘（１５）を地面から浮かせた状態で
前記素材で作られた壁（６２）などに吸着保持できることを特徴とする吸着式の傘
【請求項５０】
傘の手元の一部に磁石部を備え前記手元の一部と
繋がったまま脱着自在なフタを設け
さらに手元の一部に凹凸部を設け、さらにフタの一部にも、手元に設けた凹凸部と
係合する凹凸部を設け
磁力により吸着可能な素材で作られた壁などに前記脱着自在なフタの
磁石部を吸着させることで、前記傘の手元の一部に設けたフタの磁石部のみの吸着力で
前記傘（１５）を地面から浮かせた状態で
前記素材で作られた壁（６２）などに吸着保持できることを特徴とする吸着式の傘
【請求項５１】
傘（２６）の手元（２７）の一部に磁石部（３０）を備え前記手元（２７）の一部と
繋がったまま脱着自在なフタ（３１）を設け
さらに手元（２７）の一部にネジ部（２８）を設け、フタ（３１）の一部に
ネジ部（２９）を設け
磁力により吸着可能な素材で作られた壁（６３）などに前記脱着自在なフタ（３１）の
磁石部（３０）を吸着させ
ることで、前記磁石部（３０）のみの吸着力で前記傘（２６）を地面から浮かせた状態で
前記素材で作られた壁（６３）などに吸着保持でき
前記壁などに傘（２６）を吸着させない時はフタ（３１）を手元（２７）に回しはめる
ことで手元（２７）のネジ部（２８）とフタ（３１）のネジ部（２９）が係合し
フタ（３１）を手元（２７）に収納しておくことができ
ることを特徴とする吸着式の傘
【請求項５２】
傘の手元の一部に磁石部を備え前記手元の一部と
繋がったまま脱着自在なフタを設け
さらに手元の一部にネジ部を設け、さらに前記手元に設けたネジ部と装着可能な
ネジ部をフタの一部に設け
磁力により吸着可能な素材で作られた壁などに前記脱着自在なフタの磁石部を吸着させ
ることで、前記傘の手元の一部に設けたフタの磁石部のみの吸着力で前記傘を
地面から浮かせた状態で、前記素材で作られた壁などに吸着保持でき
前記壁などに前記傘を吸着させない時は前記傘の手元の一部に設けたフタを手元に
回しはめることで手元のネジ部とフタのネジ部が係合し
前記傘の手元に設けたフタを手元に収納しておくことができ
ることを特徴とする吸着式の傘
【請求項５３】
傘（３６）の手元（３７）の一部に磁石部（４３）を備え前記手元（３７）の一部と
繋がったまま脱着自在なフタ（４４）を設け
さらに手元（３７）の一部にフック（３９）を設け、手元（３７）のフック（３９）に
係合する溝（３８）をフタ（４４）の一部に設け
磁力により吸着可能な素材で作られた壁（６４）などに前記脱着自在なフタ（４４）の
磁石部（４３）を吸着させ
ることで、前記磁石部（４３）のみの吸着力で前記傘（３６）を地面から浮かせた状態で
前記素材で作られた壁（６４）などに吸着保持できることを特徴とする吸着式の傘
【請求項５４】
傘の手元の一部に磁石部を備え、前記手元の一部と
繋がったまま脱着自在なフタを設け
さらに手元の一部にフックを設け、手元のフックに
係合する溝をフタの一部に設け
磁力により吸着可能な素材で作られた壁などに前記脱着自在なフタの
磁石部を吸着させ
ることで、前記フタの磁石部のみの吸着力で前記傘を地面から浮かせた状態で
前記素材で作られた壁などに吸着保持できることを特徴とする吸着式の傘
【請求項５５】
傘（５４）の手元（５３）の一部に、前記手元（５３）に収納自在で前記手元（５３）から
スライドにより、
外側へ迫り出す、前記磁石部（５２）を備えた吸着側の手元（５１）を設けたことを
特徴とする吸着式の傘
【請求項５６】
傘（５４）の手元（５３）の一部に、前記手元（５３）に収納自在で前記手元（５３）から
スライドにより、
外側へ迫り出す、磁石部（５２）を備えた吸着側の手元（５１）を設け
磁力により吸着可能な素材でできた壁（６１）などに、前記手元（５３）から迫り出させた
吸着側の手元（５１）の前記磁石部（５２）を
吸着させることで、前記磁石部（５２）のみの吸着力で、前記傘（５４）を地面から
浮かせた状態
で前記素材で作られた壁（６１）などに、吸着保持できることを特徴とする吸着式の傘
【請求項５７】
傘（７１）の手元（７２）の一部に、磁石部（７６）を備えた回動自在な手元（７７）を
設け、前記回動自在な手元（７７）を
回動させて、前記磁石部（７６）を外側に向け、
磁力により吸着できる素材で作られた壁（８２）などに
外側に向けた前記回動自在な手元（７７）の磁石部（７６）を吸着させることで
前記磁石部（７６）のみの
吸着力で前記傘（７１）を地面から浮かせた状態で前記壁（８２）などに
吸着保持できることを特徴とする吸着式の傘
【請求項５８】
傘（９１）の手元（９２）の一部に、磁石部（９５）を備えた回動自在な手元（９７）を
設け、前記回動自在な手元（９７）を
回動させて、前記磁石部（９５）を外側に向け、
磁力により吸着できる素材で作られた壁（１００）などに
外側に向けた前記回動自在な手元（９７）の磁石部（９５）を吸着させることで
前記磁石部（９５）のみの
吸着力で前記傘（９１）を地面から浮かせた状態で前記壁（１００）などに
吸着保持できることを特徴とする吸着式の傘
【請求項５９】
傘（１６２）のシャフト（１６０）又は、手元に挟んで装着し、
壁（１６３）などに吸着させることで
傘（１６２）を吸着保持させる傘吸着具（１４１）に
磁力の力で吸着する磁石部（１４３）を備えた吸着部（１４４）を
傘吸着具（１４１）の一部に設け、
さらに傘吸着具（１４１）の一部に
バネ（１５９）及びバネ（１５９）に連動して動く挟持部（１５２）を
設け、さらに挟持部（１５２）の一部が交差して挟持できることを特徴とする傘吸着具
【請求項６０】
傘（１８８）の手元（１８９）又はシャフトに挟んで装着し壁（１８５）などに
吸着させることで傘（１８８）を吸着保持させる傘吸着具（１８７）に
磁力の力で吸着する磁石部（１７８）を備えた吸着部（１８２）を傘吸着具（１８７）
の一部に設け、さらに傘吸着具（１８７）の一部に
バネ（１７４）及びバネ（１７４）に連動して動く挟持部（１７９）を
設けたことを特徴とする傘吸着具
【請求項６１】
請求項５９から請求項６０に記載のいずれかの傘吸着具において
傘吸着具の一部に回動部を設け、回動自在な吸着部としたことを特徴とする
傘吸着具
【請求項６２】
傘（１１１）の手元（１１２）の一部に磁石部（１１３）を設け、傘（１１１）の
シャフト（１１４）の一部に曲がった部分（１１０）を設けたことを特徴とする吸着式の傘
【請求項６３】
傘（１１１）の手元（１１２）の一部に磁石部（１１３）を設け
前記傘（１１１）のシャフト（１１４）の一部に曲がった部分（１１０）をもうける
前記シャフト（１１４）の曲がった部分（１１０）により
傘（１１１）を閉じて布（１１６）の部分を紐で締めた時に
前記傘（１１１）の布（１１６）の部分より、前記手元（１１２）の一部と
前記手元（１１２）の磁石部（１１３）が外側にくることを
特徴とする吸着式の傘
【請求項６４】
傘（１２１）の収納ケース（１２２）の一部に磁石部（１２４）を備えた
吸着面（１２３）を設けたことを特徴とする
吸着式の傘ケース
【請求項６５】
傘（１２１）の収納ケース（１２２）の一部に磁石部（１２４）を備えた
吸着面（１２３）を設け
磁力により吸着が可能な素材でできた壁（１３０）や物の壁面に前記吸着面（１２３）を
吸着させることで、前記吸着面（１２３）に備えた磁石部（１２４）
のみの吸着力で、前記傘（１２１）を地面から
浮かせた状態で前記壁や
物の壁面などに吸着保持できることを特徴とする吸着式の傘ケース
【請求項６６】
傘（２００）の手元（２０２）の一部に曲がった部分（２０４）を設け
さらに前記手元（２０２）の一部に磁石部（２０１）を設けたことを特等とする吸着式の傘
【請求項６７】
傘（２００）の手元（２０２）の一部に曲がった部分（２０４）を設け
さらに前記手元（２０２）の一部に磁石部（２０１）を設ける
前記手元（２０２）の曲がった部分（２０４）により
前記傘（２００）を閉じて布（１９８）の部分を紐で締めた時に
前記傘（２００）の布（１９８）の部分よりも前記手元（２０２）の一部と
前記手元（２０２）に設けた磁石部（２０１）が
外側にくることを特徴とする吸着式の傘
【請求項６８】
傘（２００）の手元（２０２）の一部に曲がった部分（２０４）を設け
さらに前記手元（２０２）の一部に磁石部（２０１）を設ける
前記手元（２０２）の曲がった部分（２０４）により
前記傘（２００）を閉じて布（１９８）の部分を紐で締めた時に
前記傘（２００）の布（１９８）の部分よりも
前記手元（２０２）に設けた磁石部（２０１）が
外側にくることを特徴とする吸着式の傘
【請求項６９】
請求項６７から請求項６８に記載のいずれかの吸着式の傘において
吸着式の傘の手元（２０２）の一部に設けた磁石部（２０１）を
磁力により吸着が可能な素材でできた壁や物の壁面などに吸着させることで
前記磁石部（２０１）のみの吸着力で
傘（２０２）を地面から浮かせた状態で前記素材の壁などに吸着保持できる
ことを特徴とする吸着式の傘
【請求項７０】
傘袋（２１４）の一部に磁石部（２１１）を設けたことを特徴とする吸着式の傘袋
【請求項７１】
傘袋（２１４）の一部に磁石部（２１１）を備えた吸着面（２０９）を設け
磁力により吸着が可能な素材でできた壁や物の壁面に前記吸着部を吸着させる
ことで、前記吸着面（２０９）に備えた磁石部（２１１）のみの吸着力で、
傘（２１０）を収納している前記傘袋（２１４）を地面から浮かせた状態で
前記壁や物の壁面などに吸着保持できることを特徴とする吸着式の傘袋
【請求項７２】
傘（２２２）のシャフト（２２６）の一部に磁石部（２２５）を
備えた吸着板（２３１）を設けたことを特徴とする吸着式の傘
【請求項７３】
傘（２２２）のシャフト（２２６）の一部に磁石部（２２５）を
備えた吸着板（２３１）を設け
傘（２２２）のシャフト（２２６）の一部に設けた吸着板（２３１）を磁力により
吸着可能な素材で作られた壁などに
吸着させることで、前記傘（２２２）の吸着板（２３１）に備えた磁石部（２２５）
のみの吸着力で、前記傘（２２２）を地面から浮かせ
た状態で前記壁などに吸着保持できることを特徴とする吸着式の傘
【請求項７４】
傘（２４１）のシャフト（２５１）の一部に磁石部（２４２）を
備えた回動自在な吸着板（２４４）
を設けたことを特徴とする吸着式の傘
【請求項７５】
傘（２４１）のシャフト（２５１）の一部に磁石部（２４２）を
備えた回動自在な吸着板（２４４）を設け、磁力により吸着可能な素材で作られた壁などに、
前記回動自在な吸着板（２４４）の磁石部（２４２）を
吸着させることで前記磁石部（２４２）のみの吸着力で、前記傘（２４１）を地面から
浮かせた状態で
前記素材でできた壁などに、吸着保持できることを特徴とする吸着式の傘
【請求項７６】
傘（２６６）の手元（２６５）の一部に磁石部（２６８）と吸盤部（２６０）を
備え、前記手元（２６５）と繋がったまま付け外し自在なフタ（２６２）を
設けたことを特徴とする吸着式の傘
【請求項７７】
傘（２８０）の手元（２８２）のフック部（２８３）に磁石部（２８１）を備えた
平らな側面（２８７）を設けたことを特徴とする吸着式の傘
【請求項７８】
傘（２８０）の手元（２８２）のフック部（２８３）の側面（２８７）に磁石部（２８１）
を設けたことを特徴とする吸着式の傘
【請求項７９】
請求項７７から請求項７８に記載のいずれかの吸着式の傘において
吸着式の傘の手元（２８２）のフック部（２８３）に設けた磁石部（２８１）を
磁力により吸着が可能な素材でできた壁や物の壁面に吸着させる
ことで、前記磁石部（２８１）のみの吸着力で、前記傘を地面から浮かせた状態で
前記壁や物の壁面などに吸着保持できることを特徴とする吸着式の傘
【請求項８０】
傘（２９１）の手元（２９２）の一部に
側面（２９３）に平らな磁石部（２９４）を備え
前記手元（２９２）と付け外し自在で、傘（２９１）の手元（２９２）から
取り外して、傘（２９１）の石突き（２９６）に挿着することで
傘立てとしても使用できるフック部（２９５）を手元（２９２）の一部に
設け、さらに
前記フック部（２９５）の一部に
傘（２９１）の石突き（２９６）を挿着し保持するための
挿着保持部（２９７）を設けたことを特徴とする自立も可能な吸着式の傘
【請求項８１】
傘（２９１）の手元（２９２）の一部に
側面（２９３）に磁石部（２９４）を備え
前記手元（２９２）と付け外し自在で、傘（２９１）の手元（２９２）から
取り外して、傘（２９１）の石突き（２９６）に挿着することで
傘立てとしても使用できるフック部（２９５）を手元（２９２）の一部に
設け、さらに
前記フック部（２９５）の一部に
傘（２９１）の石突き（２９６）を挿着し保持するための
挿着保持部（２９７）を設けたことを特徴とする自立も可能な吸着式の傘
【請求項８２】
請求項８０から請求項８１に記載のいずれかの自立も可能な吸着式の傘において
さらに、手元（２９２）の一部に、フック部（２９５）と接続するための凹凸部（２９８）
を設け、さらに
フック部（２９５）の一部に手元（２９２）の凹凸部（２９８）と係合し、手元
（２９２）との脱着が自在となる凹凸部（２９９）を設けたことを特徴とする
自立も可能な吸着式の傘
【請求項８３】
請求項８０から請求項８１に記載のいずれかの自立も可能な吸着式の傘において
さらに手元（２９２）の一部にフック部（２９５）と接続するための
ネジ部（４００）を設け、さらにフック部（２９５）の一部
に手元（２９２）のネジ部（４００）と係合し手元（２９２）との
脱着が自在となるネジ部（４０１）を設けたことを特徴とする
自立も可能な吸着式の傘
【請求項８４】
請求項８０から請求項８１に記載のいずれかの自立も可能な吸着式の傘において
さらに手元（２９２）の一部にフック部（２９５）との接続するための
磁石部（４０２）を設け、さらにフック部（２９５）の一部に
手元（２９２）の磁石部（４０２）と吸着し手元（２９２）との
脱着が自在となる磁石部（４０３）を設けたことを特徴とする
自立も可能な吸着式の傘
【請求項８５】
請求項８０から請求項８４に記載のいずれかの自立も可能な吸着式の傘において
自立も可能な吸着式の傘（２９１）の手元（２９２）一部に設けた磁石部（２９４）を
磁力により吸着が可能な素材でできた壁や物の壁面に吸着させる
ことで、前記磁石部（２９４）のみの吸着力で、前記傘を地面から浮かせた状態で
前記壁や物の壁面などに吸着保持できることを特徴とする自立も可能な吸着式の傘
【請求項８６】
傘（３０１）の手元（３０２）の一部に
側面（３０３）に平らな磁石部（３０４）
を備え、前記手元（３０２）と付け外し自在で傘（３０１）の手元（３０２）から
取り外して、傘（３０１）の石突き（３０６）に挿着することで
傘立てとしても使用できるフック部（３０５）を手元（３０２）の一部に
設け、さらに前記フック部（３０５）の一部に傘（３０１）の石突き（３０６）を挿着し
保持するための挿着保持部（３０７）を設け、さらに前記フック部（３０５）
の一部に前記フック部（３０５）を傘立てとして使用する際に
傘立ての支脚の一部としても
使用できる回動自在な支脚部（３０８）を設けたことを特徴とする
自立も可能な吸着式の傘
【請求項８７】
傘（３０１）の手元（３０２）の一部に
側面（３０３）に磁石部（３０４）
を備え、前記手元（３０２）と付け外し自在で傘（３０１）の手元（３０２）から
取り外して、傘（３０１）の石突き（３０６）に挿着することで
傘立てとしても使用できるフック部（３０５）を手元（３０２）の一部に
設け、さらに
前記フック部（３０５）の一部に
傘（３０１）の石突き（３０６）を挿着し
保持するための挿着保持部（３０７）を設け、さらに前記フック部（３０５）
の一部に
前記フック部（３０５）を傘立てとして使用する際に
傘立ての支脚の一部としても
使用できる回動自在な支脚部（３０８）を設けたことを特徴とする
自立も可能な吸着式の傘
【請求項８８】
請求項８６から請求項８７に記載のいずれかの自立も可能な吸着式の傘において
さらに、手元（３０２）の一部に、フック部（３０５）と接続するための凹凸部（３０９）
を設け、さらに
フック部（３０５）の一部に手元（３０２）の凹凸部（３０９）と係合し、手元
（３０２）との
脱着が自在となる凹凸部（３１０）を設けたことを特徴とする
自立も可能な吸着式の傘
【請求項８９】
請求項８６から請求項８７に記載のいずれかの自立も可能な吸着式の傘において
さらに手元（３０２）の一部にフック部（３０５）と接続するための
ネジ部（４２０）を設け、さらにフック部（３０５）の一部
に手元（３０２）のネジ部（４２０）と係合し手元（３０２）との
脱着が自在となるネジ部（４２１）を設けたことを特徴とする
自立も可能な吸着式の傘
【請求項９０】
請求項８６から請求項８７に記載のいずれかの自立も可能な吸着式の傘において
さらに手元（３０２）の一部にフック部（３０５）との接続するための
磁石部（４２２）を設け、さらにフック部（３０５）の一部に
手元（３０２）の磁石部（４２２）と吸着し手元（３０２）との
脱着が自在となる磁石部（４２３）を設けたことを特徴とする
自立も可能な吸着式の傘
【請求項９１】
請求項８６から請求項９０に記載のいずれかの自立も可能な吸着式の傘において
自立も可能な吸着式の傘（３０１）の手元（３０２）一部に設けた磁石部（３０４）を
磁力により吸着が可能な素材でできた壁や物の壁面に吸着させる
ことで、前記磁石部（３０４）のみの吸着力で、前記傘を地面から浮かせた状態で
前記壁や物の壁面などに吸着保持できることを特徴とする自立も可能な吸着式の傘
【請求項９２】
傘（４５２）の手元（４５３）又はシャフト（４５４）に固着して装着し、壁などに
吸着させることで傘（４５２）を吸着保持させる傘吸着具（４６７）に
磁力の力で吸着する磁石部（４５６）を備えた吸着部（４５５）を
傘吸着具（４６７）の一部に設け
さらに傘吸着具（４６７）の一部にボルト（４６５）とナット（４６２）で
締め付けることで挟んで固着する固着部（４５０）を設けたことを特徴とする傘吸着具
【請求項９３】
傘（４５２）の手元（４５３）又はシャフト（４５４）に固着して装着し、壁などに
吸着させることで傘（４５２）を吸着保持させる傘吸着具（４６７）に
磁力の力で吸着する磁石部（４５６）を備えた回動自在な吸着部（４５５）を
傘吸着具（４６７）の一部に設け
さらに傘吸着具（４６７）の一部にボルト（４６５）とナット（４６２）で
締め付けることで挟んで固着する固着部（４５０）を設けたことを特徴とする傘吸着具
【請求項９４】
請求項７０から請求項７１に記載のいずれかの傘袋において
傘袋の一部に設けた吸着面（２０９）を、付け外し自在な吸着面（２０９）にしたことを
特徴とする吸着式の傘袋
【請求項９５】
請求項５９から請求項６１及び、請求項９２から請求項９３に
記載のいずれかの傘吸着具において
傘吸着具の一部に設けた磁石部を備えた吸着部を
磁力により吸着が可能な素材でできた壁や物の壁面に吸着させる
ことで、前記吸着部に備えた磁石部のみの吸着力で、前記傘吸着具に
装着した傘を地面から浮かせた状態で
前記壁や物の壁面などに吸着保持できることを特徴とする傘吸着具
【請求項９６】
請求項６２及び請求項６３に記載のいずれかの吸着式の傘において
傘（１１１）の手元（１１２）の一部に設けた磁石部（１１３）を
磁力により吸着が可能な素材でできた壁や物の壁面に吸着させることで
前記磁石部（１１３）のみの吸着力で、前記傘（１１１）を
地面から浮かせた状態で、前記壁などに吸着保持できることを特徴とする吸着式の傘
【請求項９７】
請求項４３から請求項５８及び、請求項６２及び、請求項６３及び、請求項６６から
請求項６９、及び請求項７２から請求項７９、及び請求項９６
に記載のいずれかの吸着式の傘において
吸着式の傘とは、長傘及び折り畳み傘のどちらの傘も含むことを特徴とする吸着式の傘
【請求項９８】
請求項８０から請求項９１に記載のいずれかの自立も可能な吸着式の傘において
自立も可能な吸着式の傘とは、長傘及び折り畳み傘のどちらの傘も含むこと
を特徴とする自立も可能な吸着式の傘
【請求項９９】
請求項６４及び請求項６５に記載のいずれかの吸着式の傘ケースにおいて
傘ケースとは、長傘及び折り畳み傘のどちらの傘ケースも含むこと
を特徴とする傘ケース
【請求項１００】
請求項７０及び請求項７１及び請求項９４に記載のいずれかの吸着式の傘袋において
傘袋とは、長傘及び折り畳み傘のどちらの傘袋も含むこと
を特徴とする傘袋
【請求項１０１】
請求項５９から請求項６１及び請求項７２及び請求項９３及び請求項９５
に記載のいずれかの傘吸着具において
傘吸着具とは、長傘及び折り畳み傘のどちらの傘にも装着可能としたことを
特徴とする傘吸着具
【請求項１０２】
傘立てにもなる
傘吸着具（４９４）の一部に、挿着保持部（４９６）設け
傘の石突きに装着した際に、傘を支える支脚部（４９５）を設けたことを特徴とする
傘立てにもなる傘吸着具
【請求項１０３】
請求項１０２に記載の傘立てにもなる傘吸着具において
さらに支脚部（４９５）の地面と接する面に平らな面を設け、
挿着保持部（４９６）の一部にさらに磁石部（４９７）を設けたことを特徴とする
傘立てにもなる傘吸着具
【請求項１０４】
請求項１０２に記載の傘立てにもなる傘吸着具において
さらに支脚部（４９５）の地面と接する面に平らな面を設け、
挿着保持部（４９６）の一部にさらにネジ部（５００）を設けたことを特徴とする
傘立てにもなる傘吸着具
【請求項１０５】
請求項１０２に記載の傘立てにもなる傘吸着具において
さらに支脚部（４９５）の地面と接する面に平らな面を設け、
挿着保持部（４９６）の一部にさらに凹凸部（４９９）を設けたことを特徴とする
傘立てにもなる傘吸着具
【請求項１０６】
請求項１０３に記載の傘立てにもなる傘吸着具において
挿着保持部（４９６）の一部にさらにネジ部（５００）を設けたことを特徴とする
傘立てにもなる傘吸着具
【請求項１０７】
請求項１０３に記載の傘立てにもなる傘吸着具において
挿着保持部（４９６）の一部にさらに凹凸部（４９９）を設けたことを特徴とする
傘立てにもなる傘吸着具
【請求項１０８】
請求項１０４に記載の傘立てにもなる傘吸着具において
挿着保持部（４９６）の一部にさらに凹凸部（４９９）を設けたことを特徴とする
傘立てにもなる傘吸着具
【請求項１０９】
請求項１０６に記載の傘立てにもなる傘吸着具において
挿着保持部（４９６）の一部にさらに凹凸部（４９９）を設けたことを特徴とする
傘立てにもなる傘吸着具
【請求項１１０】
請求項１０２から請求項１０９に記載のいずれかの傘立てにもなる傘吸着具において
支脚部（４９５）の一部に磁石部（４９７）を設けたことを特徴とする
傘立てにもなる傘吸着具
【請求項１１１】
傘（４８０）の石突き（４８８）に一端に穴（４９３）を設けたことを特徴とする
自立式の傘にも吸着式の傘にもなる傘
【請求項１１２】
傘（４８０）の石突き（４８８）の一部にネジ溝（４８７）を周設したことを
特徴とする自立式の傘にもなる吸着式の傘
【請求項１１３】
傘（４８０）の石突き（４８８）の一部に凹凸部（４８５）を周設したことを
特徴とする自立式の傘にもなる吸着式の傘
【請求項１１４】
傘（４８０）の石突き（４８８）の一部に磁石部（４８６）を周設したことを
特徴とする自立式の傘にもなる
【請求項１１５】
請求項１１２に記載の自立式の傘にも吸着式の傘にもなる傘において
傘（４８０）の石突き（４８８）の一部に
さらに凹凸部（４８５）を設けたことを特徴とする自立式の傘にも吸着式の傘にもなる傘
【請求項１１６】
請求項１１３に記載の自立式の傘にも吸着式の傘にもなる傘において
傘（４８０）の石突き（４８８）の一部に
さらに磁石部（４８６）を設けたことを特徴とする自立式の傘にも吸着式の傘にもなる傘
【請求項１１７】
請求項１１２に記載の自立式の傘にも吸着式の傘にもなる傘において
傘（４８０）の石突き（４８８）の一部に
さらに磁石部（４８６）を設けたことを特徴とする自立式の傘にも吸着式の傘にもなる傘
【請求項１１８】
請求項１１６に記載の自立式の傘にも吸着式の傘にもなる傘において
傘（４８０）の石突き（４８８）の一部に
さらにネジ部（４８７）を設けたことを特徴とする自立式の傘にも吸着式の傘にもなる傘
【請求項１１９】
請求項１１１に記載の自立式の傘にも吸着式の傘にもなる傘において
傘（４８０）の石突き（４８８）の一端に設けた穴（４９３）に
さらにネジ部（４９１）を設けたことを特徴とする
自立式の傘にも吸着式の傘にもなる傘
【請求項１２０】
請求項１１１に記載の自立式の傘にも吸着式の傘にもなる傘において
傘（４８０）の石突き（４８８）の一端に設けた穴（４９３）に
さらに凹凸部（４８９）を設けたことを特徴とする
自立式の傘にも吸着式の傘にもなる傘
【請求項１２１】
請求項１１１に記載の自立式の傘にも吸着式の傘にもなる傘において
傘（４８０）の石突き（４８８）の一端に設けた穴（４９３）に
さらに磁石部（４９０）を設けたことを特徴とする
自立式の傘にも吸着式の傘にもなる傘
【請求項１２２】
請求項１１９に記載の自立式の傘にも吸着式の傘にもなる傘において
傘（４８０）の石突き（４８８）の一端に設けた穴（４９３）に
さらに凹凸部（４８９）を設けたことを特徴とする
自立式の傘にも吸着式の傘にもなる傘
【請求項１２３】
請求項１２０に記載の自立式の傘にも吸着式の傘にもなる傘において
傘（４８０）の石突き（４８８）の一端に設けた穴（４９３）に
さらに磁石部（４９０）を設けたことを特徴とする
自立式の傘にも吸着式の傘にもなる傘
【請求項１２４】
請求項１１９に記載の自立式の傘にも吸着式の傘にもなる傘において
傘（４８０）の石突き（４８８）の一端に設けた穴（４９３）に
さらに磁石部（４９０）を設けたことを特徴とする
自立式の傘にも吸着式の傘にもなる傘
【請求項１２５】
請求項１２３に記載の自立式の傘にも吸着式の傘にもなる傘において
傘（４８０）の石突き（４８８）の一端に設けた穴（４９３）に
さらにネジ部（４９１）を設けたことを特徴とする
自立式の傘にも吸着式の傘にもなる傘
【請求項１２６】
請求項１１１及び請求項１１９から請求項１２５に記載のいずれかの
自立式の傘にも吸着式の傘にもなる傘において、さらに
傘（４８０）の石突き（４８８）の一部に凹凸部（４８５）を周設したことを特徴とする
自立式の傘にも吸着式の傘にもなる傘
【請求項１２７】
請求項１１１及び請求項１１９から請求項１２５に記載のいずれかの
自立式の傘にも吸着式の傘にもなる傘において、さらに
傘（４８０）の石突き（４８８）の一部にネジ部（４８７）を周設したことを特徴とする
自立式の傘にも吸着式の傘にもなる傘
【請求項１２８】
請求項１１１及び請求項１１９から請求項１２５に記載のいずれかの
自立式の傘にも吸着式の傘にもなる傘において、さらに
傘（４８０）の石突き（４８８）の一部に凹凸部（４８５）とネジ部（４８７）を
周設したことを特徴とする
自立式の傘にも吸着式の傘にもなる傘
【請求項１２９】
請求項１１２から請求項１１８及び請求項１１１及び請求項１１９から請求項１２５に記載の
いずれかの、自立式の傘にも吸着式の傘にもなる傘において、さらに
傘（４８０）の手元（４８１）の一部に、傘吸着具を装着するための装着穴（４８２）
を設けたことを特徴とする自立式の傘にも吸着式の傘にもなる傘
【請求項１３０】
請求項１１２から請求項１１８及び請求項１１１及び請求項１１９から請求項１２５に記載の
いずれかの、自立式の傘にも吸着式の傘にもなる傘において、
傘（４８０）の手元（４８１）の一部に、傘吸着具を装着するための装着穴（４８２）
を設け、装着穴（４８２）の一部に
さらに凹凸部（４８３）
を設けたことを特徴とする自立式の傘にも吸着式の傘にもなる傘
【請求項１３１】
請求項１１２から請求項１１８及び請求項１１１及び請求項１１９から請求項１２５に記載の
いずれかの、自立式の傘にも吸着式の傘にもなる傘において、
傘（４８０）の手元（４８１）の一部に、傘吸着具を装着するための装着穴（４８２）
を設け、装着穴（４８２）の一部に
さらにネジ部（４８４）
を設けたことを特徴とする自立式の傘にも吸着式の傘にもなる傘
【請求項１３２】
請求項１１２から請求項１１８及び請求項１１１及び請求項１１９から請求項１２５に記載の
いずれかの、自立式の傘にも吸着式の傘にもなる傘において、
傘（４８０）の手元（４８１）の一部に、傘吸着具を装着するための装着穴（４８２）
を設け、装着穴（４８２）の一部に
さらにネジ部（４８４）と凹凸部（４８３）
を設けたことを特徴とする自立式の傘にも吸着式の傘にもなる傘
【請求項１３３】
傘（５２０）の手元（５２１）の一部に
側面に磁石部（５２７）を備え、前記手元（５２１）と
付け外し自在で
傘（５２０）の手元（５２１）から
取り外して傘（５２０）の石突き（５２３）に装着することで
傘立てとしても使用できる
付け外し自在な手元（５２２）を設け
さらに前記付け外し自在な手元（５２２）の一部に
傘（５２０）の石突き（５２３）を装着して保持するための
石突き装着部（５２９）を設け、さらに前記付け外し
自在な手元（５２２）の一部に、装着した傘（５２０）
を支える支脚部（５２８）と支脚部にもなる装着柱（５３０）
を設けたことを特徴とする自立も可能な吸着式の傘
【請求項１３４】
請求項１３３に記載の自立も可能な吸着式の傘において
傘（５２０）の付け外し自在な手元（５２２）の一部に設けた
石突き装着部（５２９）の一部にさらにネジ部（５３５）を設け
傘（５２０）の石突き（５２３）の一部にネジ部（５３５）と係合し
脱着自在なネジ部（５２４）をさらに設けたことを特徴とする
自立も可能な吸着式の傘
【請求項１３５】
請求項１３３に記載の自立も可能な吸着式の傘において
傘（５２０）の付け外し自在な手元（５２２）の一部に設けた
石突き装着部（５２９）の一部にさらに凹凸部（５３６）を設け
傘（５２０）の石突き（５２３）の一部に凹凸部（５３６）と係合し
脱着自在な凹凸部（５２５）をさらに設けたことを特徴とする
自立も可能な吸着式の傘
【請求項１３６】
請求項１３３に記載の自立も可能な吸着式の傘において
傘（５２０）の付け外し自在な手元（５２２）の一部に設けた
石突き装着部（５２９）の一部にさらに磁石部（５３７）を設け
傘（５２０）の石突き（５２３）の一部に磁石部（５３７）と係合し
脱着自在な磁石部（５２６）をさらに設けたことを特徴とする
自立も可能な吸着式の傘
【請求項１３７】
請求項１３３から請求項１３６に記載のいずれかの自立も可能な吸着式の傘において
傘（５２０）の手元（５２１）の一端にさらにネジ部（５３１）と
柱装着部（５３４）を設け、
付け外し自在な手元（５２２）の一部に、さらにネジ部（５３１）と
係合して付け外し自在となるネジ部（５３２）を設けたことを
特徴とする自立も可能な吸着式の傘
【請求項１３８】
請求項１３３から請求項１３７に記載のいずれかの自立も可能な吸着式の傘において
付け外し自在な手元（５２２）の側面に設けた磁石部（５２７）を
磁石により吸着が可能な素材で作られた壁や物の壁面に吸着させることで
磁石部（５２７）のみの吸着力で
傘（５２０）
を地面から浮かせた状態で吸着保持できることを特徴とする自立も可能な吸着式の傘
【請求項１３９】
請求項１０２から請求項１１０に記載のいずれかの傘立てにもなる傘吸着具において
挿着保持部（４９６）を傘（４８０）の手元（４８１）に設けた傘吸着具装着部（４８２）
に装着し、傘立てにもなる傘吸着具（４９４）に設けた磁石部（４９７）を磁力により吸着が可能な素材でできた壁や物の壁面に吸着させることで
磁石部（４９７）のみの吸着力で傘（４８０）を地面から浮かせた状態で
吸着保持でき、又傘（４８０）の石突き（４８８）に設けた傘立て具装着穴（４９３）に
傘立てにもなる傘吸着具（４９４）の挿着保持部（４９６）を装着することで
傘（４８０）を自立させることができることを特徴とする傘立てにもなる傘吸着具
【請求項１４０】
傘立てにもなる傘吸着具（５０５）の一部に、石突き装着部（５１５）と
回動自在な支脚部（５０６）と手元装着部（５１２）を設け
傘立てにもなる傘吸着具（５０５）の一部にさらに磁石部を設けたことを特徴とする傘立てにもなる傘吸着具
【請求項１４１】
傘立てにもなる傘吸着具（５０５）の一部に、石突き装着部（５１５）と
回動自在な支脚部（５０６）と手元装着部（５１２）を設け
回動自在な支脚部（５０６）の一部にさらに磁石部（５０７）を設けたことを特徴とする傘立てにもなる傘吸着具
【請求項１４２】
請求項１４０及び請求項１４１に記載のいずれかの傘立てにもなる傘吸着具において
石突き装着部（５１５）の一部にさらにネジ部（５１６）を設けたことを特徴とする
傘立てにもなる傘吸着具
【請求項１４３】
請求項１４０及び請求項１４１に記載のいずれかの傘立てにもなる傘吸着具において
石突き装着部（５１５）の一部にさらに磁石部（５１８）を設けたことを特徴とする
傘立てにもなる傘吸着具
【請求項１４４】
請求項１４０及び請求項１４１に記載のいずれかの傘立てにもなる傘吸着具において
石突き装着部（５１５）の一部にさらに凹凸部（５１７）を設けたことを特徴とする
傘立てにもなる傘吸着具
【請求項１４５】
請求項１４２及び請求項１４４に記載のいずれかの傘立てにもなる傘吸着具において
石突き装着部（５１５）の一部にさらに磁石部（５１８）を設けたことを特徴とする
傘立てにもなる傘吸着具
【請求項１４６】
請求項１４０から請求項１４５に記載のいずれかの傘立てにもなる傘吸着具において
手元装着部（５１２）の一部にさらにネジ部（５１４）を設けたことを特徴とする
傘立てにもなる傘吸着具
【請求項１４７】
請求項１４０から請求項１４５に記載のいずれかの傘立てにもなる傘吸着具において
手元装着部（５１２）の一部にさらに凹凸部（５１３）を設けたことを特徴とする
傘立てにもなる傘吸着具
【請求項１４８】
請求項１４７に記載の傘立てにもなる傘吸着具において
手元装着部（５１２）の一部にさらにネジ部（５１４）を設けたことを特徴とする
傘立てにもなる傘吸着具
【請求項１４９】
請求項１４０から請求項１４８に記載のいずれかの傘立てにもなる傘吸着具において
手元装着部（５１２）を傘（４８０）の手元（４８１）に設けた
傘吸着具装着部（４８２）に装着し磁石により吸着が
可能な素材で作られた壁や物の壁面に吸着させることで
磁石部（５０７）のみの吸着力により傘（４８０）を
地面から浮かせた状態で吸着保持でき、又
傘（４８０）の石突き（４８８）を傘立てにもなる傘吸着具（５０５）
に設けた石突き装着部（５１５）に装着し
回動自在な支脚部（５０６）を回動し開けて
地面に置くことで傘（４８０）を自立させることができることを特徴とする
傘立てにもなる傘吸着具
【発明の詳細な説明】
【技術分野】
【０００１】
本発明は、自立や吸着が可能な傘に関するものであり
傘の一部に自立を可能とする支脚や、磁力により強力に吸着する吸着部を設け
ることで、傘を自立させることや、壁などへの吸着が可能になり、
傘立てがなくても傘を収納できるようにしたものである
【発明の開示】
【発明が解決しようとする課題】
【０００２】
従来の傘や折りたたみ傘は傘立てを使うしか収納方法がないため不便である。
本発明は、傘立てがない場所でも傘を
収納ができるようにすることで、傘立てがないと傘や折りたたみ傘を
収納できないという不都合を解決することを課題とする。
【課題を解決するための手段】
【０００３】
請求項１に記載の発明は
傘の手元の一部に吸着部を備えた、吸着板
を設けたことを特徴とする吸着式の傘である。
これにより前記傘の手元に設けた吸着板を
磁力により吸着が可能な素材でできた壁や物の壁面に吸着させる
ことで、前記吸着板に備えた吸着部のみの吸着力で、前記傘を地面から
浮かせた状態で前記壁や物の壁面などに吸着保持できる
【０００４】
請求項２に記載の発明は
傘の手元の一部に吸着部を備えた回動自在な吸着板を設けたことを
特徴とする吸着式の傘である。
これにより前記傘の手元に設けた回動自在な吸着板を
磁力により吸着が可能な素材でできた壁や物の壁面に吸着させる
ことで、前記回動自在な吸着板に備えた吸着部のみの吸着力で、前記傘を
地面から浮かせた状態で前記壁や物の壁面などに吸着保持できる
また、吸着板が回動自在なため傘が濡れている場合は、傘の吸着板の回動部が
回動することで、傘を開けた状態で吸着させることができ、傘を
地面に置くことなく乾かすことができる
【０００５】
請求項３に記載の発明は
傘の手元の一部に吸着部を備えたフタを設けたことを特徴とする吸着式の傘である。
これにより前記傘の手元に設けたフタの吸着部を磁力により吸着が可能な
素材でできた壁や物の壁面に吸着させることで、前記フタの吸着部のみの吸着力で、
前記傘を地面から浮かせた状態で前記壁や物の壁面などに吸着保持することができる
【０００６】
請求項４に記載の発明は
傘の手元の一部に吸着部を備え前記手元の一部と繋ぐがったまま脱着自在なフタを
設けたことを特徴とする吸着式の傘である。
これにより前記傘の手元に設けた、フタの吸着部を磁力により吸着が可能な
素材でできた壁や物の壁面に吸着させることで、前記フタの吸着部のみの吸着力で、
前記傘を地面から浮かせた状態で前記壁や物の壁面などに吸着保持でき
又、傘が濡れている場合は、傘の手元の一部に設けた、手元と
繋ぐがったまま脱着自在なフタの吸着部を前記素材の壁などに吸着させることで
フタと傘が自由な角度で繋ぐがっているため、傘を開けた状態で
前記素材の壁などに吸着さえることができ傘を地面に置くことなく乾かすことができる
【０００７】
請求項５に記載の発明は
傘の手元の一部に、前記手元に収納自在で前記手元からスライドにより、吸着部
が外側へ迫り出す、前記吸着部を備えた手元を設けたことを特徴とする吸着式の傘
である。これにより傘の手元からスライドさせた吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
【０００８】
請求項６に記載の発明は
傘の手元の一部に、吸着部を備えた回動自在な手元を設け、前記回動自在な手元を
回動させて、前記吸着部を外側に向け、磁力により吸着できる素材で作られた壁などに
外側に向けた前記回動自在な手元の吸着部を吸着させることで前記吸着部のみの
吸着力で前記傘を地面から浮かせた状態で前記壁などに吸着保持できることを特徴と
する吸着式の傘である。
これにより傘の手元から回動自在な手元を回動し、回動自在な手元の吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
【０００９】
請求項７に記載の発明は
傘の手元の一部に吸着部を設け傘のシャフトの一部に曲がった部分を設けたことを
特徴とする吸着式の傘である。
これにより傘の手元の一部に設けた吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
【００１０】
請求項８に記載の発明は
傘の手元の一部に吸着部を設け
前記傘のシャフトの一部に曲がった部分をもうける
前記シャフトの曲がった部分により
傘を閉じて布の部分を紐で締めた時に
前記傘の布の部分より、前記手元の一部と前記手元の吸着部が外側にくることを
特徴とする吸着式の傘である。
これにより傘の手元の一部に設けた吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
【００１１】
請求項９に記載の発明は
傘の手元の一部に曲がった部分を設け
さらに前記手元の一部に吸着部を設けたことを特徴とする吸着式の傘である。
これにより傘の手元の一部に設けた吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
【００１２】
請求項１０に記載の発明は
傘の手元の一部に曲がった部分を設けさらに前記手元の一部に吸着部を設ける
前記手元の曲がった部分により前記傘を閉じて布の部分を紐で締めた時に
前記傘の布の部分よりも前記手元の一部と前記手元に設けた吸着部が
外側にくることを特徴とする吸着式の傘である。
これにより傘の手元の一部に設けた吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
【００１３】
請求項１１に記載の発明は
傘のシャフトの一部に吸着部を備えた吸着板を設けたことを特徴とする吸着式の傘である。
これにより傘のシャフトの一部に設けた吸着板の吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
【００１４】
請求項１２に記載の発明は
傘のシャフトの一部に吸着部を備えた回動自在な吸着部を設けたことを特徴とする
吸着式の傘である。
これにより傘のシャフトの一部に設けた回動自在な吸着板の吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持でき、
また傘が濡れている場合は、傘のシャフトの一部に設けた吸着板の回動部が
回動することで、傘を開けた状態で吸着させることができ、傘を
地面に置くことなく乾かすことができる
【００１５】
請求項１３に記載の発明は
傘の手元の一部に吸着部と吸盤を備えたフタを設けた
ことを特徴とする吸着式の傘である。
これにより傘の手元の一部に設けたフタの吸着部を磁力により吸着が
可能な素材でできた壁や物の壁面に吸着させることで、前記吸着部のみの
吸着力で、前記傘を地面から浮かせた状態で前記壁や物の壁面などに吸着保持できる
また、傘の手元の一部に設けたフタの吸盤部を壁などに吸着させることで、前記フタの
吸盤部のみの吸着力で、前記傘を地面から浮かせた状態で壁や物の壁面などに吸着保持
することができる
【００１６】
請求項１４に記載の発明は
傘の手元の一部に前記手元と一部が繋ぐがったまま、前記手元から
付け外し自在な吸着部を設けたことを特徴とする吸着式の傘である。
これにより傘の手元の一部に設けた、前記手元と繋ぐがったまま脱着自在な吸着部を
磁力により吸着が可能な素材でできた壁や物の壁面に吸着させることで、
前記吸着部のみの吸着力で、前記傘を地面から浮かせた状態で
前記壁や物の壁面などに吸着保持できる
【００１７】
請求項１５に記載の発明は
傘の手元のフック部の側面に平らな吸着部を設けたことを特徴とする吸着式の傘である。
これにより傘の手元のフック部に設けた吸着部を磁力により吸着が可能な
素材でできた壁や物の壁面に吸着させることで、前記吸着部のみの吸着力で、前記傘を
地面から浮かせた状態で前記壁や物の壁面などに吸着保持できる
【００１８】
請求項１６に記載の発明は
請求項１から請求項１５に記載のいずれかの吸着式の傘において
傘の手元の一部に設けた吸着部を磁石としたことを特徴とする吸着式の傘である。
これにより傘の手元の一部に設けた磁石部を磁力により吸着が可能な素材で
できた壁や物の壁面に吸着させることで、前記磁石部のみの吸着力で、前記傘を地面から
浮かせた状態で前記壁や物の壁面などに吸着保持できる
【００１９】
請求項１７に記載の発明は
請求項１から請求項１６に記載のいずれかの吸着式の傘において傘の手元の一部に
設けた吸着部を磁力により吸着が可能な素材でできた壁や物の壁面に吸着させる
ことで、前記吸着部のみの吸着力で、前記傘を地面から浮かせた状態で前記壁や物の
壁面などに吸着保持できることを特徴とする吸着式の傘である。
これにより傘をしっかりと壁などに吸着保持できる
【００２０】
請求項１８に記載の発明は
傘のシャフト又は手元に挟んで装着し、壁などに吸着させることで傘を吸着保持させる
傘吸着具に磁力の力で吸着する吸着部を傘吸着具の一部に設け、さらに傘吸着具の一部に
バネ及びバネに連動して動く挟持部を設けたことを特徴とする傘吸着具である。
これにより傘の手元又はシャフトを傘吸着具の挟持部で挟んで装着し、傘吸着具の
一部に設けた吸着部を磁力により吸着が可能な素材でできた壁や物の壁面に吸着させる
ことで、前記傘吸着具に設けた吸着部のみの吸着力で、前記傘を地面から浮かせた状態で
前記壁や物の壁面などに吸着保持できる
【００２１】
請求項１９に記載の発明は
請求項１８に記載の傘吸着具において挟持部の一部が交差して挟持できることを
特徴とする傘吸着具である。
これにより傘吸着具の挟持部が交差して挟持できることによりどんな太さの手元や
シャフトでも挟持でき、傘の手元又はシャフトを傘吸着具の挟持部で挟んで装着し、
傘吸着具の一部に設けた吸着部を磁力により吸着が可能な素材でできた壁や物の壁面に
吸着させることで、前記傘保持具に設けた吸着部のみの吸着力で、前記傘を
地面から浮かせた状態で前記壁や物の壁面などに吸着保持することができる
【００２２】
請求項２０に記載の発明は
傘の手元又はシャフトに挟んで装着し壁などに吸着させることで傘を吸着保持させる
傘吸着具に磁力の力で吸着する回動自在な吸着部を傘吸着具の一部に設け、さらに
傘吸着具の一部にバネ及びバネに連動して動く挟持部を設けたことを
特徴とする傘吸着具である。
これにより傘の手元又はシャフトを傘吸着具の挟持部で挟んで装着し、傘吸着具の一部に
設けた吸着部を磁力により吸着が可能な素材でできた壁や物の壁面に吸着させる
ことで、前記傘吸着具に設けた吸着部のみの吸着力で、前記傘を地面から浮かせた状態で
前記壁や物の壁面などに吸着保持することができ
また傘が濡れている場合は、傘吸着具の一部に設けた回動自在な吸着部により
吸着部が回動することで、自由な角度で吸着ができるため、傘を開けた状態で
吸着させることができ、傘を地面に置くことなく乾かすことができる
【００２３】
請求項２１に記載の発明は
傘の手元又はシャフトに固着して装着し、壁などに吸着させることで傘を吸着保持
させる傘吸着具に磁力の力で吸着する吸着部を傘吸着具の一部に設け
さらに傘吸着具の一部に巻きつけて固着する固着部を設けたことを特徴とする傘吸着具
である。
これにより傘吸着具に設けた吸着部を
磁力により吸着が可能な素材でできた壁や物の壁面に吸着させる
ことで、前記吸着部のみの吸着力で、前記傘保持具で固着した傘を
地面から浮かせた状態で前記壁や物の壁面などに吸着保持できる
【００２４】
請求項２２に記載の発明は
傘の手元又はシャフトに固着して装着し、壁などに吸着させることで傘を吸着保持
させる傘吸着具に磁力の力で吸着する吸着部を傘吸着具の一部に設け
さらに傘吸着具の一部に挟んで固着するための固着部を設けたことを特徴とする傘吸着具
である。
これにより傘吸着具に設けた吸着部を磁力により吸着が可能な素材でできた壁や物の
壁面に吸着させることで、前記吸着部のみの吸着力で、前記傘保持具で固着した傘
を地面から浮かせた状態で前記壁や物の壁面などに吸着保持できる
【００２５】
請求項２３に記載の発明は
請求項１８から請求項２２に記載のいずれかの傘吸着具において
傘吸着具の一部に設けた吸着部を磁石としたことを特徴とする傘吸着具である。
これにより傘吸着具に設けた磁石部を磁力により吸着が可能な素材でできた壁や物の
壁面に吸着させることで、前記磁石部のみの吸着力で、前記傘を地面から浮かせた状態で
前記壁や物の壁面などに吸着保持できる
【００２６】
請求項２４に記載の発明は
請求項１８から請求項２３に記載のいずれかの傘吸着具において
傘吸着具の一部に設けた吸着部を磁力により吸着が可能な素材でできた壁や物の壁面に
吸着させることで、前記吸着部のみの吸着力で、前記傘吸着具に装着した傘を地面から
浮かせた状態で前記壁や物の壁面などに吸着保持できることを特徴とする傘吸着具である。
これにより、傘吸着具により傘をしっかりと壁に吸着保持することができる
【００２７】
請求項２５に記載の発明は
傘の収納ケースの一部に吸着部を設けたことを特徴とする吸着式の傘ケースである。
これにより傘の収納ケースの一部に設けた吸着部を磁力により吸着が可能な素材で
できた壁や物の壁面に吸着させることで、前記吸着部のみの吸着力で、前記傘を
地面から浮かせた状態で前記壁や物の壁面などに吸着保持できる
【００２８】
請求項２６に記載の発明は
請求項２５に記載の吸着式の傘ケースにおいて吸着式の傘ケースの一部に設けた吸着部を
磁石としたことを特徴とする吸着式の傘ケースである。
これにより傘ケースの磁石部を磁力により吸着が可能な素材でできた壁や物の壁面に
吸着させることで、前記磁石部のみの吸着力で、前記傘を地面から浮かせた状態で
前記壁や物の壁面などに吸着保持できる
【００２９】
請求項２７に記載の発明は
傘の収納ケースの一部に吸着部を設け磁力により吸着が可能な素材でできた壁や物の
壁面に前記吸着部を吸着させることで、前記吸着部のみの吸着力で、前記傘を地面から
浮かせた状態で前記壁や物の壁面などに吸着保持できることを特徴とする吸着式の
傘ケースである。
これにより傘を収納した傘ケースを壁にしっかりと吸着保持することができる
【００３０】
請求項２８に記載の発明は
傘袋の一部に吸着部を設けたことを特徴とする吸着式の傘袋である。
これにより傘を入れた傘袋の吸着部を磁力により吸着が可能な素材でできた壁や物の
壁面に吸着させることで、前記傘袋の吸着部のみの吸着力で、前記傘を地面から
浮かせた状態で前記壁や物の壁面などに吸着保持できる
【００３１】
請求項２９に記載の発明は
請求項２８に記載の吸着式の傘袋において吸着式の傘袋の一部に設けた吸着部を
磁石としたことを特徴とする吸着式の傘袋である。
これにより傘を入れた傘袋の磁石部を磁力により吸着が可能な素材でできた壁や物の
壁面に吸着させることで、前記傘袋の磁石部のみの吸着力で、前記傘を地面から浮かせた
状態で前記壁や物の壁面などに吸着保持することができる
【００３２】
請求項３０に記載の発明は
請求項２８から請求項２９に記載のいずれかの傘袋において傘の袋の一部に設けた
吸着部を、付け外し自在な吸着部にしたことを特徴とする吸着式の傘袋である。
これにより傘を入れた傘袋の吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持でき、また傘袋から
磁石部を外すことで濡れた傘袋を絞って水分を脱水することができる
【００３３】
請求項３１に記載の発明は
傘袋の一部に吸着部を設け磁力により吸着が可能な素材でできた壁や物の
壁面に前記吸着部を吸着させることで、前記吸着部のみの吸着力で、前記傘を地面から
浮かせた状態で前記壁や物の壁面などに吸着保持できることを特徴とする
吸着式の傘袋である。
これにより傘を入れた傘袋を壁にしっかりと吸着保持することができ、壁に吸着させて
収納することができる
【００３４】
請求項３２に記載の発明は
傘の手元の一部の側面に吸着部を備え、前記手元と付け外し自在で
傘の手元から取り外して傘の石突きに装着することで傘立てとしても使用できる
フック部を前記手元の一部に設けたことを
特徴とする自立も可能な吸着式の傘である。
これにより傘の手元の一部に設けた、付け外し自在な
フック部の吸着部を磁力により吸着が可能な素材でできた壁や物の壁面に吸着させる
ことで、前記吸着部のみの吸着力で、前記傘を地面から浮かせた状態で
前記壁や物の壁面などに吸着保持できる
また前記傘の手元から、付け外し自在なフック部を、取り外し、
前記傘の石突きに、前記付け外し自在なフック部を装着することで
前記傘を自立させることができる
【００３５】
請求項３３に記載の発明は
傘の手元の一部の側面に平らな吸着部を備え、前記手元と付け外し自在で
傘の手元から取り外して傘の石突きに装着することで
傘立てとしても使用できるフック部を前記手元の一部に設け
さらに前記フック部の一部に傘の石突きを装着し保持するための穴を設けたことを
特徴とする自立も可能な吸着式の傘である。
これにより傘の手元の一部に設けた、付け外し自在なフック部の吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
また前記傘の手元から、付け外し自在なフック部を、取り外し、
前記傘の石突きに、前記付け外し自在なフック部に設けた穴に前記傘の
石突きを装着することで前記傘を自立させることができる
【００３６】
請求項３４に記載の発明は
傘の手元の一部の側面に平らな吸着部を備え、前記手元と付け外し自在で
傘の手元から取り外して傘の石突きに装着することで
傘立てとしても使用できるフック部を前記手元の一部に設け
さらに、傘立てとして前記フック部を使用時に、傘立ての支脚の一部として
も使用できる回動自在な支脚部を前記フック部の一部に設けたこと
を特徴とする自立も可能な吸着式の傘である。
これにより傘の手元の一部に設けた、付け外し自在なフック部の吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
また前記傘の手元から、付け外し自在なフック部を、取り外し、
回動自在な支脚部を回動し前記傘の石突きを、付け外し自在なフック部に装着することで
前記傘を自立させることができる
【００３７】
請求項３５に記載の発明は
傘の手元の一部の側面に平らな吸着部を備え、前記手元と付け外し自在で
前記傘の手元から取り外して傘の石突きに装着することで
傘立てとしても使用できるフック部を前記手元の一部に設け
さらに、傘立てとして前記フック部を使用時に、傘立ての支脚の一部として
も使用できる回動自在な支脚部を前記フック部の一部に設け
さらに前記フック部の一部に傘の石突きを装着し保持するための穴を設けたことを
特徴とする自立も可能な吸着式の傘である。
これにより傘の手元の一部に設けた、付け外し自在なフック部の吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
また前記傘の手元から、付け外し自在なフック部を、取り外し、回動自在な支脚部を回動し
前記傘の石突きを、付け外し自在なフック部に設けた穴に装着することで
前記傘を自立させることができる
【００３８】
請求項３６に記載の発明は
傘の手元の一部に吸着部を備え、前記手元と付け外し自在で
前記傘の手元から取り外して、傘の石突きに装着することで
傘立てとしても使用できる手元を、前記手元の一部に設け
さらに傘立てとして前記手元を使用時に、傘立ての支脚としても使用できる
支脚部を、前記傘立てとしても使用できる手元の一部に設け
さらに傘立てにもなる前記手元の一部に、前記傘の石突きを
挿着し保持するための穴を設けたことを特徴とする自立も可能な吸着式の傘である。
これにより傘の手元の一部に設けた、付け外し自在な手元の吸着部を
磁力により吸着が可能な素材でできた壁や物の壁面に吸着させる
ことで、前記吸着部のみの吸着力で、前記傘を地面から浮かせた状態で
前記壁や物の壁面などに吸着保持できる
また前記傘の手元から、付け外し自在な手元を、取り外し、前記傘の石突きを、
付け外し自在な手元に設けた穴に装着することで前記傘を自立させることができる
【００３９】
請求項３７に記載の発明は
請求項３２から請求項３６に記載のいずれかの自立も可能な吸着式の傘において
手元の一部にフック部と接続するための
接続部を設け、さらに前記フック部にも前記手元の接続部への接続と脱着が自在となる
接続部を設けたことを特徴とする自立も可能な吸着式の傘である。
これにより手元とフック部の脱着が自在になり、傘を壁に吸着させておきたい時は、手元に
フックを装着したまま、フック部に備えた吸着部の吸着力により壁などへ吸着させ、
また傘を自立させておきたい時は、傘の手元から、フック部を引っ張ることで
係合している凹凸部が外れ、手元から取り外したフック部に前記傘の石突きを
装着することで傘を自立させておくことができる
【００４０】
請求項３８に記載の発明は
請求項３２から請求項３６に記載のいずれかの自立も可能な吸着式の傘において
手元の一部にフック部と吸着して接続する吸着接続部を設け
さらに前記フック部にも前記手元の吸着接続部への吸着により脱着が自在となる
吸着接続部を前記フック部にも設けたことを特徴と自立も可能な吸着式の傘である。
これにより手元とフック部の脱着が自在になり、傘を壁に吸着させておきたい時は、手元に
フックを装着したまま、フック部に備えた吸着部の吸着力により壁などへ吸着させ、
また傘を自立させておきたい時は、傘の手元から、フック部を引っ張ることで
吸着接続部が外れ、手元から取り外したフック部に前記傘の石突きを
装着することで傘を自立させておくことができる
【００４１】
請求項３９に記載の発明は
請求項１から請求項１７に記載のいずれかの吸着式の傘において
吸着式の傘に、長傘と折り畳み傘を含むことを特徴とする吸着式の傘である。
これにより長傘であっても折り畳み傘であっても、傘を壁にしっかりと吸着保持
することができる
【００４２】
請求項４０に記載の発明は
請求項３２から請求項３８に記載のいずれかの自立も可能な吸着式の傘において
自立も可能な吸着式の傘に長傘と折りたたみ傘を含むことを特徴とする
自立も可能な吸着式の傘である。
これにより長傘であっても折り畳み傘であっても、傘を壁にしっかりと吸着保持
することができまた使わない時は、長傘であっても折り畳み傘であっても
自立させておくこともすることができる
【００４３】
請求項４１に記載の発明は
請求項１から請求項１７及び請求項３９に記載のいずれかの吸着式の傘において
吸着式の傘の一部に設けた吸着部を磁石としたことを特徴とする吸着式の傘である。
これにより磁力により吸着が可能な素材でできた壁や物の壁面に吸着させることで
傘の手元の一部に設けた磁石部を吸着することで、壁にしっかりと吸着保持する
ことができる
【００４４】
請求項４２に記載の発明は
請求項３２から請求項３８及び請求項４０に記載のいずれかの自立も可能な吸着式の傘
において自立も可能な吸着式の傘の一部に設けた吸着部を磁石としたことを特徴とする
自立も可能な吸着式の傘である。
これにより磁力により吸着が可能な素材でできた壁や物の壁面に吸着させることで
傘の手元の一部に設けた磁石部を吸着することで、壁にしっかりと吸着保持することが
できる
【００４５】
請求項４３に記載の発明は
傘（１）の手元（３）の一部に磁石部（２）を備えた、吸着板（５）
を設けたことを特徴とする吸着式の傘である。
これにより前記傘（１）の手元（３）に設けた吸着板（５）を
磁力により吸着が可能な素材でできた壁や物の壁面に吸着させる
ことで、前記吸着板（５）に備えた磁石部（２）のみの吸着力で、
前記傘を地面から浮かせた状態で前記壁や物の壁面などに吸着保持することができる
【００４６】
請求項４４に記載の発明は
傘（１）の手元（３）の一部に磁石部（２）を備えた吸着板（５）を設け
磁力により吸着可能な素材でできた壁（４）などに前記吸着板（５）
の磁石部（２）を吸着させることで前記磁石部（２）のみの吸着力で、前記傘（１）を
地面から浮かせた状態で、前記素材で作られた壁（４）などに吸着保持できることを
特徴とする吸着式の傘である。
これにより傘（１）を壁にしっかりと吸着させて、壁に収納しておくことができる
【００４７】
請求項４５に記載の発明は
傘（６）の手元（８）の一部に磁石部（７）を備えた回動自在な吸着板（９）を
設けたことを特徴とする吸着式の傘である。
これにより前記傘（６）の手元（８）に設けた回動自在な吸着板（９）を
磁力により吸着が可能な素材でできた壁や物の壁面に吸着させる
ことで、前記回動自在な吸着板（９）に備えた磁石部（７）のみの吸着力で、前記傘を
地面から浮かせた状態で前記壁や物の壁面などに吸着保持できるまた、吸着板（９）が
回動自在なため傘（６）が濡れている場合は、傘（６）の吸着板（９）の回動部（１４）が
回動することで、傘（６）を開けた状態で吸着させることができ、傘を地面に
置くことなく乾かすことができる
【００４８】
請求項４６に記載の発明は
傘（６）の手元（８）の一部に磁石部（７）を備えた回動自在な吸着板（９）を
設け磁力により吸着可能な素材でできた壁（１１）などに前記回動自在な吸着板（９）
の磁石部（７）を吸着させることで、前記磁石部（７）のみの吸着力で、前記傘（６）
を地面から浮かせた状態で、前記素材で作られた壁（１１）などに、吸着保持できることを
特徴とする吸着式の傘である。
これにより傘（６）をしっかりと壁に吸着することで、壁に収納しておくことができる
また、吸着板が回動自在なため傘（６）が濡れている場合は、傘（６）の吸着板（９）の
回動部（１４）が回動することで、傘（６）を開けた状態で吸着させることができ、
傘（６）を地面に置くことなく乾かすことができる
【００４９】
請求項４７に記載の発明は
傘（１５）の手元（１９）の一部に磁石部（２０）を備えたフタ（２２）を設けたことを
特徴とする吸着式の傘である。
これにより前記傘（１５）の手元（１９）に設けたフタ（２２）の磁石部（２０）を
磁力により吸着が可能な素材でできた壁や物の壁面に吸着させることで、前記フタ（２２）
の磁石部（２０）のみの吸着力で、前記傘（１５）を地面から浮かせた状態で
前記壁や物の壁面などに吸着保持することができる
【００５０】
請求項４８に記載の発明は
傘（１５）の手元（１９）の一部に磁石部（２０）を備え前記手元（１９）の一部と
繋ぐがったまま脱着自在なフタ（２２）を設けたことを特徴とする吸着式の傘である。
これにより前記傘（１５）の手元（１９）に設けた、フタ（２２）の磁石部（２０）を
磁力により吸着が可能な素材でできた壁や物の壁面に吸着させることで、
前記フタ（２２）の磁石部（２０）のみの吸着力で、前記傘（１５）を
地面から浮かせた状態で前記壁や物の壁面などに吸着保持でき
又、傘（１５）が濡れている場合は、傘（１５）の手元（１９）の一部
に設けた、手元（１９）と繋ぐがったまま脱着自在なフタ（２２）の磁石部（２０）を
前記素材の壁などに吸着させることで
フタ（２２）と傘（１５）が自由な角度で繋ぐがっているため、傘（１５）を
開けた状態で前記素材の壁などに吸着さえることができ
傘（１５）を地面に置くことなく乾かすことができる
【００５１】
請求項４９に記載の発明は
傘（１５）の手元（１９）の一部に磁石部（２０）を備え前記手元（１９）の一部と
繋ぐがったまま脱着自在なフタ（２２）を設け
さらに手元（１９）の一部に凹凸部（２３）を設け、フタ（２２）の一部に凹凸部
（２１）を設け磁力により吸着可能な素材で作られた壁（６２）などに前記脱着自在な
フタ（２２）の磁石部（２０）を吸着させることで、前記磁石部（２０）のみの吸着力で
前記傘（１５）を地面から浮かせた状態で前記素材で作られた壁（６２）などに
吸着保持できることを特徴とする吸着式の傘である。
これにより傘（１５）を壁にしっかりと吸着させることができ、壁に吸着させて
収納しておくことができる
また傘（１５）の手元（１９）の一部に設けた凹凸部（２３）とフタ（２２）の一部に
設けた凹凸部（２１）を押しはめることで、フタ（２２）を傘（１５）の手元（１９）に
装着しておくことができる
【００５２】
請求項５０に記載の発明は
傘の手元の一部に磁石部を備え前記手元の一部と
繋ぐがったまま脱着自在なフタを設け
さらに手元の一部に凹凸部を設け、さらにフタの一部にも、手元に設けた凹凸部と
係合する凹凸部を設け磁力により吸着可能な素材で作られた壁などに前記脱着自在
なフタの磁石部を吸着させることで、前記傘の手元の一部に設けたフタの磁石部のみの
吸着力で前記傘を地面から浮かせた状態で
前記素材で作られた壁などに吸着保持できることを特徴とする吸着式の傘である。
これにより傘を壁にしっかりと吸着させることができ、壁に吸着させて収納して
おくことができる。また傘の手元の一部に設けた凹凸部と、前記手元の凹凸部と係合する
フタの凹凸部を押しはめることで、フタを傘の手元に装着しておくことができる
【００５３】
請求項５１に記載の発明は
傘（２６）の手元（２７）の一部に磁石部（３０）を備え前記手元（２７）の一部と
繋ぐがったまま脱着自在なフタ（３１）を設けさらに手元（２７）の一部にネジ部（２８）
を設け、フタ（３１）の一部にネジ部（２９）を設け、磁力により吸着可能な素材で
作られた壁（６３）などに前記脱着自在なフタ（３１）の磁石部（３０）を吸着させ
ることで、前記磁石部（３０）のみの吸着力で前記傘（２６）を地面から浮かせた状態で
前記素材で作られた壁（６３）などに吸着保持でき
前記壁などに傘（２６）を吸着させない時はフタ（３１）を手元（２７）に回しはめる
ことで手元（２７）のネジ部（２８）とフタ（３１）のネジ部（２９）が係合し
フタ（３１）を手元（２７）に収納しておくことができ
ることを特徴とする吸着式の傘である。
これにより傘（２６）を壁にしっかりと吸着させることができ、壁に吸着させて
収納しておくことができる
【００５４】
請求項５２に記載の発明は
傘の手元の一部に磁石部を備え前記手元の一部と
繋ぐがったまま脱着自在なフタを設け
さらに手元の一部にネジ部を設け、さらに前記手元に設けたネジ部と装着可能な
ネジ部をフタの一部に設け
磁力により吸着可能な素材で作られた壁などに前記脱着自在なフタの磁石部を吸着させ
ることで、前記傘の手元の一部に設けたフタの磁石部のみの吸着力で前記傘を
地面から浮かせた状態で、前記素材で作られた壁などに吸着保持できる、又
前記壁などに前記傘を吸着させない時は前記傘の手元の一部に設けたフタを手元に
回しはめることで手元のネジ部とフタのネジ部が係合し
前記傘の手元に設けたフタを手元に収納しておくことができ
ることを特徴とする吸着式の傘である。
これにより傘を壁にしっかりと吸着させることができ、壁に吸着させて収納して
おくことができる
【００５５】
請求項５３に記載の発明は
傘（３６）の手元（３７）の一部に磁石部（４３）を備え前記手元（３７）の一部と
繋ぐがったまま脱着自在なフタ（４４）を設け
さらに手元（３７）の一部にフック（３９）を設け、手元（３７）のフック（３９）に
係合する溝（３８）をフタ（４４）の一部に設け磁力により吸着可能な素材で作られた
壁（６４）などに前記脱着自在なフタ（４４）の磁石部（４３）を吸着させ
ることで、前記磁石部（４３）のみの吸着力で前記傘（３６）を地面から浮かせた状態で
前記素材で作られた壁（６４）などに吸着保持できることを特徴とする吸着式の傘である。
これにより傘（３６）を壁にしっかりと吸着させることができ、壁に吸着させて
収納しておくことができる
また傘（３６）の手元（３７）の一部に設けたフック（３９）とフタ（４４）の一部に
設けた溝（３８）をはめることで、フタ（４４）を傘（３６）の手元（３７）に
装着しておくことができる
【００５６】
請求項５４に記載の発明は
傘の手元の一部に磁石部を備え、前記手元の一部と繋ぐがったまま脱着自在なフタを設け
さらに手元の一部にフックを設け、手元のフックに係合する溝をフタの一部に設け
磁力により吸着可能な素材で作られた壁などに前記脱着自在なフタの磁石部を吸着させ
ることで、前記フタの磁石部のみの吸着力で前記傘を地面から浮かせた状態で
前記素材で作られた壁などに吸着保持できることを特徴とする吸着式の傘である。
これにより傘を壁にしっかりと吸着させることができ、壁に吸着させて
収納しておくことができる。また傘の手元の一部に設けたフックとフタの一部に
設けた溝をはめることで、フタを傘の手元に装着しておくことができる
【００５７】
請求項５５に記載の発明は
傘（５４）の手元（５３）の一部に、前記手元（５３）に収納自在で前記手元（５３）から
スライドにより、外側へ迫り出す、前記磁石部（５２）を備えた吸着側の手元（５１）を
設けたことを特徴とする吸着式の傘である。
これにより傘（５４）の手元（５３）からスライドさせた磁石部（５２）を
磁力により吸着が可能な素材でできた壁や物の壁面に吸着させる
ことで、前記磁石部（５２）のみの吸着力で、前記傘（５４）を地面から浮かせた状態で
前記壁や物の壁面などに吸着保持することができる
【００５８】
請求項５６に記載の発明は
傘（５４）の手元（５３）の一部に、前記手元（５３）に収納自在で前記手元（５３）から
スライドにより、外側へ迫り出す、磁石部（５２）を備えた吸着側の手元（５１）を設け
磁力により吸着可能な素材でできた壁（６１）などに、前記手元（５３）から迫り出させた
吸着側の手元（５１）の前記磁石部（５２）を吸着させることで、前記磁石部（５２）
のみの吸着力で、前記傘（５４）を地面から浮かせた状態で、前記素材で作られた壁（６１）
などに、吸着保持できることを特徴とする吸着式の傘である。
これにより傘（５４）をしっかりと壁に吸着保持させて収納しておくことができる
【００５９】
請求項５７に記載の発明は
傘（７１）の手元（７２）の一部に、磁石部（７６）を備えた回動自在な手元（７７）を
設け、前記回動自在な手元（７７）を回動させて、前記磁石部（７６）を外側に向け、
磁力により吸着できる素材で作られた壁（８２）などに
外側に向けた前記回動自在な手元（７７）の磁石部（７６）を吸着させることで
前記磁石部（７６）のみの吸着力で前記傘（７１）を地面から浮かせた状態で
前記壁（８２）などに吸着保持できることを特徴とする吸着式の傘である。
これにより傘（７１）の手元（７２）から回動自在な手元（７７）を回動し、
回動自在な手元（７７）の磁石部（７６）を
磁力により吸着が可能な素材でできた壁や物の壁面に吸着させる
ことで、前記磁石部（７６）のみの吸着力で、前記傘（７１）を地面から浮かせた状態で
前記壁や物の壁面などに吸着保持できる
【００６０】
請求項５８に記載の発明は
傘（９１）の手元（９２）の一部に、磁石部（９５）を備えた回動自在な手元（９７）を
設け、前記回動自在な手元（９７）を回動させて、前記磁石部（９５）を外側に向け、
磁力により吸着できる素材で作られた壁（１００）などに
外側に向けた前記回動自在な手元（９７）の磁石部（９５）を吸着させることで
前記磁石部（９５）のみの
吸着力で前記傘（９１）を地面から浮かせた状態で前記壁（１００）などに
吸着保持できることを特徴とする吸着式の傘である。
これにより傘（９１）の手元（９２）から回動自在な手元（９７）を回動し、
回動自在な手元（９７）の磁石部（９５）を
磁力により吸着が可能な素材でできた壁や物の壁面に吸着させる
ことで、前記磁石部（９５）のみの吸着力で、前記傘を地面から浮かせた状態で
前記壁や物の壁面などに吸着保持できる
【００６１】
請求項５９に記載の発明は
傘（１６２）のシャフト（１６０）又は、手元（１６１）に挟んで装着し、
壁（１６３）などに吸着させることで傘（１６２）を吸着保持させる傘吸着具（１４１）に
磁力の力で吸着する磁石部（１４３）を備えた吸着部（１４４）を傘吸着具（１４１）
の一部に設け、さらに傘吸着具（１４１）の一部に
バネ（１５９）及びバネ（１５９）に連動して動く挟持部（１５２）を
設け、さらに挟持部（１５２）の一部が交差して挟持できることを特徴とする傘吸着具
である。
これにより傘（１６２）の手元（１６１）又はシャフト（１６０）を傘吸着具（１４１）
の挟持部（１５２）で挟んで装着し、
傘吸着具（１４１）の一部に設けた吸着部（１４４）に備えた磁石部（１４３）を
磁力により吸着が可能な素材でできた壁や物の壁面に吸着させる
ことで、前記傘吸着具に設けた吸着部（１４４）に備えた磁石部（１４３）のみの
吸着力で、前記傘（１６２）を地面から浮かせた状態で
前記壁や物の壁面などに吸着保持できる
また、傘吸着具（１４１）の挟持部（１５２）が交差して挟持できることで、
さまざまな太さの手元やシャフトを挟持することができる
【００６２】
請求項６０に記載の発明は
傘（１８８）の手元（１８９）又はシャフト（１９０）に挟んで装着し壁（１８５）などに
吸着させることで傘（１８８）を吸着保持させる傘吸着具（１８７）に
磁力の力で吸着する磁石部（１７８）を備えた吸着部（１８２）を傘吸着具（１８７）
の一部に設け、さらに傘吸着具（１８７）の一部に
バネ（１７４）及びバネ（１７４）に連動して動く挟持部（１７９）を
設けたことを特徴とする傘吸着具である。
これにより傘（１８８）の手元（１８９）又はシャフト（１９０）を傘吸着具（１８７）
の挟持部（１７９）で挟んで装着し、
傘吸着具（１８７）の一部に設けた吸着部（１８２）に備えた磁石部（１７８）を
磁力により吸着が可能な素材でできた壁や物の壁面に吸着させる
ことで、前記傘吸着具（１８７）に設けた吸着部（１８２）に
備えた磁石部（１７８）のみの吸着力で、前記傘（１８８）を地面から浮かせた状態で
前記壁や物の壁面などに吸着保持することができる
【００６３】
請求項６１に記載の発明は
請求項５９から請求項６０に記載のいずれかの傘吸着具において
傘吸着具の一部に回動部を設け、回動自在な吸着部としたことを特徴とする
傘吸着具である。
これにより傘が濡れている場合は、傘吸着具の一部に設けた回動自在な吸着部により
吸着部が回動することで、自由な角度で吸着ができるため、傘を開けた状態で
吸着させることができ、傘を地面に置くことなく乾かすことができる
【００６４】
請求項６２に記載の発明は
傘（１１１）の手元（１１２）の一部に磁石部（１１３）を設け、傘（１１１）の
シャフト（１１４）の一部に曲がった部分（１１０）を設けたことを特徴とする吸着式の傘
である。
これにより傘（１１１）の手元（１１２）の一部に設けた磁石部（１１３）を
磁力により吸着が可能な素材でできた壁や物の壁面に吸着させる
ことで、前記磁石部（１１３）のみの吸着力で、前記傘を地面から浮かせた状態で
前記壁や物の壁面などに吸着保持できる
【００６５】
請求項６３に記載の発明は
傘（１１１）の手元（１１２）の一部に磁石部（１１３）を設け
前記傘（１１１）のシャフト（１１４）の一部に曲がった部分（１１０）をもうける
前記シャフト（１１４）の曲がった部分（１１０）により
傘（１１１）を閉じて布（１１６）の部分を紐で締めた時に
前記傘（１１１）の布（１１６）の部分より、前記手元（１１２）の一部と
前記手元（１１２）の磁石部（１１３）が外側にくることを特徴とする吸着式の傘である。
これにより傘（１１１）の手元（１１２）の一部に設けた磁石部（１１３）を
磁力により吸着が可能な素材でできた壁や物の壁面に吸着させる
ことで、前記磁石部（１１３）のみの吸着力で、前記傘を地面から浮かせた状態で
前記壁や物の壁面などに吸着保持できる
【００６６】
請求項６４に記載の発明は
傘（１２１）の収納ケース（１２２）の一部に磁石部（１２４）を備えた
吸着面（１２３）を設けたことを特徴とする
吸着式の傘ケースである。
これにより傘（１２１）の収納ケース（１２２）の一部に
設けた磁石部（１２４）を
磁力により吸着が可能な素材でできた壁や物の壁面に吸着させる
ことで、前記磁石部（１２４）のみの吸着力で、前記傘を地面から浮かせた状態で
前記壁や物の壁面などに吸着保持
することができる
【００６７】
請求項６５に記載の発明は
傘（１２１）の収納ケース（１２２）の一部に磁石部（１２４）を備えた
吸着面（１２３）を設け磁力により吸着が可能な素材でできた壁（１３０）や
物の壁面に前記吸着面（１２３）を
吸着させることで、前記吸着面（１２３）に備えた磁石部（１２４）
のみの吸着力で、前記傘（１２１）を地面から
浮かせた状態で前記壁や
物の壁面などに吸着保持できることを特徴とする吸着式の傘ケースである。
これにより傘（１２１）を壁にしっかりと吸着させて、壁に収納しておくことができる
【００６８】
請求項６６に記載の発明は
傘（２００）の手元（２０２）の一部に曲がった部分（２０４）を設け
さらに前記手元（２０２）の一部に磁石部（２０１）を設けたことを特等とする吸着式の傘
である。
これにより傘（２００）の手元（２０２）の一部に設けた磁石部（２０１）を
磁力により吸着が可能な素材でできた壁や物の壁面に吸着させる
ことで、前記磁石部（２０１）のみの吸着力で、前記傘を地面から浮かせた状態で
前記壁や物の壁面などに吸着保持できる
【００６９】
請求項６７に記載の発明は
傘（２００）の手元（２０２）の一部に曲がった部分（２０４）を設け
さらに前記手元（２０２）の一部に磁石部（２０１）を設ける
前記手元（２０２）の曲がった部分（２０４）により
前記傘（２００）を閉じて布（１９８）の部分を紐で締めた時に
前記傘（２００）の布（１９８）の部分よりも前記手元（２０２）の一部と
前記手元（２０２）に設けた磁石部（２０１）が
外側にくることを特徴とする吸着式の傘である。
これにより傘（２００）の手元（２０２）の一部に設けた磁石部（２０１）を
磁力により吸着が可能な素材でできた壁や物の壁面に吸着させる
ことで、前記磁石部（２０１）のみの吸着力で、前記傘を地面から浮かせた状態で
前記壁や物の壁面などに吸着保持することができる
【００７０】
請求項６８に記載の発明は
傘（２００）の手元（２０２）の一部に曲がった部分（２０４）を設け
さらに前記手元（２０２）の一部に磁石部（２０１）を設ける
前記手元（２０２）の曲がった部分（２０４）により
前記傘（２００）を閉じて布（１９８）の部分を紐で締めた時に
前記傘（２００）の布（１９８）の部分よりも
前記手元（２０２）に設けた磁石部（２０１）が
外側にくることを特徴とする吸着式の傘
である。これにより
傘（２００）の手元（２０２）の一部に設けた磁石部（２０１）を
磁力により吸着が可能な素材でできた壁や物の壁面に吸着させる
ことで、前記磁石部（２０１）のみの吸着力で、前記傘を地面から浮かせた状態で
前記壁や物の壁面などに吸着保持
することができる
【００７１】
請求項６９に記載の発明は
請求項６７から請求項６８に記載のいずれかの吸着式の傘において
吸着式の傘（２００）の手元（２０２）の一部に設けた磁石部（２０１）を
磁力により吸着が可能な素材でできた壁や物の壁面などに吸着させることで
前記磁石部（２０１）のみの吸着力で
傘（２０２）を地面から浮かせた状態で前記素材の壁などに吸着保持できる
ことを特徴とする吸着式の傘である。
これにより傘（２００）を壁にしっかりと吸着保持でき、壁に収納しておくことができる
【００７２】
請求項７０に記載の発明は
傘袋（２１４）の一部に磁石部（２１１）を設けたことを特徴とする吸着式の傘袋
である。
これにより傘（２１０）を入れた傘袋（２１４）の吸着部（２１１）を
磁力により吸着が可能な素材でできた壁や物の壁面に吸着させる
ことで、前記傘袋（２１４）の吸着部（２１１）に備えた
磁石部（２１１）のみの吸着力で、前記傘を地面から浮かせた状態で
前記壁や物の壁面などに吸着保持できる
【００７３】
請求項７１に記載の発明は
傘袋（２１４）の一部に磁石部（２１１）を備えた吸着面（２０９）を設け
磁力により吸着が可能な素材でできた壁や物の壁面に前記吸着部を吸着させる
ことで、前記吸着面（２０９）に備えた磁石部（２１１）のみの吸着力で、
傘（２１０）を収納している前記傘袋（２１４）を地面から浮かせた状態で
前記壁や物の壁面などに吸着保持できることを特徴とする吸着式の傘袋
である。
これにより傘（２１０）を入れた傘袋（２１４）を壁にしっかりと吸着保持
させて壁に収納しておくことができる
【００７４】
請求項７２に記載の発明は
傘（２２２）のシャフト（２２６）の一部に磁石部（２２５）を
備えた吸着板（２３１）を設けたことを特徴とする吸着式の傘である。
これにより傘（２２２）のシャフト（２２６）の一部に設けた吸着板（２３１）の
磁石部（２２５）を磁力により吸着が可能な素材でできた壁や物の壁面に吸着させる
ことで、前記磁石部（２２５）のみの吸着力で、前記傘（２２２）を
地面から浮かせた状態で前記壁や物の壁面などに吸着保持できる
【００７５】
請求項７３に記載の発明は
傘（２２２）のシャフト（２２６）の一部に磁石部（２２５）を
備えた吸着板（２３１）を設け
傘（２２２）のシャフト（２２６）の一部に設けた吸着板（２３１）を磁力により
吸着可能な素材で作られた壁などに
吸着させることで、前記傘（２２２）の吸着板（２３１）に備えた磁石部（２２５）
のみの吸着力で、前記傘（２２２）を地面から浮かせ
た状態で前記壁などに吸着保持できることを特徴とする吸着式の傘である。
これにより傘（２２２）を壁にしっかりと吸着保持させて、壁に収納しておくことができる
【００７６】
請求項７４に記載の発明は
傘（２４１）のシャフト（２５１）の一部に磁石部（２４２）を
備えた回動自在な吸着板（２４４）
を設けたことを特徴とする吸着式の傘
である。これにより
傘（２４１）のシャフト（２５１）の一部に設けた回動自在な吸着板（２４４）の
磁石部（２４２）を磁力により吸着が可能な素材でできた壁や物の壁面に吸着させる
ことで、前記磁石部（２４２）のみの吸着力で、前記傘（２４１）を
地面から浮かせた状態で前記壁や物の壁面などに吸着保持できる。
また傘（２４１）が濡れている場合は、傘（２４１）
のシャフト（２５１）の一部に設けた吸着板（２４４）の回動部（２４９）が
回動することで、傘を開けた状態で
吸着させることができ、傘を地面に置くことなく乾かすことができる
【００７７】
請求項７５に記載の発明は
傘（２４１）のシャフト（２５１）の一部に磁石部（２４２）を
備えた回動自在な吸着板（２４４）を設け、磁力により吸着可能な素材で作られた壁などに、
前記回動自在な吸着板（２４４）の磁石部（２４２）を
吸着させることで前記磁石部（２４２）のみの吸着力で、前記傘（２４１）を地面から
浮かせた状態で、前記素材でできた壁などに、吸着保持できることを特徴とする吸着式の傘
である。
これにより傘（２４１）を壁にしっかりと回動自在に吸着保持して
壁に収納しておくことができる
【００７８】
請求項７６に記載の発明は
傘（２６６）の手元（２６５）の一部に磁石部（２６８）と吸盤部（２６０）を
備え、前記手元（２６５）と繋ぐがったまま付け外し自在なフタ（２６２）を
設けたことを特徴とする吸着式の傘である。
これにより傘（２６６）の手元（２６５）の一部に設けたフタ（２６２）の
磁石部（２６８）を磁力により吸着が可能な素材でできた壁や物の壁面に吸着させる
ことで、前記磁石部（２６８）のみの吸着力で、前記傘を地面から浮かせた状態で
前記壁や物の壁面などに吸着保持できる
また、傘（２６６）の手元（２６５）の一部に設けたフタの吸盤部（２６０）を
壁などに吸着させることで、前記フタの吸盤部（２６０）のみの吸着力で、
前記傘（２６６）を地面から浮かせた状態で壁や物の壁面などに吸着保持
することができる
【００７９】
請求項７７に記載の発明は
傘（２８０）の手元（２８２）のフック部（２８３）に磁石部（２８１）を備えた
平らな側面（２８７）を設けたことを特徴とする吸着式の傘である。
これにより傘（２８０）の手元（２８２）のフック部（２８３）に磁石部（２８１）を
備えた平らな側面（２８７）磁力により吸着が可能な素材でできた壁や物の壁面に
吸着させることで、前記磁石部（２８１）を備えた平らな側面（２８７）のみの吸着力で、
前記傘（２８０）を地面から浮かせた状態で前記壁や物の壁面などに吸着保持できる
【００８０】
請求項７８に記載の発明は
傘（２８０）の手元（２８２）のフック部（２８３）の側面（２８７）に磁石部（２８１）
を設けたことを特徴とする吸着式の傘である。
これにより傘（２８０）の手元（２８２）のフック部（２８３）の側面（２８７）に設けた
磁石部（２８１）を磁力により吸着が可能な素材でできた壁や物の壁面に吸着させる
ことで、前記磁石部（２８１）のみの吸着力で、前記傘を地面から浮かせた状態で
前記壁や物の壁面などに吸着保持できる
【００８１】
請求項７９に記載の発明は
請求項７７から請求項７８に記載のいずれかの吸着式の傘において
吸着式の傘の手元（２８２）のフック部（２８３）に設けた磁石部（２８１）を
磁力により吸着が可能な素材でできた壁や物の壁面に吸着させる
ことで、前記磁石部（２８１）のみの吸着力で、前記傘を地面から浮かせた状態で
前記壁や物の壁面などに吸着保持できることを特徴とする吸着式の傘である。
これにより傘（２８０）を壁にしっかりと吸着保持させて、壁に収納しておくことができる
【００８２】
請求項８０に記載の発明は
傘（２９１）の手元（２９２）の一部に側面（２９３）に平らな磁石部（２９４）を備え
前記手元（２９２）と付け外し自在で、傘（２９１）の手元（２９２）から
取り外して、傘（２９１）の石突き（２９６）に挿着することで
傘立てとしても使用できるフック部（２９５）を手元（２９２）の一部に設け、さらに
前記フック部（２９５）の一部に傘（２９１）の石突き（２９６）を挿着し保持するための
挿着保持部（２９７）を設けたことを特徴とする自立も可能な吸着式の傘である。
これにより傘（２９１）の手元（２９２）の一部に設けた、
側面（２９３）が平らな磁石部（２９４）を備えた、付け外し自在なフック部（２９５）を
磁力により吸着が可能な素材でできた壁や物の壁面に吸着させる
ことで、前記付け外し自在なフック部（２９５）に備えた磁石部（２９４）のみの
吸着力で、前記傘（２９１）を地面から浮かせた状態で
前記壁や物の壁面などに吸着保持できる
また前記傘（２９１）の手元（２９２）から、付け外し自在なフック部（２９５）を
、取り外し、前記傘（２９１）の石突き（２９６）に、
前記付け外し自在なフック部（２９５）に
設けた挿着保持部（２９７）に前記傘（２９１）の
石突き（２９６）を挿着することで前記傘（２９１）を自立させることができる
【００８３】
請求項８１に記載の発明は
傘（２９１）の手元（２９２）の一部に
側面（２９３）に磁石部（２９４）を備え
前記手元（２９２）と付け外し自在で、傘（２９１）の手元（２９２）から
取り外して、傘（２９１）の石突き（２９６）に挿着することで
傘立てとしても使用できるフック部（２９５）を手元（２９２）の一部に
設け、さらに前記フック部（２９５）の一部に
傘（２９１）の石突き（２９６）を挿着し保持するための
挿着保持部（２９７）を設けたことを特徴とする自立も可能な吸着式の傘である。
これにより傘（２９１）の手元（２９２）の一部に設けた、
付け外し自在なフック部（２９５）の磁石部（２９４）を
磁力により吸着が可能な素材でできた壁や物の壁面に吸着させる
ことで、前記フック部（２９５）の磁石部（２９４）のみの吸着力で、
前記傘（２９１）を地面から浮かせた状態で前記壁や物の壁面などに吸着保持できる
また前記傘（２９１）の手元（２９２）から、付け外し自在なフック部（２９５）
を、取り外し、
前記傘（２９１）の石突き（２９６）に、前記付け外し自在なフック部（２９５）に
設けた挿着保持部（２９７）に前記傘（２９１）の
石突き（２９６）を挿着することで前記傘（２９１）を自立させることができる
【００８４】
請求項８２に記載の発明は
請求項８０から請求項８１に記載のいずれかの自立も可能な吸着式の傘において
さらに、手元（２９２）の一部に、フック部（２９５）と接続するための凹凸部（２９８）
を設け、さらにフック部（２９５）の一部に手元（２９２）の凹凸部（２９８）と
係合し、手元（２９２）との脱着が自在となる凹凸部（２９９）を設けたことを特徴とする
自立も可能な吸着式の傘である。
これにより傘（２９１）を自立させたい時は、傘（２９１）の手元（２９２）に
設けた凹凸部（２９８）とフック部（２９５）に設けた凹凸部（２９９）が
係合することにより接続されているフック部（２９５）を
引っ張ることで、傘（２９１）の手元（２９２）からフック部（２９５）を
外すことができる、
取り外したフック部（２９５）の挿着保持部（２９７）に傘（２９１）の石突き（２９６）
を挿着することで、
傘（２９１）を自立させることができ、また傘（２９１）を壁
などに吸着する時は、
フック部（２９５）の凹凸部（２９９）と傘（２９１）の手元（２９２）の
凹凸部（２９８）を押しはめることで、係合し
接続することができ
傘の手元に接続したフック部に備えた磁石部により傘を壁に吸着保持することができる
【００８５】
請求項８３に記載の発明は
請求項８０から請求項８１に記載のいずれかの自立も可能な吸着式の傘において
さらに手元（２９２）の一部にフック部（２９５）と接続するための
ネジ部（４００）を設け、さらにフック部（２９５）の一部
に手元（２９２）のネジ部（４００）と係合し手元（２９２）との
脱着が自在となるネジ部（４０１）を設けたことを特徴とする自立も可能な吸着式の傘
である。
これにより傘（２９１）を自立させたい時は、傘（２９１）の手元（２９２）の
ネジ部（４００）とフック部（２９５）のネジ部（４０１）を回してはめることで
接続されているフック部（２９５）を回し外すことで傘（２９１）の手元（２９２）から
フック部（２９５）を外すことができる、取り外したフック部（２９５）の
挿着保持部（２９７）に傘（２９１）の石突き（２９６）を挿着することで、
傘（２９１）を自立させることができ、また傘（２９１）を壁などに吸着する時は、
フック部（２９５）のネジ部（４０１）と傘（２９１）の手元（２９２）
のネジ部（４００）を回してはめることで、接続することができ
傘の手元に接続したフック部に備えた磁石部により傘を壁に吸着保持することができる
【００８６】
請求項８４に記載の発明は
請求項８０から請求項８１に記載のいずれかの自立も可能な吸着式の傘において
さらに手元（２９２）の一部にフック部（２９５）との接続するための
磁石部（４０２）を設け、さらにフック部（２９５）の一部に
手元（２９２）の磁石部（４０２）と吸着し手元（２９２）との
脱着が自在となる磁石部（４０３）を設けたことを特徴とする
自立も可能な吸着式の傘である。
これにより傘（２９１）を自立させたい時は、傘（２９１）の手元（２９２）の
磁石部（４０２）とフック部（２９５）に設けた磁石部（４０３）が吸着することで
接続されているフック部（２９５）を引っ張ることで、傘（２９１）の
手元（２９２）からフック部（２９５）を外すことができる、
取り外したフック部（２９５）の挿着保持部（２９７）に傘（２９１）の
石突き（２９２）を装着することで、
傘（２９１）を自立させることができ、また傘（２９１）を壁などに吸着する時は、
フック部（２９５）の磁石部（４０３）と傘（２９１）の
手元（２９２）の磁石部（４０２）が吸着することで、
フック部（２９５）と手元（２９２）が接続することができ
傘（２９１）の手元（２９２）に接続したフック部（２９５）に備えた
磁石部（２９４）により傘（２９１）を壁に吸着保持することができる
【００８７】
請求項８５に記載の発明は
請求項８０から請求項８４に記載のいずれかの自立も可能な吸着式の傘において
自立も可能な吸着式の傘（２９１）の手元（２９２）一部に設けた磁石部（２９４）を
磁力により吸着が可能な素材でできた壁や物の壁面に吸着させる
ことで、前記磁石部（２９４）のみの吸着力で、前記傘を地面から浮かせた状態で
前記壁や物の壁面などに吸着保持できることを特徴とする自立も可能な吸着式の傘
である。これにより
傘（２９１）を壁にしっかりと吸着保持でき、壁に収納しておくことができる
【００８８】
請求項８６に記載の発明は
傘（３０１）の手元（３０２）の一部に
側面（３０３）に平らな磁石部（３０４）
を備え、前記手元（３０２）と付け外し自在で傘（３０１）の手元（３０２）から
取り外して、傘（３０１）の石突き（３０６）に挿着することで
傘立てとしても使用できるフック部（３０５）を手元（３０２）の一部に
設け、さらに前記フック部（３０５）の一部に傘（３０１）の石突き（３０６）を挿着し
保持するための挿着保持部（３０７）を設け、さらに前記フック部（３０５）の一部に
前記フック部（３０５）を傘立てとして使用する際に傘立ての支脚の一部としても
使用できる回動自在な支脚部（３０８）を設けたことを特徴とする
自立も可能な吸着式の傘である。
これにより傘（３０１）の手元（３０２）の一部に設けた、
側面（３０３）が平らな磁石部（３０４）を備えた、付け外し自在なフック部（３０５）を
磁力により吸着が可能な素材でできた壁や物の壁面に吸着させる
ことで、前記付け外し自在なフック部（３０５）に備えた磁石部（３０４）のみの
吸着力で、前記傘（３０１）を地面から浮かせた状態で前記壁や物の
壁面などに吸着保持できるまた前記傘（３０１）の手元（３０２）から、
付け外し自在なフック部（３０５）を、取り外し、
付け外し自在なフック部（３０５）の回動自在な支脚部（３０８）を回動し
前記傘（３０１）の石突き（３０６）に、前記付け外し自在なフック部（３０５）に
設けた挿着保持部（３０７）に前記傘（３０１）の
石突き（３０６）を挿着することで前記傘（３０１）を自立させることができる
【００８９】
請求項８７に記載の発明は
傘（３０１）の手元（３０２）の一部に側面（３０３）に磁石部（３０４）
を備え、前記手元（３０２）と付け外し自在で傘（３０１）の手元（３０２）から
取り外して、傘（３０１）の石突き（３０６）に挿着することで
傘立てとしても使用できるフック部（３０５）を手元（３０２）の一部に
設け、さらに前記フック部（３０５）の一部に傘（３０１）の石突き（３０６）を挿着し
保持するための挿着保持部（３０７）を設け、さらに前記フック部（３０５）の一部に
前記フック部（３０５）を傘立てとして使用する際に傘立ての支脚の一部としても
使用できる回動自在な支脚部（３０８）を設けたことを特徴とする自立も可能な吸着式の傘
である。
これにより傘（３０１）の手元（３０２）の一部に設けた、
側面（３０３）が磁石部（３０４）を備えた、付け外し自在なフック部（３０５）を
磁力により吸着が可能な素材でできた壁や物の壁面に吸着させる
ことで、前記付け外し自在なフック部（３０５）に備えた磁石部（３０４）のみの
吸着力で、前記傘（３０１）を地面から浮かせた状態で前記壁や物の壁面などに
吸着保持できるまた前記傘（３０１）の手元（３０２）から、
付け外し自在なフック部（３０５）を、取り外し、
付け外し自在なフック部（３０５）の回動自在な支脚部（３０８）を回動し
前記傘（３０１）の石突き（３０６）に、前記付け外し自在なフック部（３０５）に
設けた挿着保持部（３０７）に前記傘（３０１）の石突き（３０６）を挿着することで
前記傘（３０１）を自立させることができる
【００９０】
請求項８８に記載の発明は
請求項８６から請求項８７に記載のいずれかの自立も可能な吸着式の傘において
さらに、手元（３０２）の一部に、フック部（３０５）と接続するための凹凸部（３０９）
を設け、さらにフック部（３０５）の一部に手元（３０２）の凹凸部（３０９）と
係合し、手元（３０２）との脱着が自在となる凹凸部（３１０）を設けたことを
特徴とする自立も可能な吸着式の傘である。
これにより傘（３０１）を自立させたい時は、傘（３０１）の手元（３０２）に設けた
凹凸部（３０９）とフック部（３０５）に設けた凹凸部（３１０）が係合することにより
接続されているフック部（３０５）を引っ張ることで、傘（３０１）の手元（３０２）
からフック部（３０５）を外すことができる、
取り外したフック部（３０５）の挿着保持部（３０７）に傘（３０１）の石突き（３０６）
を挿着することで、傘（３０１）を自立させることができ、また傘（３０１）を壁
などに吸着する時は、フック部（３０５）の凹凸部（３１０）と傘（３０１）の
手元（３０２）の凹凸部（３０９）を押しはめることで、係合し接続することができ
傘（３０１）の手元（３０２）に接続したフック部（３０５）に備えた磁石部（３０４）に
より傘（３０１）を壁に吸着保持することができる
【００９１】
請求項８９に記載の発明は
請求項８６から請求項８７に記載のいずれかの自立も可能な吸着式の傘において
さらに手元（３０２）の一部にフック部（３０５）と接続するための
ネジ部（４２０）を設け、さらにフック部（３０５）の一部
に手元（３０２）のネジ部（４２０）と係合し手元（３０２）との
脱着が自在となるネジ部（４２１）を設けたことを特徴とする
自立も可能な吸着式の傘である。
これにより傘（３０１）を自立させたい時は、傘（３０１）の手元（３０２）の
ネジ部（４２０）とフック部（３０５）のネジ部（４２１）を回してはめることで
接続されているフック部（３０５）を回し外すことで傘（３０１）の手元（３０２）から
フック部（３０５）を外すことができる、取り外したフック部（３０５）の
挿着保持部（３０７）に傘（３０１）の石突き（３０６）を挿着することで、
傘（３０１）を自立させることができ、また傘（３０１）を壁などに吸着する時は、
フック部（３０５）のネジ部（４２１）と傘（３０１）の手元（３０２）
のネジ部（４２０）を回してはめることで、接続することができ
傘（３０１）の手元（３０２）に接続したフック部（３０５）に備えた
磁石部（３０４）により傘（３０１）を壁に吸着保持することができる
【００９２】
請求項９０に記載の発明は
請求項８６から請求項８７に記載のいずれかの自立も可能な吸着式の傘において
さらに手元（３０２）の一部にフック部（３０５）との接続するための
磁石部（４２２）を設け、さらにフック部（３０５）の一部に
手元（３０２）の磁石部（４２２）と吸着し手元（３０２）との
脱着が自在となる磁石部（４２３）を設けたことを特徴とする
自立も可能な吸着式の傘である。
これにより傘（３０１）を自立させたい時は、傘（３０１）の手元（３０２）の
磁石部（４２２）とフック部（３０５）に設けた磁石部（４２３）が吸着することで
接続されているフック部（３０５）を引っ張ることで、傘（３０１）の
手元（３０２）からフック部（３０５）を外すことができる、
取り外したフック部（３０５）の挿着保持部（３０７）に傘（３０１）の石突き（３０６）
を装着することで、傘（３０１）を自立させることができ、また傘（３０１）を壁
などに吸着する時は、フック部（３０５）の磁石部（４２３）と傘（３０１）の
手元（３０２）の磁石部（４２２）が吸着することで、
フック部（３０５）と手元（３０２）が接続することができ
傘（３０１）の手元（３０２）に接続したフック部（３０５）に備えた
磁石部（３０４）により傘（３０１）を壁に吸着保持することができる
【００９３】
請求項９１に記載の発明は
請求項８６から請求項９０に記載のいずれかの自立も可能な吸着式の傘において
自立も可能な吸着式の傘（３０１）の手元（３０２）一部に設けた磁石部（３０４）を
磁力により吸着が可能な素材でできた壁や物の壁面に吸着させる
ことで、前記磁石部（３０４）のみの吸着力で、前記傘を地面から浮かせた状態で
前記壁や物の壁面などに吸着保持できることを特徴とする自立も可能な吸着式の傘
である。
これにより傘を壁にしっかりと吸着保持させて、壁に収納することができる
【００９４】
請求項９２に記載の発明は
傘（４５２）の手元（４５３）又はシャフト（４５４）に固着して装着し、壁などに
吸着させることで傘（４５２）を吸着保持させる傘吸着具（４６７）に磁力の力で吸着する磁石部（４５６）を備えた吸着部（４５５）を
傘吸着具（４６７）の一部に設けさらに傘吸着具（４６７）の一部にボルト（４６５）と
ナット（４６２）で締め付けることで挟んで固着する固着部（４５０）を設けたことを
特徴とする傘吸着具である。
これにより傘吸着具（４６７）に設けた吸着部（４５５）に備えた磁石部（４５６）を
磁力により吸着が可能な素材でできた壁や物の壁面に吸着させる
ことで、前記吸着部（４５５）に備えた磁石部（４５６）のみの吸着力で、
前記傘保持具（４６７）で固着した傘（４５２）を地面から浮かせた状態で前記壁や物の壁面などに吸着保持できる
【００９５】
請求項９３に記載の発明は
傘（４５２）の手元（４５３）又はシャフト（４５４）に固着して装着し、壁などに
吸着させることで傘（４５２）を吸着保持させる傘吸着具（４６７）に
磁力の力で吸着する磁石部（４５６）を備えた回動自在な吸着部（４５５）を
傘吸着具（４６７）の一部に設け、さらに傘吸着具（４６７）の一部に
ボルト（４６５）とナット（４６２）で締め付けることで挟んで固着する
固着部（４５０）を設けたことを特徴とする傘吸着具である。
これにより傘吸着具（４６７）に設けた回動自在な吸着部（４５５）に備えた
磁石部（４５６）を磁力により吸着が可能な素材でできた壁や物の壁面に吸着させる
ことで、前記回動自在な吸着部（４５５）に備えた磁石部（４５６）のみの吸着力で、
前記傘保持具（４６７）で固着した傘（４５２）
を地面から浮かせた状態で前記壁や物の壁面などに吸着保持できる。
また、吸着部（４５５）が回動自在なため
傘（４５２）が濡れている場合は、傘（４５２）の吸着部（４５５）の
回動部（４５７）が回動することで、傘（４５２）を開けた状態で
吸着させることができ、傘（４５２）を地面に置くことなく乾かすことができる
【００９６】
請求項９４に記載の発明は
請求項７０から請求項７１に記載のいずれかの傘袋において
傘袋の一部に設けた吸着面（２０９）を、付け外し自在な吸着面（２０９）にしたことを
特徴とする吸着式の傘袋である。
これにより傘袋から吸着面（２０９）を外すことで濡れた傘袋を絞って水分を脱水
することができる
【００９７】
請求項９５に記載の発明は
請求項５９から請求項６１及び、請求項９２から請求項９３に
記載のいずれかの傘吸着具において
傘吸着具の一部に設けた磁石部を備えた吸着部を
磁力により吸着が可能な素材でできた壁や物の壁面に吸着させる
ことで、前記吸着部に備えた磁石部のみの吸着力で、前記傘吸着具に
装着した傘を地面から浮かせた状態で
前記壁や物の壁面などに吸着保持できることを特徴とする傘吸着具である。
これにより傘吸着具を使用することで、傘をしっかりと壁に吸着保持して壁に収納
することができる
【００９８】
請求項９６に記載の発明は
請求項６２及び請求項６３に記載のいずれかの吸着式の傘において
傘（１１１）の手元（１１２）の一部に設けた磁石部（１１３）を
磁力により吸着が可能な素材でできた壁や物の壁面に吸着させることで
前記磁石部（１１３）のみの吸着力で、前記傘（１１１）を
地面から浮かせた状態で、前記壁などに吸着保持できることを特徴とする吸着式の傘
である。
これにより傘（１１１）を壁にしっかりと吸着保持でき、壁に収納しておくことができる
【００９９】
請求項９７に記載の発明は
請求項４３から請求項５８及び、請求項６２及び、請求項６３及び、請求項６６から
請求項６９、及び請求項７２から請求項７９、及び請求項９６
に記載のいずれかの吸着式の傘において
吸着式の傘とは、長傘及び折り畳み傘のどちらの傘も含むことを特徴とする吸着式の傘
である。
これにより長傘であっても折り畳み傘であっても、傘を壁にしっかりと吸着保持
することができる
【０１００】
請求項９８に記載の発明は
請求項８０から請求項９１に記載のいずれかの自立も可能な吸着式の傘において
自立も可能な吸着式の傘とは、長傘及び折り畳み傘のどちらの傘も含むこと
を特徴とする自立も可能な吸着式の傘である。
これにより長傘であっても折り畳み傘であっても、傘を壁にしっかりと吸着保持
することができ、また使わない時は、長傘であっても折り畳み傘であっても
自立させておくこともできる
【０１０１】
請求項９９に記載の発明は
請求項６４及び請求項６５に記載のいずれかの吸着式の傘ケースにおいて
傘ケースとは、長傘及び折り畳み傘のどちらの傘ケースも含むこと
を特徴とする傘ケースである。
これにより長傘であっても折り畳み傘であっても、前記傘ケースに収納することで
傘を壁にしっかりと吸着保持することができる
【０１０２】
請求項１００に記載の発明は
請求項７０及び請求項７１及び請求項９４に記載のいずれかの吸着式の傘袋において
傘袋とは、長傘及び折り畳み傘のどちらの傘袋も含むこと
を特徴とする傘袋である。
これにより長傘であっても折り畳み傘であっても、前記傘袋に傘を収納することで傘を
壁にしっかりと吸着保持することができる
【０１０３】
請求項１０１に記載の発明は
請求項５９から請求項６１及び請求項７２及び請求項９３及び請求項９５
に記載のいずれかの傘吸着具において
傘吸着具とは、長傘及び折り畳み傘のどちらの傘にも装着可能としたことを
特徴とする傘吸着具である。
これにより長傘であっても折り畳み傘であっても、前記傘吸着具を使用した傘を
壁にしっかりと吸着保持することができる
【０１０４】
請求項１０２に記載の発明は
傘立てにもなる傘吸着具（４９４）の一部に、挿着保持部（４９６）設け
傘の石突きに装着した際に、傘を支える支脚部（４９５）を設けたことを特徴とする
傘立てにもなる傘吸着具である
これにより
傘の石突きの一端に穴を備えた傘に
傘保持具（４９４）の挿着保持部を装着させて傘を自立させることが
できる
【０１０５】
請求項１０３に記載の発明は
請求項１０２に記載の傘立てにもなる傘吸着具において
挿着保持部（４９６）の一部にさらに磁石部（４９８）を設けたことを特徴とする
傘立てにもなる傘吸着具である
これにより
傘立てにもなる傘吸着具（４９４）に傘の石突きを装着させて自立させることができ、さらに
挿着保持部（４９６）に設けた磁石部（４９８）により、磁力により吸着が可能な素材を
設けた石突きと傘立てにもなる傘吸着具（４９４）の磁石部（４９８）
が吸着することで、傘を持ち上げた際に石突きから傘立てにもなる傘吸着具（４９４）が落下しないため、
傘を持ち上げての傘立てにもなる傘吸着具（４９４）の付け外しができるため、傘保持具の付け外しが楽になる
【０１０６】
請求項１０４に記載の発明は
請求項１０２に記載の傘立てにもなる傘吸着具において
挿着保持部（４９６）の一部にさらにネジ部（５００）を設けたことを特徴とする
傘立てにもなる傘吸着具である
これにより
傘立てにもなる傘吸着具（４９４）に傘（４８０）の石突き（４８８）を装着させて自立させることができ、さらに挿着保持部（４９６）に設けたネジ部（５００）と係合するネジ溝（４９１）を備えた石突き（４８８）を回しはめることで傘（４８０）を持ち上げた際に石突き（４８８）から傘立てにもなる傘吸着具（４９４）が落下しないため、傘（４８８）を持ち上げての傘立てにもなる傘吸着具（４９４）の付け外しができるため、傘立てにもなる傘吸着具（４９４）の付け外しが容易にできる
【０１０７】
請求項１０５に記載の発明は
請求項１０２に記載の傘立てにもなる傘吸着具において
挿着保持部（４９６）の一部にさらに凹凸部（４９９）を設けたことを特徴とする
傘立てにもなる傘吸着具である
これにより
傘立てにもなる傘吸着具（４９４）に傘（４８０）の石突き（４８８）を装着させて自立させることができ、さらに挿着保持部（４９６）に設けた凹凸部（４９９）と係合する凹凸部（４８９）を備えた石突き（４８８）を押しはめることで傘（４８０）を持ち上げた際に石突き（４８８）から傘立てにもなる傘吸着具（４９４）が落下しないため、傘（４８８）を持ち上げての傘立てにもなる傘吸着具（４９４）の付け外しができるため、傘立てにもなる傘吸着具（４９４）の付け外しが容易にできる
【０１０８】
請求項１０６に記載の発明は
請求項１０３に記載の傘立てにもなる傘吸着具において
挿着保持部（４９６）の一部にさらにネジ部（５００）を設けたことを特徴とする
傘立てにもなる傘吸着具である
これにより
傘立てにもなる傘吸着具（４９４）に傘（４８０）の石突き（４８８）を装着させて自立させることができ、さらに挿着保持部（４９６）に設けたネジ部（５００）と係合するネジ部（４９１）を備えた石突き（４８８）に回し嵌めることで傘（４８０）を持ち上げた際に石突き（４８８）から傘立てにもなる傘吸着具（４９４）が落下しないため、傘（４８８）に傘立てにもなる傘吸着具（４９４）を装着したまま持ち運びができる又、ネジ部により傘立てにもなる傘吸着具（４９４）と石突き（４８８）を装着しなくても、磁石部により傘立てにもなる傘吸着具（４９４）と石突きを吸着させて使用することで、傘立てにもなる傘吸着具（４９４）を下に引っ張るだけで、石突きから傘立てにもなる傘吸着具（４９４）が簡単に外せるため、傘保持具の付け外しが容易にできる
【０１０９】
請求項１０７に記載の発明は
請求項１０３に記載の傘立てにもなる傘吸着具において
挿着保持部（４９６）の一部にさらに凹凸部（４９９）を設けたことを特徴とする
傘立てにもなる傘吸着具である
これにより
傘立てにもなる傘吸着具（４９４）に傘（４８０）の石突き（４８８）を装着させて自立させることができ、さらに挿着保持部（４９６）に設けた凹凸部（４９９）と係合する凹凸部（４８９）を備えた石突き（４８８）に押し嵌めることで傘（４８０）を持ち上げた際に石突き（４８８）から傘立てにもなる傘吸着具（４９４）が落下しないため、傘（４８８）に傘立てにもなる傘吸着具（４９４）を装着したまま持ち運びができる又、凹凸部により傘立てにもなる傘吸着具（４９４）と石突き（４８８）を装着しなくても、磁石部により傘立てにもなる傘吸着具（４９４）と石突きを吸着させて使用することで、傘立てにもなる傘吸着具（４９４）を下に引っ張るだけで、石突きから傘立てにもなる傘吸着具（４９４）が簡単に外せるため、傘立てにもなる傘吸着具（４９４）の付け外しが容易にできる
【０１１０】
請求項１０８に記載の発明は
請求項１０４に記載の傘立てにもなる傘吸着具において
挿着保持部（４９６）の一部にさらに凹凸部（４９９）を設けたことを特徴とする
傘立てにもなる傘吸着具である
これにより
傘立てにもなる傘吸着具（４９４）に傘（４８０）の石突き（４８８）を装着させて自立させることができ、さらに挿着保持部（４９６）に設けたネジ部（５００）と係合するネジ部（４９１）を備えた石突き（４８８）に回し嵌めることで傘（４８０）を持ち上げた際に石突き（４８８）から傘立てにもなる傘吸着具（４９４）が落下しないため、傘（４８８）に傘立てにもなる傘吸着具（４９４）を装着したまま持ち運びができる又、さらに挿着保持部（４９６）に設けた凹凸部（４９９）と係合する凹凸部（４８９）を備えた石突き（４８８）に押し嵌めることで傘（４８０）を持ち上げた際に石突き（４８８）から傘立てにもなる傘吸着具（４９４）が落下しないため、傘（４８８）に傘立てにもなる傘吸着具（４９４）をよりしっかりと装着できる
【０１１１】
請求項１０９に記載の発明は
請求項１０６に記載の傘立てにもなる傘吸着具において
挿着保持部（４９６）の一部にさらに凹凸部（４９９）を設けたことを特徴とする
傘立てにもなる傘吸着具である
これにより
傘立てにもなる傘吸着具（４９４）に傘（４８０）の石突き（４８８）を装着させて自立させることができ、さらに挿着保持部（４９６）に設けたネジ部（５００）と係合するネジ部（４９１）を備えた石突き（４８８）に回し嵌めることで傘（４８０）を持ち上げた際に石突き（４８８）から傘立てにもなる傘吸着具（４９４）が落下しないため、傘（４８８）に傘立てにもなる傘吸着具（４９４）を装着したまま持ち運びができる又、さらに挿着保持部（４９６）に設けた凹凸部（４９９）と係合する凹凸部（４８９）を備えた石突き（４８８）に押し嵌めることで傘（４８０）を持ち上げた際に石突き（４８８）から傘立てにもなる傘吸着具（４９４）が落下しないため、傘（４８８）に傘立てにもなる傘吸着具（４９４）をよりしっかりと装着できる又、
ネジ部や凹凸部により傘立てにもなる傘吸着具（４９４）と石突き（４８８）を装着しなくても、磁石部により傘立てにもなる傘吸着具（４９４）と石突きを吸着させて使用することで、傘立てにもなる傘吸着具（４９４）を下に引っ張るだけで、石突きから傘立てにもなる傘吸着具（４９４）が簡単に外せるため、傘立てにもなる傘吸着具（４９４）の付け外しが容易にできる
【０１１２】
請求項１１０に記載の発明は
請求項１０２から請求項１０９に記載のいずれかの傘立てにもなる傘吸着具において
さらに支脚部（４９５）の地面と接する面に平らな磁石部（４９７）
を設けたことを特徴とする傘立てにもなる傘吸着具である
これにより
傘立てにもなる傘吸着具（４９４）に傘の石突きを装着させて自立させることができ、さらに
傘立てにもなる傘吸着具（４９４）の挿着保持部（４９６）を傘の手元に装着させることで
傘立てにもなる傘吸着具（４９４）に設けた磁石部（４９７）により、装着した傘を、磁石により吸着が可能な素材でできた壁や物の壁面に傘立てにもなる傘吸着具（４９４）に設けた平らな磁石部（４９７）により吸着させることができ、磁石部（４９７）のみの吸着力で、前記傘を地面から浮かせた状態で壁に吸着できる
【０１１３】
請求項１１１に記載の発明は
傘（４８０）の石突き（４８８）の一端に穴（４９３）を設けたことを特徴とする
自立式の傘にも吸着式の傘にもなる傘である
これにより
傘の石突きの一端に設けた穴に傘立てにもなる傘吸着具（５０５）を装着することで傘を自立させておくことができる
【０１１４】
請求項１１２に記載の発明は
傘（４８０）の石突き（４８８）の一部にネジ溝（４８７）を周設したことを
特徴とする自立式の傘にもなる吸着式の傘である
これにより
傘（４８０）の石突き（４８８）に周設したネジ溝（４８７）
を傘立てにもなる傘吸着具（５０５）の石突き装着部（５１５）のネジ部（５１６）に装着することで傘を自立させてることができる
又、石突き（４８８）のネジ溝（４８７）と係合する、傘立てにもなる傘吸着具（５０５）のネジ部（５１６）を回しはめることで、傘（４８０）を持ち上げた際に石突き（４８８）から傘立てにもなる傘吸着具（５０５）が抜け落ちることがなくなる
【０１１５】
請求項１１３に記載の発明は
傘（４８０）の石突き（４８８）の一部に凹凸部（４８５）を周設したことを
特徴とする自立式の傘にもなる吸着式の傘である
これにより
傘（４８０）の石突き（４８８）に周設した凹凸部（４８５）
を傘立てにもなる傘吸着具（５０５）の石突き装着部（５１５）の凹凸部（５１７）に装着することで傘を自立させてることができる
又、石突き（４８８）の凹凸部（４８５）と係合する、傘立てにもなる傘吸着具（５０５）の凹凸部（５１７）を押しはめることで、傘（４８０）を持ち上げた際に石突き（４８８）から傘立てにもなる傘吸着具（５０５）が抜け落ちることがなくなる
【０１１６】
請求項１１４に記載の発明は
傘（４８０）の石突き（４８８）の一部に磁石部（４８６）を周設したことを
特徴とする自立式の傘にもなる吸着式の傘にもなる傘である
これにより
傘（４８０）の石突き（４８８）に周設した磁石部（４８６）を、傘立てにもなる傘吸着具（５０５）の石突き装着部（５１５）の磁石部（５１８）に吸着させることで
傘を自立させることができ、また石突き（４８８）の磁石部（４８６）と傘立てにもなる傘吸着具（５０５）の磁石部（５１８）が吸着することで傘（４８０）を持ち上げた際に石突き（４８８）から傘立てにもなる傘吸着具（５０５）が抜け落ちることがなくなる
【０１１７】
請求項１１５に記載の発明は
請求項１１２に記載の自立式の傘にも吸着式の傘にもなる傘において
傘（４８０）の石突き（４８８）の一部に
さらに凹凸部（４８５）を設けたことを特徴とする自立式の傘にも吸着式の傘にもなる傘である
これにより
傘（４８０）の石突き（４８８）に周設したネジ溝（４８７）
を傘立てにもなる傘吸着具（５０５）の石突き装着部（５１５）のネジ部（５１６）に装着することで傘を自立させてることができる
又、石突き（４８８）のネジ溝（４８７）と係合する、傘立てにもなる傘吸着具（５０５）のネジ部（５１６）を回しはめることで、傘（４８０）を持ち上げた際に石突き（４８８）から傘立てにもなる傘吸着具（５０５）が抜け落ちることがなくなる
又、石突き（４８８）の凹凸部（４８５）と係合する、傘立てにもなる傘吸着具（５０５）の凹凸部（５１７）を押しはめることで、傘（４８０）を持ち上げた際に石突き（４８８）から傘立てにもなる傘吸着具（５０５）が抜け落ちることがさらになくなる
【０１１８】
請求項１１６に記載の発明は
請求項１１３に記載の自立式の傘にも吸着式の傘にもなる傘において
傘（４８０）の石突き（４８８）の一部に
さらに磁石部（４８６）を設けたことを特徴とする自立式の傘にも吸着式の傘にもなる傘である
これにより
傘（４８０）の石突き（４８８）に周設した凹凸部（４８５）
を傘立てにもなる傘吸着具（５０５）の石突き装着部（５１５）の凹凸部（５１７）に装着することで傘を自立させてることができる
又、石突き（４８８）の凹凸部（４８５）と係合する、傘立てにもなる傘吸着具（５０５）の凹凸部（５１７）を押しはめることで、傘（４８０）を持ち上げた際に石突き（４８８）から傘立てにもなる傘吸着具（５０５）が抜け落ちることがなくなる
また、凹凸部により傘立てにもなる傘吸着具（５０５）と石突き（４８８）を装着しなくても、磁石部により傘立てにもなる傘吸着具と石突きを吸着させて使用することで、傘保持具を下に引っ張るだけで、石突きから傘立てにもなる傘吸着具が簡単に外せるため、傘立てにもなる傘吸着具の付け外しが容易にできる
【０１１９】
請求項１１７に記載の発明は
請求項１１２に記載の自立式の傘にも吸着式の傘にもなる傘において
傘（４８０）の石突き（４８８）の一部に
さらに磁石部（４８６）を設けたことを特徴とする自立式の傘にも吸着式の傘にもなる傘である
これにより
傘（４８０）の石突き（４８８）に周設したネジ溝（４８７）
を傘立てにもなる傘吸着具（５０５）の石突き装着部（５１５）のネジ部（５１６）に装着することで傘を自立させてることができる
又、石突き（４８８）のネジ溝（４８７）と係合する、傘立てにもなる傘吸着具（５０５）のネジ部（５１６）を回しはめることで、傘（４８０）を持ち上げた際に石突き（４８８）から傘立てにもなる傘吸着具（５０５）が抜け落ちることがなくなる
また、ネジ部により傘立てにもなる傘吸着具（５０５）と石突き（４８８）を装着しなくても、磁石部により傘立てにもなる傘吸着具と石突きを吸着させて使用することで、傘保持具を下に引っ張るだけで、石突きから傘立てにもなる傘吸着具が簡単に外せるため、傘立てにもなる傘吸着具の付け外しが容易にできる
【０１２０】
請求項１１８に記載の発明は
請求項１１６に記載の自立式の傘にも吸着式の傘にもなる傘において
傘（４８０）の石突き（４８８）の一部に
さらにネジ部（４８７）を設けたことを特徴とする自立式の傘にも吸着式の傘にもなる傘である
これにより
傘（４８０）の石突き（４８８）に周設した凹凸部（４８５）
を傘立てにもなる傘吸着具（５０５）の石突き装着部（５１５）の凹凸部（５１７）に装着することで傘を自立させてることができる
又、石突き（４８８）のネジ部（４８７）と係合する傘立てにもなる傘吸着具（５０５）のネジ部（５１６）を回しはめて装着することができ
又、石突き（４８８）の凹凸部（４８５）と係合する、傘立てにもなる傘吸着具（５０５）の凹凸部（５１７）を押しはめることで、傘（４８０）を持ち上げた際に石突き（４８８）から傘立てにもなる傘吸着具（５０５）が抜け落ちることがなくなる
また、ネジ部や凹凸部により傘立てにもなる傘吸着具（５０５）と石突き（４８８）を装着しなくても、磁石部により傘立てにもなる傘吸着具と石突きを吸着させて使用することで、傘保持具を下に引っ張るだけで、石突きから傘立てにもなる傘吸着具が簡単に外せるため、傘立てにもなる傘吸着具の付け外しが容易にできる
【０１２１】
請求項１１９に記載の発明は
請求項１１１に記載の自立式の傘にも吸着式の傘にもなる傘において
傘（４８０）の石突き（４８８）の一端に設けた穴（４９３）に
さらにネジ部（４９１）を設けたことを特徴とする
自立式の傘にも吸着式の傘にもなる傘である
これにより
傘（４８０）の石突き（４８８）の一端に設けた穴（４９３）に傘立てにもなる傘吸着具（４９４）を装着することで傘（４８０）を自立させておくことができる又、傘立てにもなる傘吸着具（４９４）のネジ部（５００）に
自立式の傘にも吸着式の傘にもなる傘（４８０）のネジ部（４９１）を回しはめることで、傘（４８０）を持ち上げた際に、傘立てにもなる傘吸着具（４９４）が抜け落ちることがなくなり、傘立てにもなる傘吸着具（４９４）を付けたままの持ち運びが容易になる
【０１２２】
請求項１２０に記載の発明は
請求項１１１に記載の自立式の傘にも吸着式の傘にもなる傘において
傘（４８０）の石突き（４８８）の一端に設けた穴（４９３）に
さらに凹凸部（４８９）を設けたことを特徴とする
自立式の傘にも吸着式の傘にもなる傘である
これにより
傘（４８０）の石突き（４８８）の一端に設けた穴（４９３）に傘立てにもなる傘吸着具（４９４）を装着することで傘（４８０）を自立させておくことができる又、傘立てにもなる傘吸着具（４９４）の凹凸部（４９９）に
自立式の傘にも吸着式の傘にもなる傘（４８０）の凹凸部（４８９）を押しはめることで、傘（４８０）を持ち上げた際に、傘立てにもなる傘吸着具（４９４）が抜け落ちることがなくなり、傘立てにもなる傘吸着具（４９４）を付けたままの持ち運びが容易になる
【０１２３】
請求項１２１に記載の発明は
請求項１１１に記載の自立式の傘にも吸着式の傘にもなる傘において
傘（４８０）の石突き（４８８）の一端に設けた穴（４９３）に
さらに磁石部（４９０）を設けたことを特徴とする
自立式の傘にも吸着式の傘にもなる傘である
これにより
傘（４８０）の石突き（４８８）の一端に設けた穴（４９３）に傘立てにもなる傘吸着具（４９４）を装着することで傘（４８０）を自立させておくことができる又、傘立てにもなる傘吸着具（４９４）の磁石部（４９８）に
自立式の傘にも吸着式の傘にもなる傘（４８０）の磁石部（４９０）を吸着させることで、傘（４８０）を持ち上げた際に、傘立てにもなる傘吸着具（４９４）が抜け落ちることがなくなり、傘立てにもなる傘吸着具（４９４）を付けたままの持ち運びが容易になる
【０１２４】
請求項１２２に記載の発明は
請求項１１９に記載の自立式の傘にも吸着式の傘にもなる傘において
傘（４８０）の石突き（４８８）の一端に設けた穴（４９３）に
さらに凹凸部（４８９）を設けたことを特徴とする
自立式の傘にも吸着式の傘にもなる傘である
これにより
傘（４８０）の石突き（４８８）の一端に設けた穴（４９３）に傘立てにもなる傘吸着具（４９４）を装着することで傘（４８０）を自立させておくことができる
することができる
【０１２５】
請求項１２３に記載の発明は
請求項１２０に記載の自立式の傘にも吸着式の傘にもなる傘において
傘（４８０）の石突き（４８８）の一端に設けた穴（４９３）に
さらに磁石部（４９０）を設けたことを特徴とする
自立式の傘にも吸着式の傘にもなる傘である
これにより
傘（４８０）の石突き（４８８）の一端に設けた穴（４９３）に傘立てにもなる傘吸着具（４９４）を装着することで傘（４８０）を自立させておくことができる
【０１２６】
請求項１２４に記載の発明は
請求項１１９に記載の自立式の傘にも吸着式の傘にもなる傘において
傘（４８０）の石突き（４８８）の一端に設けた穴（４９３）に
さらに磁石部（４９０）を設けたことを特徴とする
自立式の傘にも吸着式の傘にもなる傘である
これにより傘（４８０）の石突き（４８８）の一端に設けた穴（４９３）に傘立てにもなる傘吸着具（４９４）を装着することで傘（４８０）を自立させておくことができる
【０１２７】
請求項１２５に記載の発明は
請求項１２３に記載の自立式の傘にも吸着式の傘にもなる傘において
傘（４８０）の石突き（４８８）の一端に設けた穴（４９３）に
さらにネジ部（４９１）を設けたことを特徴とする
自立式の傘にも吸着式の傘にもなる傘である
これにより傘（４８０）の石突き（４８８）の一端に設けた穴（４９３）に傘立てにもなる傘吸着具（４９４）を装着することで傘（４８０）を自立させておくことができる
【０１２８】
請求項１２６に記載の発明は
請求項１１１及び請求項１１９から請求項１２５に記載のいずれかの
自立式の傘にも吸着式の傘にもなる傘において、さらに
傘（４８０）の石突き（４８８）の一部に凹凸部（４８５）を周設したことを特徴とする
自立式の傘にも吸着式の傘にもなる傘である
これにより傘（４８０）の石突き（４８８）の一端に設けた穴（４９３）に傘立てにもなる傘吸着具（４９４）を装着することで傘（４８０）を自立させておくことができる
【０１２９】
請求項１２７に記載の発明は
請求項１１１及び請求項１１９から請求項１２５に記載のいずれかの
自立式の傘にも吸着式の傘にもなる傘において、さらに
傘（４８０）の石突き（４８８）の一部にネジ部（４８７）を周設したことを特徴とする
自立式の傘にも吸着式の傘にもなる傘である
これにより傘（４８０）の石突き（４８８）の一端に設けた穴（４９３）に傘立てにもなる傘吸着具（４９４）を装着することで傘（４８０）を自立させておくことができ
また傘（４８０）の石突き（４８８）を傘立てにもなる傘吸着具（５０５）の
石突き装着部（５１５）
に装着することで傘（４８０）を自立させることができる
【０１３０】
請求項１２８に記載の発明は
請求項１１１及び請求項１１９から請求項１２５に記載のいずれかの
自立式の傘にも吸着式の傘にもなる傘において、さらに
傘（４８０）の石突き（４８８）の一部に凹凸部（４８５）とネジ部（４８７）を
周設したことを特徴とする
自立式の傘にも吸着式の傘にもなる傘である
これにより傘（４８０）の石突き（４８８）の一端に設けた穴（４９３）に傘立てにもなる傘吸着具（４９４）を装着することで傘（４８０）を自立させておくことができ
また傘（４８０）の石突き（４８８）を傘立てにもなる傘吸着具（５０５）の
石突き装着部（５１５）
に装着することで傘（４８０）を自立させることができる
【０１３１】
請求項１２９に記載の発明は
請求項１１２から請求項１１８及び請求項１１１及び請求項１１９から請求項１２５に記載の
いずれかの、自立式の傘にも吸着式の傘にもなる傘において、さらに
傘（４８０）の手元（４８１）の一部に、傘吸着具を装着するための装着穴（４８２）
を設けたことを特徴とする自立式の傘にも吸着式の傘にもなる傘である
これにより傘（４８０）の石突き（４８８）の一端に設けた穴（４９３）に傘立てにもなる傘吸着具（４９４）を装着することで傘（４８０）を自立させておくことができ
また傘（４８０）の石突き（４８８）を傘立てにもなる傘吸着具（５０５）の
石突き装着部（５１５）
に装着することで傘（４８０）を自立させることができる
【０１３２】
請求項１３０に記載の発明は
請求項１１２から請求項１１８及び請求項１１１及び請求項１１９から請求項１２５に記載の
いずれかの、自立式の傘にも吸着式の傘にもなる傘において、
傘（４８０）の手元（４８１）の一部に、傘吸着具を装着するための装着穴（４８２）
を設け、装着穴（４８２）の一部に
さらに凹凸部（４８３）
を設けたことを特徴とする自立式の傘にも吸着式の傘にもなる傘である
これにより傘（４８０）の石突き（４８８）の一端に設けた穴（４９３）に傘立てにもなる傘吸着具（４９４）を装着することで傘（４８０）を自立させておくことができ
また傘（４８０）の石突き（４８８）を傘立てにもなる傘吸着具（５０５）の
石突き装着部（５１５）
に装着することで傘（４８０）を自立させることができ又、傘（４８０）の手元（４８１）の
装着穴（４８２）に傘立てにもなる傘吸着具（４９４）の挿着保持部（４９６）
又は、傘立てにもなる傘吸着具（５０５）の手元装着部（５１２）を装着させることで、
傘を吸着式の傘として使用できる
【０１３３】
請求項１３１に記載の発明は
請求項１１２から請求項１１８及び請求項１１１及び請求項１１９から請求項１２５に記載の
いずれかの、自立式の傘にも吸着式の傘にもなる傘において、
傘（４８０）の手元（４８１）の一部に、傘吸着具を装着するための装着穴（４８２）
を設け、装着穴（４８２）の一部に
さらにネジ部（４８４）
を設けたことを特徴とする自立式の傘にも吸着式の傘にもなる傘である
これにより傘（４８０）の石突き（４８８）の一端に設けた穴（４９３）に傘立てにもなる傘吸着具（４９４）を装着することで傘（４８０）を自立させておくことができ
また傘（４８０）の石突き（４８８）を傘立てにもなる傘吸着具（５０５）の
石突き装着部（５１５）
に装着することで傘（４８０）を自立させることができ又、傘（４８０）の手元（４８１）の
装着穴（４８２）に傘立てにもなる傘吸着具（４９４）の挿着保持部（４９６）
又は、傘立てにもなる傘吸着具（５０５）の手元装着部（５１２）を装着させることで、
傘を吸着式の傘として使用できる
【０１３４】
請求項１３２に記載の発明は
請求項１１２から請求項１１８及び請求項１１１及び請求項１１９から請求項１２５に記載の
いずれかの、自立式の傘にも吸着式の傘にもなる傘において、
傘（４８０）の手元（４８１）の一部に、傘吸着具を装着するための装着穴（４８２）
を設け、装着穴（４８２）の一部に
さらにネジ部（４８４）と凹凸部（４８３）
を設けたことを特徴とする自立式の傘にも吸着式の傘にもなる傘である
これにより傘（４８０）の石突き（４８８）の一端に設けた穴（４９３）に傘立てにもなる傘吸着具（４９４）を装着することで傘（４８０）を自立させておくことができ
また傘（４８０）の石突き（４８８）を傘立てにもなる傘吸着具（５０５）の
石突き装着部（５１５）
に装着することで傘（４８０）を自立させることができ又、傘（４８０）の手元（４８１）の
装着穴（４８２）に傘立てにもなる傘吸着具（４９４）の挿着保持部（４９６）
又は、傘立てにもなる傘吸着具（５０５）の手元装着部（５１２）を装着させることで、
傘を吸着式の傘として使用できる
【０１３５】
請求項１３３に記載の発明は
傘（５２０）の手元（５２１）の一部に
側面に磁石部（５２７）を備え、前記手元（５２１）と
付け外し自在で
傘（５２０）の手元（５２１）から
取り外して傘（５２０）の石突き（５２３）に装着することで
傘立てとしても使用できる
付け外し自在な手元（５２２）を設け
さらに前記付け外し自在な手元（５２２）の一部に
傘（５２０）の石突き（５２３）を装着して保持するための
石突き装着部（５２９）を設け、さらに前記付け外し
自在な手元（５２２）の一部に、装着した傘（５２０）
を支える支脚部（５２８）と支脚部にもなる装着柱（５３０）
を設けたことを特徴とする自立も可能な吸着式の傘である
これにより
傘（５２０）を磁力により吸着が可能な素材でできた壁や物の壁面に磁石部（５２７）を吸着させることで、磁石部（５２７）のみの吸着力で傘（５２０）を地面から浮かせた状態で
吸着保持することができ、また付け外し自在な手元（５２２）を手元（５２１）から取り外して、傘（５２０）の石突き（５２３）に装着することで付け外し自在な手元（５２２）を傘立てとして使用でき傘（５２０）を自立式の傘としても使用
することができる
【０１３６】
請求項１３４に記載の発明は
請求項１３３に記載の自立も可能な吸着式の傘において
傘（５２０）の付け外し自在な手元（５２２）の一部に設けた
石突き装着部（５２９）の一部にさらにネジ部（５３５）を設け
傘（５２０）の石突き（５２３）の一部にネジ部（５３５）と係合し
脱着自在なネジ部（５２４）をさらに設けたことを特徴とする
自立も可能な吸着式の傘である
これにより
傘（５２０）を磁力により吸着が可能な素材でできた壁や物の壁面に磁石部（５２７）を吸着させることで、磁石部（５２７）のみの吸着力で傘（５２０）を地面から浮かせた状態で
吸着保持することができ、また付け外し自在な手元（５２２）を手元（５２１）から取り外して、傘（５２０）の石突き（５２３）に装着することで付け外し自在な手元（５２２）を傘立てとして使用でき傘（５２０）を自立式の傘としても使用
することができる
【０１３７】
請求項１３５に記載の発明は
請求項１３３に記載の自立も可能な吸着式の傘において
傘（５２０）の付け外し自在な手元（５２２）の一部に設けた
石突き装着部（５２９）の一部にさらに凹凸部（５３６）を設け
傘（５２０）の石突き（５２３）の一部に凹凸部（５３６）と係合し
脱着自在な凹凸部（５２５）をさらに設けたことを特徴とする
自立も可能な吸着式の傘である
これにより
傘（５２０）を磁力により吸着が可能な素材でできた壁や物の壁面に磁石部（５２７）を吸着させることで、磁石部（５２７）のみの吸着力で傘（５２０）を地面から浮かせた状態で
吸着保持することができ、また付け外し自在な手元（５２２）を手元（５２１）から取り外して、傘（５２０）の石突き（５２３）に装着することで付け外し自在な手元（５２２）を傘立てとして使用でき傘（５２０）を自立式の傘としても使用
することができる
【０１３８】
請求項１３６に記載の発明は
請求項１３３に記載の自立も可能な吸着式の傘において
傘（５２０）の付け外し自在な手元（５２２）の一部に設けた
石突き装着部（５２９）の一部にさらに磁石部（５３７）を設け
傘（５２０）の石突き（５２３）の一部に磁石部（５３７）と係合し
脱着自在な磁石部（５２６）をさらに設けたことを特徴とする
自立も可能な吸着式の傘である
これにより
することができる
【０１３９】
請求項１３７に記載の発明は
請求項１３３から請求項１３６に記載のいずれかの自立も可能な吸着式の傘において
傘（５２０）の手元（５２１）の一端にさらにネジ部（５３１）と
柱装着部（５３４）を設け、
付け外し自在な手元（５２２）の一部に、さらにネジ部（５３１）と
係合して付け外し自在となるネジ部（５３２）を設けたことを
特徴とする自立も可能な吸着式の傘である
これにより
傘（５２０）を磁力により吸着が可能な素材でできた壁や物の壁面に磁石部（５２７）を吸着させることで、磁石部（５２７）のみの吸着力で傘（５２０）を地面から浮かせた状態で
吸着保持することができ、また付け外し自在な手元（５２２）を手元（５２１）から取り外して、傘（５２０）の石突き（５２３）に装着することで付け外し自在な手元（５２２）を傘立てとして使用でき傘（５２０）を自立式の傘としても使用
することができる
【０１４０】
請求項１３８に記載の発明は
請求項１３３から請求項１３７に記載のいずれかの自立も可能な吸着式の傘において
付け外し自在な手元（５２２）の側面に設けた磁石部（５２７）を
磁石により吸着が可能な素材で作られた壁や物の壁面に吸着させることで
磁石部（５２７）のみの吸着力で
傘（５２０）
を地面から浮かせた状態で吸着保持できることを特徴とする自立も可能な吸着式の傘である
これにより
傘（５２０）を磁力により吸着が可能な素材でできた壁や物の壁面に磁石部（５２７）を吸着させることで、磁石部（５２７）のみの吸着力で傘（５２０）を地面から浮かせた状態で
吸着保持することができ、また付け外し自在な手元（５２２）を手元（５２１）から取り外して、傘（５２０）の石突き（５２３）に装着することで付け外し自在な手元（５２２）を傘立てとして使用でき傘（５２０）を自立式の傘としても使用
することができる
【０１４１】
請求項１３９に記載の発明は
請求項１０２から請求項１１０に記載のいずれかの傘立てにもなる傘吸着具において
挿着保持部（４９６）を傘（４８０）の手元（４８１）に設けた傘吸着具装着部（４８２）
に装着し、傘立てにもなる傘吸着具（４９４）に設けた磁石部（４９７）を磁力により吸着が可能な素材でできた壁や物の壁面に吸着させることで
磁石部（４９７）のみの吸着力で傘（４８０）を地面から浮かせた状態で
吸着保持でき、又傘（４８０）の石突き（４８８）に設けた傘立て具装着穴（４９３）に
傘立てにもなる傘吸着具（４９４）の挿着保持部（４９６）を装着することで
傘（４８０）を自立させることができることを特徴とする傘立てにもなる傘吸着具である
これにより
傘立てにもなる傘吸着具を装着した傘を吸着式の傘としても自立式の傘としても使用することができる
【０１４２】
請求項１４０に記載の発明は
傘立てにもなる傘吸着具（５０５）の一部に、石突き装着部（５１５）と
回動自在な支脚部（５０６）と手元装着部（５１２）を設け
傘立てにもなる傘吸着具（５０５）の一部にさらに磁石部を設けたことを特徴とする傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【０１４３】
請求項１４１に記載の発明は
傘立てにもなる傘吸着具（５０５）の一部に、石突き装着部（５１５）と
回動自在な支脚部（５０６）と手元装着部（５１２）を設け
回動自在な支脚部（５０６）の一部にさらに磁石部（５０７）を設けたことを特徴とする傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【０１４４】
請求項１４２に記載の発明は
請求項１４０及び請求項１４１に記載のいずれかの傘立てにもなる傘吸着具において
石突き装着部（５１５）の一部にさらにネジ部（５１６）を設けたことを特徴とする
傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【０１４５】
請求項１４３に記載の発明は
請求項１４０及び請求項１４１に記載のいずれかの傘立てにもなる傘吸着具において
石突き装着部（５１５）の一部にさらに磁石部（５１８）を設けたことを特徴とする
傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【０１４６】
請求項１４４に記載の発明は
請求項１４０及び請求項１４１に記載のいずれかの傘立てにもなる傘吸着具において
石突き装着部（５１５）の一部にさらに凹凸部（５１７）を設けたことを特徴とする
傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【０１４７】
請求項１４５に記載の発明は
請求項１４２及び請求項１４４に記載のいずれかの傘立てにもなる傘吸着具において
石突き装着部（５１５）の一部にさらに磁石部（５１８）を設けたことを特徴とする
傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【０１４８】
請求項１４６に記載の発明は
請求項１４０から請求項１４５に記載のいずれかの傘立てにもなる傘吸着具において
手元装着部（５１２）の一部にさらにネジ部（５１４）を設けたことを特徴とする
傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【０１４９】
請求項１４７に記載の発明は
請求項１４０から請求項１４５に記載のいずれかの傘立てにもなる傘吸着具において
手元装着部（５１２）の一部にさらに凹凸部（５１３）を設けたことを特徴とする
傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【０１５０】
請求項１４８に記載の発明は
請求項１４７に記載の傘立てにもなる傘吸着具において
手元装着部（５１２）の一部にさらにネジ部（５１４）を設けたことを特徴とする
傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【０１５１】
請求項１４９に記載の発明は
請求項１４０から請求項１４８に記載のいずれかの傘立てにもなる傘吸着具において
手元装着部（５１２）を傘（４８０）の手元（４８１）に設けた
傘吸着具装着部（４８２）に装着し磁石により吸着が
可能な素材で作られた壁や物の壁面に吸着させることで
磁石部（５０７）のみの吸着力により傘（４８０）を
地面から浮かせた状態で吸着保持でき、又
傘（４８０）の石突き（４８８）を傘立てにもなる傘吸着具（５０５）
に設けた石突き装着部（５１５）に装着し
回動自在な支脚部（５０６）を回動し開けて
地面に置くことで傘（４８０）を自立させることができることを特徴とする
傘立てにもなる傘吸着具である
これにより
傘（４８０）の石突き（４８８）を、傘立てにもなる傘吸着具（５０５）の石突き装着部（５１５）に装着することで傘（４８０）を自立式の傘として使用することができ、また手元（４８１）
の傘吸着具装着穴（４８２）に、傘立てにもなる傘吸着具（５０５）の手元装着部（５１２）に
装着することで傘（４８０）を吸着式の傘として使用することができる
【発明の効果】
【０１５２】
本発明により、
傘に設けた吸着部を壁などに吸着させた場合に
傘立てがないと傘を収納することができないという不都合は起きず
傘を壁に吸着して収納しておく事ができる。
【発明を実施するための形態】
【０１５３】
以下、本発明の実施の形態を説明する
[実施形態１]
本発明の吸着式の傘の構成は
傘（１）の手元（３）の一部に
磁力の力により吸着する磁石部（２）を備えた
吸着板（５）を設ける
本発明の吸着式の傘を使用する場合は
磁力の力により吸着が可能な素材でできた壁や物の壁面などに
傘（１）の手元（３）の一部に設けた吸着板（５）を
吸着させることで傘（１）が地面から浮いた状態で壁などに
吸着保持させて収納しておく事ができる。
【０１５４】
[実施形態２]
本発明の吸着式の傘の構成は
傘（６）の手元（８）の一部に
磁力の力により吸着する磁石部（７）を備えた
回動自在な吸着板（９）を設ける
本発明の吸着式の傘を使用する場合は
磁力の力により吸着が可能な素材でできた壁や、物の
壁面などに傘（６）の手元（８）の一部に設けた吸着板（９）を
吸着させることで傘（６）が地面から浮いた状態で壁などに
吸着保持させて収納しておくことができる。又
傘（６）が濡れている場合は、傘（６）の吸着板（９）の回動部（１４）が
回動することで、傘（６）を開けた状態で
吸着させることができ、傘（６）を
地面に置くことなく乾かすことができる。
【０１５５】
[実施形態３]
本発明の吸着式の傘の構成は
傘（１５）の手元（１９）の一部に手元（１９）と付け外しが可能な
磁石部（２０）を備えたフタ（２２）を設け
傘（１５）の手元（１９）の一部に紐穴（１８）を設け
フタ（２２）の一部に紐穴（１６）を設け
手元（１９）に設けた紐穴（１８）とフタ（２２）に設けた
紐穴（１８）を繋ぐ紐（１７）を設け
手元（１９）と係合する凹凸部（２３）をフタ（２２）の一部に
設け、フタ（２２）の凹凸部（２１）と係合する凹凸部（２３）を手元（１９）の一部に
設け、フタ（２２）にツメ（２４）を設ける
本発明の吸着式の傘を使用する場合は
磁力の力により吸着が可能な素材でできた壁や、物の壁面などに
傘（１５）の手元（１９）の一部に設けたフタ（２２）の
磁石部（２０）を吸着させることで
傘（１５）が地面から浮いた状態で壁などに
吸着保持させて収納しておくことができる
又、傘（１５）が濡れている場合は、傘（１５）の手元（１９）の一部
に設けた磁石部（２０）を備えたフタ（２２）を壁などに吸着させることで
フタ（２２）と紐（１７）で繋がった傘（１５）を開けた状態で
吸着さえることができ傘（１５）を地面に置くことなく乾かすことができる
又、傘（１５）を壁などに吸着させない時は、傘（１５）の手元（１９）
にフタ（２２）を装着しておける
【０１５６】
[実施形態４]
本発明の吸着式の傘の構成は
傘（２６）の手元（２７）の一部に手元（２７）と付け外しが可能な
磁石部（３０）を備えたフタ（３１）を設け
傘（２６）の手元（２７）の一部に紐穴（３３）を設け
フタ（３１）の一部に紐穴（３２）を設け
手元（２７）に設けた紐穴（３３）とフタ（３１）に設けた
紐穴（３２）と繋ぐ紐（３４）を設け
手元（２７）と係合する雄ネジ（２９）をフタ（３１）の一部に
設け、フタ（３１）の雄ネジ（２９）と係合する雌ネジ（２８）を手元（２７）の一部に
設け、フタ（３１）にツメ（３５）を設ける
本発明の吸着式の傘を使用する場合は
磁力の力により吸着が可能な素材でできた壁や、物の壁面などに
傘（２６）の手元（２７）の一部に設けたフタ（３１）の
磁石部（３０）を吸着させることで
傘（２６）が地面から浮いた状態で壁などに
吸着保持させて収納しておくことができる
又、傘（２６）が濡れている場合は、傘（２６）の手元（２７）の一部
に設けた磁石部（３０）を備えたフタ（３１）を壁などに吸着させることで
フタ（３１）と紐（３４）で繋がった傘（２６）を開けた状態で
吸着さえることができ傘（２６）を地面に置くことなく乾かすことができる
又、傘（２６）を壁などに吸着させない時は、傘（２６）の手元（２７）
にフタ（３１）を装着しておける
【０１５７】
[実施形態５]
本発明の吸着式の傘の構成は
傘（３６）の手元（３７）の一部に手元（３７）と付け外しが可能な
磁石部（４３）を備えたフタ（４４）を設け
傘（３６）の手元（３７）の一部に紐穴（４１）を設け
フタ（４４）の一部に紐穴（４０）を設け
手元（３７）に設けた紐穴（４１）とフタ（４４）に設けた
紐穴（４０）と繋ぐ紐（４２）を設け
手元（３７）と係合するフック（３９）をフタ（４４）の一部に
設けフタ（４４）のフック（３９）と係合する溝（３８）を手元（３７）の一部に
設けフタ（４４）にツメ（４５）を設ける
本発明の吸着式の傘を使用する場合は
磁力の力により吸着が可能な素材でできた壁や、物の壁面などに
傘（３６）の手元（３７）の一部に設けたフタ（４４）の
磁石部（４３）を吸着させることで
傘（３６）が地面から浮いた状態で壁などに
吸着保持させて収納しておくことができる
又、傘（３６）が濡れている場合は、傘（３６）の手元（３７）の一部
に設けた磁石部（４３）を備えたフタ（４４）を壁などに吸着させることで
フタ（４４）と紐（４２）で繋がった傘（３６）を開けた状態で
吸着さえることができ傘（３６）を地面に置くことなく乾かすことができる
又、傘（３６）を壁などに吸着させない時は、傘（３６）の手元（３７）
にフタ（４４）を装着しておける
【０１５８】
[実施形態６]
本発明の吸着式の傘の構成は
傘（５４）の手元（５３）の一部にスライドにより、迫り出す磁石部（５２）を
設けた吸着側の手元（５１）を設け
吸着側の手元（５１）が手元（５３）から
スライドし、迫り出すためのスライド部（５５）を吸着側の手元（５１）の一部に設け
吸着側の手元（５１）のスライド部（５５）の一部にストッパー（５６）を設ける
手元（５３）の一部に吸着側の手元（５１）のスライド部（５５）を収納する
収納部（５８）と
ストッパー（５６）が移動するための
移動スペース（５７）を設け吸着側の手元（５１）の一部にフック（６０）を設け
フック（６０）と係合する溝（５９）を手元（５３）の一部に
設ける
本発明の吸着式の傘を使用する場合は
傘（５４）の手元（５３）の一部に設けた吸着側の手元（５１）を引き出し
磁力の力により吸着が可能な素材でできた壁や、物の壁面などに
吸着側の手元（５１）に備えた磁石部（５２）を吸着させることで
傘（５４）が地面から浮いた状態で壁などに
吸着保持させて収納しておくことができる
又、傘（５４）を壁などに吸着させない時は、傘（５４）の手元（５３）に
吸着側の手元（５１）を収納し、手元（５３）の溝（５９）に吸着側の手元（５１）の
フック（６０）を引っ掛けて手元（５３）から吸着側の手元（５１）が
開かないようにすることで、通常の手元として使用出来る
【０１５９】
[実施形態７]
本発明の吸着式の傘の構造は
傘（７１）の手元（７２）の一部に磁石部（７６）を
備えた回動する手元（７７）を設け
手元（７２）の一部に凹凸部（７８）を設け、回動自在な手元（７７）の一部に
凹凸部（７８）と係合する凹凸部（７５）を設ける
手元（７２）の一部にピン穴（８０）を設け
回動自在な手元（７７）の一部にピン穴（７９）を設け
手元（７２）のピン穴（８０）と回動自在な手元（７７）のピン穴（７９）を
繋ぐピン（８１）とピン止め具（７０）を
傘（７１）の手元（７２）に設ける
本発明の吸着式の傘を使用する場合は
傘（７１）の手元（７２）に収納している回動自在な手元（７７）を
回動し磁力の力により吸着が可能な素材でできた壁や物の壁面などに
回動自在な手元（７７）の磁石部（７６）を吸着させることで
傘（７１）を地面から浮いた状態で壁などに
吸着保持させて収納しておくことができる又、傘（７１）を壁などに吸着させない時は
傘（７１）の手元（７２）に回動自在な手元（７７）を収納し、手元（７２）の
凹凸部（７８）に回動自在な手元（７７）の凹凸部（７５）を引っ掛けて、手元（７２）
から回動自在な手元（７７）が開かないようにすることで通常の手元として使用できる。
【０１６０】
[実施形態８]
本発明の吸着式の傘の構成は
傘（９１）の手元（９２）の一部に回動自在な手元（９７）を収納する収納部（９９）を
設け手元（９２）の一部に磁石部（９５）を
備えた回動自在な手元（９７）を設け
回動自在な手元（９７）の一部にストッパー（１０１）を設け
回動自在な手元（９７）の一部につまみ（９６）を設ける
手元（９２）の一部にピン穴（９４）を設け
回動自在な手元（９７）の一部にピン穴（１０２）を設け
手元（９２）のピン穴（９４）と回動自在な手元（９７）のピン穴（１０２）を
繋ぐピン（９８）とピン止め具（１０３）を
傘（９１）の手元（９２）に設ける
本発明の吸着式の傘を使用する場合は
傘（９１）の手元（９２）に収納している回動自在な手元（９７）を回動し
磁力の力により吸着が可能な素材でできた壁や物の壁面などに
回動自在な手元（９７）の磁石部（９５）を吸着させることで
傘（９１）を地面から浮いた状態で壁などに
吸着保持させて収納しておくことができる
又、傘（９１）を壁などに吸着させない時は、傘（９１）の手元（９２）に
回動自在な手元（９７）を収納し、回動自在な手元（９７）に設けたストッパー（１０１）
が手元（９２）の収納部（９９）に引っかかることで、手元（９２）
から回動自在な手元（９７）が開かないようにすることで通常の手元として使用できる
【０１６１】
[実施形態９]
本発明の傘吸着具の構成は
傘吸着具（１４１）の一部にバネ（１５９）とバネ（１５９）の力により挟んで保持する
挟持部（１５２）を設け、さらに前記バネ（１５９）と挟持部（１５２）の動きを
操作できる把持部（１４２）を設けさらに磁石部（１４３）を備えた
回動自在な吸着部（１４４）を設ける本発明の傘吸着具を使用する場合は
傘（１６２）のシャフト（１６０）などに傘吸着具（１４１）の把持部（１４２）を
握ることで開いた挟持部（１５２）でシャフト（１６０）を挟んで保持し
磁力の力により吸着が可能な素材でできた壁や物の壁面などに
傘吸着具（１４１）の一部に設けた吸着部（１４４）の磁石部（１４３）を吸着させる
ことで、傘（１６２）が地面から浮いた状態で壁などに吸着保持させて収納しておく
ことができる又、傘（１６２）が濡れている場合は傘（１６２）に装着した
傘吸着具（１４１）の回動部（１６４）により吸着した傘（１６２）を自由な
角度で吸着できるため傘（１６２）を開けた状態で地面に置くことなく乾かすことができる。
又、傘吸着具（１４１）を壁から外す時は、つまみ（１４５）を引くことで容易に外せる
【０１６２】
[実施形態１０]
本発明の傘吸着具の構成は
傘吸着具（１８７）の一部にバネ（１７４）とバネ（１７４）の力により挟んで保持する
挟持部（１７９）を設けさらに前記バネ（１７４）と挟持部（１７９）の
動きを操作できる把持部（１８１）を設け、さらに磁石部（１７８）と回動部（１７５）
を備えた、回動自在な吸着部（１８２）を設ける
本発明の傘吸着具を使用する場合は、傘（１８８）の手元などに傘吸着具（１８７）を
装着し磁力の力により吸着が可能な素材でできた壁や物の壁面などに
傘吸着具（１８７）の一部に設けた吸着部（１８２）の磁石部（１８７）を吸着させる
ことで傘（１８８）が地面から浮いた状態で壁などに吸着保持させて
収納しておくことができる又、傘（１８８）が濡れている場合は
傘（１８８）に装着した傘吸着具（１８７）の回動部（１７５）により吸着した傘を
自由な角度で吸着できるため傘（１８８）を開けた状態で地面に置く
ことなく乾かすことができる。
【０１６３】
[実施形態１１]
本発明の吸着式の傘の構成は
傘（１１１）の手元（１１２）の側面（１１７）の一部に磁石部（１１３）を
設け、傘（１１１）を閉じて畳んだ場合に、前記手元（１１２）の
側面（１１７）と、前記手元（１１２）の側面（１１７）に設けた磁石
部（１１３）が畳んだ傘の布部（１１６）より外側に出るように
傘（１１１）のシャフト（１１４）の一部に
数カ所の曲がった部分（１１０）を設ける
本発明の吸着式の傘を使用する場合は
傘（１１１）の手元（１１２）の一部に設けた磁石部（１１３）を
磁力の力により吸着が可能な素材でできた壁や物の壁面
などに吸着させることで、前記磁石部（１１３）のみの吸着力で
傘（１１１）を地面から浮かせた状態で、前記素材の壁などに
吸着保持させて壁に収納しておくことができる又、傘（１１１）の
シャフト（１１４）に設けた曲がった部分（１１０）により
傘（１１１）を壁に吸着させた際に
傘（１１１）の枝や布部（１１６）により、手元（１１２）の磁石部（１１３）が
浮き上がることも起きず、傘（１１１）を壁などにしっかりと吸着できる
【０１６４】
[実施形態１２]
本発明の吸着式の傘の構成は
傘（１２１）を収納する傘ケース（１２２）の一部に磁石部（１２４）を備え
磁力の力により吸着する吸着面（１２３）を設ける
本発明の吸着式の傘（１２１）を使用する場合は
傘（１２１）を収納した傘ケース（１２２）の吸着面（１２３）を
磁力の力により吸着が可能な素材でできた
壁や物の壁面などに
吸着させることで傘（１２１）が
地面から浮いた状態で壁などに吸着保持させて
収納しておくことができる。
【０１６５】
[実施形態１３]
本発明の吸着式の傘の構成は
傘（２００）の手元（２０２）の側面（１９９）の一部に磁石部（２０１）を
設け、傘（２００）を閉じて畳んだ場合に、前記手元（２０２）の
側面（１９９）と、前記手元（２０２）の側面（１９９）に設けた磁石
部（２０１）が畳んだ傘（２００）の布部（１９８）より外側に出るように
傘（２００）のシャフト（１９７）よりの手元部分に
数カ所の曲がった部分（２０４）を設ける
本発明の吸着式の傘を使用する場合は
傘（２００）の手元（２０２）の一部に設けた磁石部（２０１）を
磁石の力により吸着が可能な素材でできた壁や、物の壁面
などに吸着させることで、前記磁石部（２０１）のみの
吸着力で
傘（２００）を地面から浮かせた状態で、前記素材の壁などに
吸着保持させて壁に収納しておくことができる又、傘（２００）の
シャフト（１９７）よりの手元部分に曲がった部分（２０４）を設けたことにより
傘（２００）の枝や布部（１９８）によって手元（２０２）の磁石部（２０１）が
浮き上がることも起きず、傘（２００）を壁などにしっかり吸着できる
【０１６６】
[実施形態１４]
本発明の吸着式の傘の構成は
傘（２１０）を収納する吸着式の傘袋（２１４）の一部に、付け外し自在な
磁石部（２１１）を備え、磁石部（２１１）の磁力の力によって吸着する
吸着面（２０９）を設ける
本発明の吸着式の傘（２１０）を使用する場合は
傘（２１０）を収納した吸着式の傘袋（２１４）の吸着面（２０９）を
磁力の力により吸着が可能な素材でできた
壁や物の壁面などに吸着させることで傘（２１０）
が地面から浮いた状態で壁などに吸着保持できる
【０１６７】
[実施形態１５]
本発明の吸着式の傘の構成は
傘（２２２）のシャフト（２２６）の一部に
磁石部（２２５）を備えた吸着板（２３１）を設ける
本発明の吸着式の傘を使用する場合は
磁力の力により吸着が可能な素材でできた壁や物の壁面
などに傘（２２２）のシャフト（２２６）の一部に設けた吸着板（２３１）の磁石
部（２２５）を吸着させることで傘（２２２）を地面から浮いた状態で壁
などに吸着保持させて収納できる
【０１６８】
[実施形態１６]
本発明の吸着式の傘の構成は
傘（２４１）のシャフト（２５１）の一部に回動部（２４９）と
磁石部（２４２）を備えた回動自在な
吸着板（２４４）を設ける
本発明の吸着式の傘を使用する場合は
磁力の力により吸着が可能な素材でできた壁や物の壁面
などに傘（２４１）のシャフト（２５１）の一部に設けた回動自在な吸着板（２４４）
の磁石部（２４２）を吸着させることで傘（２４１）を地面から浮いた状態で壁
などに吸着保持させて収納できる
又、回動自在な吸着板（２４４）により
傘（２４１）の開閉時に吸着板が邪魔に
ならずにスムーズに開閉できる
又、回動自在な吸着板（２４４）により傘を開いたまま壁に吸着させることができるため
傘が濡れている場合などに、地面に傘（２４１）を置くことなく開いたまま壁に吸着させて
傘（２４１）を乾かすことができる
【０１６９】
[実施形態１７]
本発明の吸着式の傘の構成は
傘（２６６）の手元（２６５）の一部に
磁石部（２６８）と吸盤部（２６０）を備え、前記手元（２６５）の一部と
付け外し自在なフタ（２６２）を設け
前記フタ（２６２）の側面に球体（２７０）を設け
前記手元（２６５）と前記フタ（２６２）を繋ぐ紐（２７５）を設け
前記手元（２６５）と繋がれた紐（２７５）の先端部に、フタ（２６２）の側面に
設けた球体（２７０）と係合する球体収納部（２７１）を設け、さらに
前記球体（２７０）を球体収納部（２７１）に回動自在に圧入した
吸着方法切り替え部（２５８）を設け
さらに、前記フタ（２６２）の一部に凹凸部（２６３）を設け
前記フタ（２６２）の凹凸部（２６３）と係合する凹凸部（２６４）を
前記手元（２６５）の一部に設ける
本発明の吸着式の傘を使用する場合は
傘（２６６）の手元（２６５）の一部に設けたフタ（２６２）の磁石部（２６８）を
磁力により吸着が可能な素材でできた壁や物の壁面などに
吸着させることで傘（２６６）の手元（２６５）のフタ（２６２）に備えた
磁石部（２６８）のみの磁力で傘（２６６）を地面から浮かせた
状態で前記素材の壁などに吸着保持することができる
又、吸着方法切り替え部（２５８）で前記フタ（２６２）を回動し
前記吸盤部（２６０）側を、吸着させたい壁側に向け、平らな
壁や物の壁面などに、前記吸盤部（２６０）を吸着させることで
前記吸盤部（２６０）のみの吸着力で
前記傘（２６６）を地面から浮かせた状態で前記壁などに吸着保持
することができる
又、傘（２６６）を壁などに吸着させない時は、前記手元（２６５）に
設けた凹凸部（２６４）に前記フタ（２６２）の凹凸部（２６３）を装
着しておくことができる
【０１７０】
[実施形態１８]
本発明の吸着式の傘の構成は
傘（２８０）の手元（２８２）のフック部（２８３）の側面（２８７）に
平らな磁石部（２８１）を設ける
本発明の吸着式の傘（２８０）を使用する場合は
磁力により吸着が可能な素材でできた壁や物の壁面に
傘（２８０）のフック部（２８３）に設けた磁石部（２８１）を
吸着させることで、傘（２８０）が地面から浮いた状態で
壁などに吸着保持できる
【０１７１】
[実施形態１９]
本発明の自立も可能な吸着式の傘の構造は
傘（２９１）の手元（２９２）の一部に、
側面（２９３）に平らな磁石部（２９４）
を備え、前記手元（２９２）と付け外し自在で、傘（２９１）の手元（２９２）から
取り外して、傘（２９１）の石突き（２９６）に挿着することで
傘立てとしても使用できるフック部（２９５）を手元（２９２）の一部に
設け、さらに前記フック部（２９５）の一部に傘（２９１）の石突き（２９６）を挿着し
保持するための、挿着保持部（２９７）を設け、さらに傘（２９１）の
石突き（２９６）の一部に磁石と吸着する素材を設ける
さらにフック部（２９５）と接続する手元（２９２）の一部に凹凸部（２９８）を設け
手元（２９２）と接続する側のフック部（２９５）にも
手元（２９２）の凹凸部（２９８）と係合する凹凸部（２９９）をフック部（２９５）の
一部に設ける
本発明の自立も可能な吸着式の傘を使用する場合は
磁石により吸着が可能な素材でできた壁や、物の壁面に
傘（２９１）のフック部（２９５）に設けた磁石部（２９４）を
吸着させることで傘（２９１）が地面から
浮いた状態で壁などに吸着保持できる。また
フック部（２９５）と接続する手元（２９２）の一部に
設けた凹凸部（２９８）と手元（２９２）の凹凸部（２９８）と係合する凹凸部（２９９）を
フック部（２９５）の一部に設けたことにより
フック部（２９５）を手元（２９２）から引き抜いたり、押し込むことで
手元（２９２）からフック部（２９５）の付け外しが自在となり
傘立てにもなる手元（２９２）のフック部（２９５）を傘（２９１）の
手元（２９２）から取り外して、前記フック部（２９５）に設けた、挿着保持部（２９７）
に傘（２９１）の石突き（２９６）を挿着することで
傘（２９１）を自立させることができる。また傘（２９１）を持ち上げ
た際に、石突き（２９６）に設けた、磁石と吸着する素材により
石突き（２９６）とフック部（２９５）の磁石部（２９４）
とが吸着し、傘（２９１）の石突き（２９６）
から、傘立てとして使用しているフック部（２９５）が
抜け落ちるのを防止することができるため、傘立てといて使用する際に、石突
き（２９６）とフック部（２９５）の付け外しが容易になり、さらに
フック部（２９５）と石突き（２９６）が磁力の力により吸着しているため、
フック部（２９５）を石突き（２９６）に挿着したままで
傘（２９１）の持ち運びを可能としている
【０１７２】
[実施形態２０]
本発明の自立も可能な吸着式の傘の構造は
傘（３０１）の手元（３０２）の一部に、
側面（３０３）に平らな磁石部（３０４）
を備え、前記手元（３０２）と付け外し自在で、傘（３０１）の手元（３０２）から
取り外して、傘（３０１）の石突き（３０６）に挿着することで
傘立てとしても使用できるフック部（３０５）を手元（３０２）の一部に
設け、さらに前記フック部（３０５）の一部に傘（３０１）の石突き（３０６）を挿着し
保持するための、挿着保持部（３０７）を設け、さらに前記フック部（３０５）の一部に
前記フック部（３０５）を傘立てとして使用する際に、傘立ての支脚の一部としても
使用できる回動自在な支脚（３０８）を設け
さらに傘（３０１）の石突き（３０６）の一部に磁石と吸着する素材を設ける
さらにフック部（３０５）と接続する手元（３０２）の一部に凹凸部（３０９）を設け
手元（３０２）と接続する側のフック部（３０５）にも
手元（３０２）の凹凸部（３０９）と係合する凹凸部（３１０）をフック部（３０５）の
一部に設ける。
本発明の自立も可能な吸着式の傘を使用する場合は
磁石により吸着が可能な素材でできた壁や、物の壁面に
傘（３０１）のフック部（３０５）に設けた磁石部（３０４）を
吸着させることで傘（３０１）が地面から浮いた状態で壁などに吸着保持できる。
またフック部（３０５）と接続する手元（３０２）の一部に
設けた凹凸部（３０９）
と手元（３０２）の凹凸部（３０９）と係合する凹凸部（３１０）を
フック部（３０５）の一部に設けたことにより
フック部（３０５）を手元（３０２）から引き抜いたり、押し込むことで
手元（３０２）からフック部（３０５）の付け外しが自在となり
傘立てにもなる手元（３０２）のフック部（３０５）を傘（３０１）の
手元（３０２）から取り外して、フック部（３０５）の一部に設けた
回動自在な支脚部（３０８）を回動することで、傘立てとして、フック部（３０５）を
使用する際に回動した支脚部（３０８）を傘立ての支脚として使用でき
前記フック部（３０５）に設けた、挿着保持部（３０７）
に傘（３０１）の石突き（３０６）を挿着することで
傘（３０１）を自立させることができる。また傘（３０１）を持ち上げ
た際に、石突き（３０６）に設けた、磁石と吸着する素材により
石突き（３０６）とフック部（３０５）の
磁石部（３０４）が吸着し、傘（３０１）の石突き（３０６）
から、傘立てとして使用しているフック部（３０５）が
抜け落ちるのを防止することができるため、傘立てといて使用する際に、石突き（３０６）と
フック部（３０５）の付け外しが容易になり、さらに
フック部（３０５）と石突き（３０６）が磁力の力により吸着しているため、
フック部（３０５）を石突き（３０６）に挿着したままで
傘（３０１）の持ち運びを可能としている
【０１７３】
[実施形態２１]
本発明の傘吸着具の構成は
傘吸着具（４６７）の一部に、すべり止め（４５１）を備えた
固着部（４５０）と、前記固着部（４５０）を回して締めるボルト（４６５）と
ナット（４６２）とボルトを通す穴（４６６）を
傘吸着具（４６７）の一部に設け
さらに磁石部（４５６）を備えた回動自在な吸着部（４５５）を
傘吸着具（４６７）の一部に設ける
本発明の傘吸着具を使用する場合は
傘吸着具（４６７）の固着部（４５０）で
傘（４５２）の手元（４５３）又は、シャフト（４５４）を挟んで
ボルトの穴（４６６）にボルト（４６５）を通してナット（４６２）を固定して
ボルト（４６５）のつまみ（４６３）を回して、ボルト（４６５）を締めることで
固着部（４５７）の幅が狭まり、太さ調整機能を合わせ持つ固着部（４５７）で
傘（４５２）の手元（４５３）またはシャフトに
しっかりと固着した状態で傘吸着具（４６７）を取り付け
磁力の力により吸着が可能な素材でできた壁や物の壁面などに
傘吸着具（４６７）の一部に設けた吸着部（４５５）の磁石部（４５６）を
吸着させることで、傘（４５２）が地面から浮いた状態で壁などに
吸着保持させて収納しておくことができる
又、傘（４５２）が濡れている場合は、傘（４５２）に装着した傘吸着具（４６７）の
回動部（４５７）により吸着した傘（４５２）を自由な角度で吸着できるため
傘（４５２）を開いた状態で地面に置くことなく乾かすことができる。
【０１７４】
[実施形態２２]
本発明の、自立式の傘にも吸着式の傘にもなる傘の構成は
傘（４８０）の手元（４８１）の一部に傘吸着具を装着するための
傘吸着具装着穴（４８２）を設け
傘吸着具装着穴（４８２）の一部に凹凸部（４８３）とネジ部（４８４）を設けさらに
傘（４８０）の石突き（４８８）の一部に凹凸部（４８５）と
磁石部（４８６）とネジ部（４８７）を周設し
さらに石突き（４８８）の一部に傘立て具装着穴（４９３）を設け
傘立て具装着穴（４９３）の一部に凹凸部（４８９）と磁石部（４９０）と
ネジ部（４９１）を設ける本発明の、自立式の傘にも吸着式の傘にもなる傘を
使用する場合は
傘（４８０）の手元（４８１）の傘吸着具装着穴（４８２）に実施形態２３の
傘立てにもなる傘吸着具（４９４）などの傘吸着具を装着することで、傘（４８０）を
吸着式の傘にすることができる。例えば、傘立てにもなる傘吸着具（４９４）の
一部に設けた挿着保持部（４９６）を
傘（４８０）の手元（４８１）の傘吸着具装着穴（４８２）に装着し、傘立てにもなる
傘吸着具（４９４）の磁石部（４９７）を
磁石により吸着が可能な素材
でできた壁や物の壁面に吸着させることで、傘立てにもなる傘吸着具（４９４）の
磁石部（４９７）のみの吸着力で、傘（４８０）を地面から浮かせた
状態で壁などに吸着保持できる。また
傘（４８０）の石突き（４８８）に周設した凹凸部（４８５）又は
磁石部（４８６）又は、ネジ部（４８７）又は、
石突き（４８８）に設けた、傘立て具装着穴（４９３）の凹凸部（４８９）又は
磁石部（４９０）又は、ネジ部（４９１）に傘立て具を装着することで
傘（４８０）を自立式の傘にすることができる。例えば
実施形態２３の
傘立てにもなる傘吸着具（４９４）などの傘立て具を傘（４８０）
の石突き（４８８）の傘立て具装着穴（４９３）に、傘立てにもなる傘吸着具（４９４）
の挿着保持部（４９６）を装着することで
傘（４８０）を自立式の傘として使用できる
【０１７５】
[実施形態２３]
本発明の傘立てにもなる傘吸着具の構成は
傘立てにもなる傘吸着具（４９４）の一部に挿着保持部（４９４）を設ける
挿着保持部（４９６）の一部にネジ部（５００）と磁石部（４９７）と
凹凸部（４９９）を設け
さらに傘立てにもなる傘吸着具（４９４）の一部に
支脚部（４９５）を設け、支脚部の一部に磁石部（４９７）を設ける。
本発明の、傘立てにもなる傘吸着具（４９４）を使用する場合は
傘立てにもなる傘吸着具（４９４）の挿着保持部（４９６）で装着
可能な傘に装着することで、傘立てにもなる傘吸着具（４９４）を
装着した傘を自立式の傘としても吸着式の傘としても使用できる
例えば実施形態２２の、自立式の傘にも吸着式の傘にもなる傘（４８０）
の手元（４８１）の傘吸着具装着穴（４８２）に傘吸着具（４９４）
の挿着保持部（４９６）を装着し、傘立てにもなる傘吸着具（４９４）
の磁石部（４９７）を磁石により吸着が可能な素材でできた壁
や物の壁面などに吸着させることで
傘立てにもなる傘吸着具（４９４）の磁石部（４９７）のみの吸着力
で前記傘（４８０）を地面から浮かせた
状態で壁などに吸着保持できる。又、
傘立てにもなる傘吸着具（４９４）の挿着保持部（４９６）に
装着可能な傘の石突きを装着することで、自立式の傘としても使用できる
例えば、実施形態２２の、自立式の傘にも吸着式の傘にもなる傘（４８０）の
石突き（４８８）の傘立て具装着穴（４９３）に傘立てにもなる傘吸着具（４９４）
の挿着保持部（４９６）を装着することで、前記傘（４８０）を自立させることができ
前記傘（４８０）を自立式の傘としても使用できる
【０１７６】
[実施形態２４]
本発明の傘立てにもなる傘吸着具の構成は
傘立てにもなる傘吸着具（５０５）の一部に、石突き装着部（５１５）を設け
石突き装着部（５１５）の一部にネジ部（５１６）と凹凸部（５１７）と
磁石部（５１８）を設け、さらに傘立てにもなる傘吸着具（５０５）の一部に
手元装着部（５１２）を設け、手元装着部（５１２）の一部に
凹凸部（５１３）とネジ部（５１２）を設け、さらに傘立てにもなる傘吸着具（５０５）
の一部に磁石部（５０７）を備えた回動自在な支脚部（５０６）
を設け、支脚部（５０６）にピン（５０９）と固定穴（５０８）を設け
傘立てにもなる傘吸着具（５０５）の一部にピン穴（５１０）と固定部（５１１）
を設ける。
本発明の傘立てにもなる傘吸着具（５０５）を使用する場合は
傘立てにもなる傘吸着具（５０５）の手元装着部（５１２）により装着
可能な傘に装着することで、傘立てにもなる傘吸着具（５０５）を
装着した傘を吸着式の傘として使用できる。例えば
実施形態２２の自立式の傘にも吸着式の傘にもなる傘（４８０）
の手元（４８１）の傘吸着具装着穴（４８２）に傘立てにもなる
傘吸着具（５０５）の手元装着部（５１２）を装着することで
傘立てにもなる傘吸着具（５０５）の磁石部（５０７）を
磁石により吸着が可能
な素材でできた壁や物の壁面などに吸着させることで
傘立てにもなる傘吸着具（５０５）の磁石部（５０７）のみの吸着力
で前記傘（４８０）を地面から浮かせた状態で壁などに吸着保持
できる。また、傘立てにもなる傘吸着具（５０５）の石突き装着部（５１５）に
装着可能な傘の石突きを装着することで、装着した傘を自立式の傘として使用できる。
例えば、実施形態２２の、自立式の傘にも吸着式の傘にもなる傘（４８０）の
石突き（４８８）を、傘立てにもなる傘吸着具（５０５）
の石突き装着部（５１５）に、装着し、傘立てにもなる傘吸着具（５０５）の
回動自在な支脚部（５０６）を回動し、固定部（５１１）で固定穴（５０８）
を固定することで、回動自在な支脚部（５０６）を開けた状態で
保持し、回動自在な支脚部（５０６）により、前記傘（４８０）が
支えられて自立することができ、前記傘（４８０）を自立式の傘として使用できる
【０１７７】
[実施形態２５]
本発明の自立も可能な吸着式の傘の構成は
傘（５２０）の手元（５２１）の一部に磁石部（５２７）を備えた
手元（５２１）より、付け外しが自在な手元（５２２）を設け
付け外し自在な手元（５２２）の一部に、手元（５２１）と接続する
ネジ部（５３２）と支脚にもなる装着柱（５３０）を設け
ネジ部（５３５）と凹凸部（５３６）と磁石部（５３７）を備えた
石突き装着部（５２９）を設け、さらに傘（５２０）の石突き（５２３）
の一部に凹凸部（５２５）と磁石部（５２６）とネジ部（５２４）を
設け、さらに傘（５２０）の
手元（５２１）の一部にネジ部（５３１）を設け、柱装着部（５３４）を設ける
本発明の自立も可能な吸着式の傘を使用する場合は
傘（５２０）の手元（５２２）の磁石部（５２７）を
磁石により吸着が可能な素材でできた壁や物の壁面に吸着させることで
磁石部（５２７）のみの吸着力で傘（５２０）を地面から浮かせた
状態で壁などに吸着保持できる。また
傘（５２０）の手元（５２１）から、手元（５２２）を回して、ネジ部（５３１）から
ネジ部（５３２）を外し、手元（５２１）から手元（５２２）の支脚部にもなる装着柱
（５３０）を抜き外して、石突き（５２３）に手元（５２２）
の石突き装着部（５２９）を装着し、支脚（５２７）と
支脚部にもなる装着柱（５３０）により支えることで傘（５２０）を自立させることができる。
【図面の簡単な説明】
【０１７８】
【図１】実施形態１の吸着板を備えた吸着式の傘の図（A−１）吸着式の傘の斜視図（A−２）吸着式の傘の拡大背面図
【図２】実施形態１の吸着板を備えた吸着式の傘の図（A−３）吸着式の傘が閉じられた状態で壁に吸着している側面図（A−４）吸着式の傘の平面図
【図３】実施形態２の吸着板を備えた吸着式の傘の図（B−１）吸着式の傘の斜視図（B−２）吸着式の傘の拡大背面図
【図４】実施形態２の吸着板を備えた吸着式の傘の図（B−３）吸着式の傘が閉じられた状態で壁に吸着している側面図（B−４）吸着式傘の正面図
【図５】実施形態２の吸着板を備えた吸着式の傘の図（B−５）吸着式の傘の拡大斜視図（B−６）吸着式の傘の手元部分解斜視図
【図６】実施形態３の吸着部を備えた吸着式の傘の図（C−１）吸着式の傘の側面図（C−２）吸着式の傘の手元部拡大斜視図
【図７】実施形態３の吸着部を備えた吸着式の傘の図（C−３）吸着式の傘の手元部平面図（C−４）吸着式の傘の手元の断面図
【図８】実施形態３の吸着式の傘の図（C−５）吸着式の傘が閉じられた状態で壁に吸着している側面図（C−６）吸着式の傘が閉じられた状態で壁に吸着している側面図
【図９】実施形態4の吸着式の傘の図（D−１）吸着式の傘が閉じられた状態で壁に吸着している側面図（D−２）吸着式の傘が閉じられた状態で壁に吸着している側面図
【図１０】実施形態4の吸着式の傘の図（D−３）吸着式の傘の手元部の平面図（D−４）吸着式の傘の手元の断面図
【図１１】実施形態5の吸着式の傘の図（E−1）吸着式の傘が閉じられた状態で壁に吸着している側面図（E−2）吸着式の傘が閉じられた状態で壁に吸着している側面図
【図１２】実施形態5の吸着式の傘の図（E−3）吸着式の傘の手元部の平面図（E−4）吸着式の傘の手元の断面図
【図１３】実施形態６の吸着部を備えた吸着式の傘の図（F−１）吸着式の傘の手元部拡大分解斜視図（F−２）吸着式の傘の手元吸着部スライド時の拡大斜視図
【図１４】実施形態６の吸着部を備えた吸着式の傘の図（F−３）吸着式の傘の手元部拡大斜視図（F−４）吸着式の傘の手元部の断面図（F−５）吸着式の傘の手元部拡大側面図
【図１５】実施形態７の吸着部を備えた吸着式の傘の図（G−１）吸着式の傘の拡大斜視図（G−２）吸着式の傘の手元部分解斜視図
【図１６】実施形態７の吸着部を備えた吸着式の傘の図（G−３）吸着式の傘の吸着時の手元部側面図（G−４）吸着式の傘の手元部平面図（G−５）吸着式の傘の手元吸着部を開いた時の拡大斜視図
【図１７】実施形態８の吸着部を備えた吸着式の傘の図（H−１）吸着式の傘が閉じられた状態で壁に吸着している側面図
【図１８】実施形態８の吸着部を備えた吸着式の傘の図（H−２）吸着式の傘の手元部背面図（H−３）吸着式の傘の手元部側面図（H−４）吸着式の傘の手元部斜視図
【図１９】実施形態８の吸着部を備えた吸着式の傘の図（H−５）吸着式の傘の拡大斜視図（H−６）吸着式の傘の吸着時の拡大側面図（H−７）吸着式の傘の手元部の断面図
【図２０】実施形態８の吸着部を備えた吸着式の傘の図（H−８）吸着式の傘の手元部の斜視図（H−９）吸着式の傘の手元部分解斜視図
【図２１】実施形態９の傘吸着具の図（I−１）傘吸着具の斜視図（I−２）傘吸着具の平面図
【図２２】実施形態９の傘吸着具の分解斜視図
【図２３】実施形態９の傘吸着具を傘に装着し、傘が閉じられた状態で壁に吸着している側面図
【図２４】実施形態１０の傘吸着具の図（J−１）傘吸着具の分解斜視図（J−２）傘吸着具の斜視図
【図２５】実施形態１０の傘吸着具の図（J−３）傘吸着具を壁に吸着させている平面図（J−４）傘吸着具を傘に装着した斜視図
【図２６】実施形態１１の吸着部を備えた吸着式の傘の図（K−１）吸着式の傘が閉じられた状態で壁に吸着している拡大側面図（K−２）吸着式の傘の拡大斜視図
【図２７】実施形態１２の吸着部を備えた吸着式の傘の図（L−１）吸着式の傘が壁に吸着している側面図（L−２）吸着式の傘の斜視図
【図２８】実施形態１２の吸着部を備えた吸着式の傘の斜視図
【図２９】実施形態１３の吸着式の傘の図（M−１）吸着式の傘の平面図（M−２）吸着式の傘の吸着側から見た斜視図
【図３０】実施形態１３の吸着式の傘の図（M−３）吸着式の傘を吸着面の反対側から見た斜視図（M−４）吸着式の傘が閉じられた状態で壁に吸着している側面図
【図３１】実施形態１４の吸着式の傘の袋の分解斜視図
【図３２】実施形態１４の吸着式の傘の袋の図（N−１）吸着式の傘の袋の斜視図（N−２）吸着式の傘の袋の斜視図
【図３３】実施形態１４の吸着式の傘の袋の図（N−３）吸着式の傘の袋の平面図（N−４）吸着式の傘の袋を吸着面側から見た斜視図（N−５）吸着式の傘の袋が壁に吸着している側面図
【図３４】実施形態１４の吸着式の傘の袋の図（N−６）吸着式の傘の袋を吸着面の反対側から見た斜視図（N−７）吸着式の傘の袋に傘を挿入した斜視図
【図３５】実施形態１５の吸着式の傘の図（O−１）吸着式の傘の平面図（O−２）吸着式の傘の斜視図
【図３６】実施形態１５の吸着式の傘の図（O−３）吸着部側から見た吸着式の傘の斜視図（O−４）吸着式の傘が閉じられた状態で壁に吸着している側面図
【図３７】実施形態１６の吸着式の傘の図（P−１）吸着部側から見た吸着式の傘の斜視図（P−２）吸着式の傘が閉じられた状態で壁に吸着している側面図
【図３８】実施形態１６の吸着式の傘の図（P−３）吸着式の傘の斜視図（P−４）吸着式の傘の平面図
【図３９】吸着式の傘の分解斜視図
【図４０】実施形態１７の吸着式の傘の分解斜視図
【図４１】実施形態１７の吸着式の傘が吸盤部により壁に吸着している側面図
【図４２】実施形態１７の吸着式の傘が磁石部により壁に吸着している側面図
【図４３】実施形態１７の吸着式の傘が、吸着部を備えたフタを手元に装着している側面図
【図４４】実施形態１７の吸着式の傘の手元から吸着部を備えたフタを外している斜視図
【図４５】実施形態１８の吸着式の傘の図（Q−１）吸着式の傘の平面図（Q−２）吸着式の傘の斜視図
【図４６】実施形態１８の吸着式の傘が閉じられた状態で壁に吸着している側面図
【図４７】実施形態１９の自立も可能な吸着式の傘が閉じられた状態で壁に吸着している側面図
【図４８】実施形態１９の自立も可能な吸着式の傘を自立させている状態の斜視図
【図４９】実施形態１９の自立も可能な吸着式の傘の図（R−１）自立も可能な吸着式の傘を、吸着面とは反対側から見た側面図（R−２）傘立てにもなる手元を、手元につけた状態の、自立も可能な吸着式の傘の斜視図
【図５０】実施形態１９の自立もできる吸着式の傘の図（R−３）自立も可能な吸着式の傘を、傘立てにもなる手元を、手元から外して、傘の石突きに挿着して自立させている状態の側面図（R−４）傘立てにもなる手元の平面図
【図５１】実施形態２０の自立も可能な吸着式の傘の斜視図
【図５２】傘立てにもなる手元を、手元から外して、傘の石突きに挿着して自立させている状態の実施形態２０の自立も可能な吸着式の傘の斜視図
【図５３】実施形態２０の自立も可能な吸着式の傘が閉じられた状態で壁に吸着している側面図
【図５４】実施形態２０の自立も可能な吸着式の傘（S−１）傘立てにもなる手元の平面図（S−２）傘立てにもなる手元の側面図
【図５５】実施形態２０の自立も可能な吸着式の傘（S−３）傘立てにもなる手元の斜視図（S−４）傘立てにもなる手元の支脚部を回動し、傘立てとして使用できる状態にある手元の斜視図
【図５６】実施形態２１の傘吸着具の図（T−１）傘吸着具の分解斜視図（T−２）傘吸着具により傘が壁に吸着している側面図
【図５７】実施形態２１の傘吸着具の図（T−３）傘吸着具の斜視図（T−４）傘吸着具の平面図
【図５８】実施形態２２の自立式の傘にも吸着式の傘にもなる傘の図（U−１）自立式の傘にも吸着式の傘にもなる傘の斜視図（U−２）自立式の傘にも吸着式の傘にもなる傘の石突きの断面図
【図５９】実施形態２３の傘立てにもなる傘吸着具の図（V−１）傘立てにもなる傘吸着具の斜視図（V−２）傘立てにもなる傘吸着具の側面図（V−３）傘立てにもなる傘吸着具の平面図
【図６０】実施形態２２の自立式の傘にも吸着式の傘にもなる傘に、実施形態２３の傘立てにもなる傘吸着具を、前記傘の手元に装着し、壁に傘を吸着している斜視図
【図６１】実施形態２２の自立式の傘にも吸着式の傘にもなる傘に、実施形態２３の傘立てにもなる傘吸着具を、前記傘の石突きに装着し自立させている斜視図
【図６２】実施形態２４の傘立てにもなる傘吸着具の分解斜視図
【図６３】実施形態２４の傘立てにもなる傘吸着具の図（W−１）傘立てにもなる傘吸着具の斜視図（W−２）傘立てにもなる傘吸着具の側面図
【図６４】実施形態２５の自立も可能な吸着式の傘の斜視図
【図６５】実施形態２５の自立も可能な吸着式の傘の図（X−１）傘立てとしても、傘吸着具としても使用できる付け外し自在な手元の斜視図（X−２）傘の本体から、外さない側の手元の斜視図
【図６６】実施形態２５の自立も可能な吸着式の傘の側面図
【符号の説明】
【０１７９】
１      傘
２      磁石部
３      手元
４      壁
５      吸着板
６      傘
７      磁石部
８      手元
９      吸着板
１０    ピン
１１    壁
１２    ピン穴
１３    ピン穴
１４    回動部
１５    傘
１６    紐穴
１７    紐
１８    紐穴
１９    手元
２０    磁石部
２１    凹凸部
２２    フタ
２３    凹凸部
２４    フタの爪
２５    シャフト
２６    傘
２７    手元
２８    雌ネジ
２９    雄ネジ
３０    磁石部
３１    フタ
３２    紐穴
３３    紐穴
３４    紐
３５    ツメ
３６    傘
３７    手元
３８    溝
３９    フック
４０    紐穴
４１    紐穴
４２    紐
４３    磁石部
４４    フタ
４５    ツメ
５０    シャフト
５１    吸着側の手元
５２    磁石部
５３    手元
５４    傘
５５    スライド部
５６    ストッパー
５７    移動スペース
５８    収納部
５９    溝
６０    フック
６１    壁
６２    壁
６３    壁
６４    壁
６５    壁
７０    ピン止め具
７１    傘
７２    手元
７３    シャフト
７４    回動軸
７５    凹凸部
７６    磁石部
７７    回動自在な手元
７８    凹凸部
７９    ピン穴
８０    ピン穴
８１    ピン
８２    壁
９１    傘
９２    手元
９３    シャフト
９４    ピン穴
９５    磁石部
９６    つまみ
９７    回動自在な手元
９８    ピン
９９    収納部
１００  壁
１０１  ストッパー
１０２  ピン穴
１０３  ピン止め具
１０４  回動軸
１１０  曲がった部分
１１１  傘
１１２  手元
１１３  磁石部
１１４  シャフト
１１５  壁
１１６  布部
１１７  側面
１２１  傘
１２２  傘ケース
１２３  吸着面
１２４  磁石部
１２５  収納口
１２６  手元
１２７  収納フタ
１２８  フタ側凹凸部
１２９  ケース側凹凸部
１３０  壁
１４１  傘吸着具
１４２  把持部
１４３  磁石部
１４４  吸着部
１４５  つまみ
１５１  滑り止め素材
１５２  挟持部
１５３  ピン
１５４  回動部のピン穴
１５５  回動部のピン穴
１５６  ピン
１５７  ピン穴
１５８  ピン穴
１５９  バネ
１６０  シャフト
１６１  手元
１６２  傘
１６３  壁
１６４  回動部
１６４  挟み受け部
１６７  ピン穴
１６８  ピン穴
１６９  ピン穴
１７１  広がり防止部
１７２  広がり防止受け部
１７３  滑り止め素材
１７４  バネ
１７５  回動部
１７７  ピン
１７８  磁石部
１７９  挟持部
１８０  ピン
１８１  把持部
１８２  吸着部
１８３  ピン穴
１８５  壁
１８６  滑り止め素材
１８７  傘吸着具
１８８  傘
１８９  手元
１９０  シャフト
１９７  シャフト
１９８  布部
１９９  側面
２００  傘
２０１  磁石部
２０２  手元
２０３  壁
２０４  曲がった部分
２０９  吸着面
２１０  傘
２１１  磁石部
２１２  紐止め具
２１３  紐
２１４  吸着式の傘袋
２１７  手元
２１８  磁石部挿入口
２１９  傘挿入口
２２１  壁
２２２  傘
２２３  布
２２４  手元
２２５  磁石部
２２６  シャフト
２３１  吸着板
２４１  傘
２４２  磁石部
２４３  手元
２４４  吸着板
２４５  ピン
２４６  壁
２４７  ピン穴
２４８  ピン穴
２４９  回動部
２５０  布
２５１  シャフト
２５２  ピン止め具
２５８  吸着方法切り替え部
２５９  壁
２６０  吸盤部
２６１  吸盤接続部
２６２  フタ
２６３  凹凸部
２６４  凹凸部
２６５  手元
２６６  傘
２６７  布
２６８  磁石部
２６９  シャフト
２７０  球体
２７１  球体収納部
２７２  紐収納部
２７３  フタ収納部
２７４  吸盤のつめ
２７５  紐
２８０  傘
２８１  磁石部
２８２  手元
２８３  フック部
２８４  壁
２８５  布
２８６  シャフト
２８７  側面
２９０  壁
２９１  傘
２９２  手元
２９３  側面
２９４  磁石部
２９５  フック部
２９６  石突き
２９７  挿着保持部
２９８  凹凸部
２９９  凹凸部
３００  壁
３０１  傘
３０２  手元
３０３  側面
３０４  磁石部
３０５  フック部
３０６  石突き
３０７  挿着保持部
３０８  回動自在な支脚部
３０９  凹凸部
３１０  凹凸部
４００  ネジ
４０１  ネジ
４０２  磁石
４０３  磁石
４０４  接続部
４０５  接続部
４０６  吸着部
４０７  吸着部
４２０  ネジ
４２１  ネジ
４２２  磁石
４２３  磁石
４２４  接続部
４２５  接続部
４２６  吸着部
４２７  吸着部
４５０  固着部
４５１  滑り止め
４５２  傘
４５３  手元
４５４  シャフト
４５５  吸着部
４５６  磁石部
４５７  回動部
４５８  ピン
４５９  ピン穴
４６０  ピン止め具
４６２  ナット
４６３  つまみ
４６４  壁
４６５  ボルト
４６６  ボルト穴
４６７  傘吸着具
４８０  傘
４８１  手元
４８２  傘吸着具の装着穴
４８３  凹凸部
４８４  ネジ部
４８５  凹凸部
４８６  磁石部
４８７  ネジ部
４８８  石突き
４８９  凹凸部
４９０  磁石部
４９１  ネジ部
４９２  シャフト
４９３  傘立て具装着穴
４９４  傘立てにもなる傘吸着具
４９５  支脚
４９６  挿着保持部
４９７  磁石部
４９８  磁石部
４９９  凹凸部
５００  ネジ部
５０２  壁
５０５  回動自在な支脚部を備えた、傘立てにもなる傘吸着具
５０６  回動自在な支脚
５０７  磁石部
５０８  固定穴
５０９  ピン
５１０  ピン穴
５１１  固定部
５１２  手元装着部
５１３  凹凸部
５１４  ネジ部
５１５  石突き装着部
５１６  ネジ部
５１７  凹凸部
５１８  磁石部
５２０  傘
５２１  手元
５２２  付け外し自在な手元
５２３  石突き
５２４  ネジ部
５２５  凹凸部
５２６  磁石部
５２７  磁石部
５２８  支脚
５２９  石突き装着部
５３０  支脚部にもなる装着柱
５３１  ネジ部
５３２  ネジ部
５３３  シャフト
５３４  柱装着部
５３５  ネジ部
５３６  凹凸部
５３７  磁石部
【図１】
2018042763.tif 000003
【図２】
2018042763.tif 000004
【図３】
2018042763.tif 000005
【図４】
2018042763.tif 000006
【図５】
2018042763.tif 000007
【図６】
2018042763.tif 000008
【図７】
2018042763.tif 000009
【図８】
2018042763.tif 000010
【図９】
2018042763.tif 000011
【図１０】
2018042763.tif 000012
【図１１】
2018042763.tif 000013
【図１２】
2018042763.tif 000014
【図１３】
2018042763.tif 000015
【図１４】
2018042763.tif 000016
【図１５】
2018042763.tif 000017
【図１６】
2018042763.tif 000018
【図１７】
2018042763.tif 000019
【図１８】
2018042763.tif 000020
【図１９】
2018042763.tif 000021
【図２０】
2018042763.tif 000022
【図２１】
2018042763.tif 000023
【図２２】
2018042763.tif 000024
【図２３】
2018042763.tif 000025
【図２４】
2018042763.tif 000026
【図２５】
2018042763.tif 000027
【図２６】
2018042763.tif 000028
【図２７】
2018042763.tif 000029
【図２８】
2018042763.tif 000030
【図２９】
2018042763.tif 000031
【図３０】
2018042763.tif 000032
【図３１】
2018042763.tif 000033
【図３２】
2018042763.tif 000034
【図３３】
2018042763.tif 000035
【図３４】
2018042763.tif 000036
【図３５】
2018042763.tif 000037
【図３６】
2018042763.tif 000038
【図３７】
2018042763.tif 000039
【図３８】
2018042763.tif 000040
【図３９】
2018042763.tif 000041
【図４０】
2018042763.tif 000042
【図４１】
2018042763.tif 000043
【図４２】
2018042763.tif 000044
【図４３】
2018042763.tif 000045
【図４４】
2018042763.tif 000046
【図４５】
2018042763.tif 000047
【図４６】
2018042763.tif 000048
【図４７】
2018042763.tif 000049
【図４８】
2018042763.tif 000050
【図４９】
2018042763.tif 000051
【図５０】
2018042763.tif 000052
【図５１】
2018042763.tif 000053
【図５２】
2018042763.tif 000054
【図５３】
2018042763.tif 000055
【図５４】
2018042763.tif 000056
【図５５】
2018042763.tif 000057
【図５６】
2018042763.tif 000058
【図５７】
2018042763.tif 000059
【図５８】
2018042763.tif 000060
【図５９】
2018042763.tif 000061
【図６０】
2018042763.tif 000062
【図６１】
2018042763.tif 000063
【図６２】
2018042763.tif 000064
【図６３】
2018042763.tif 000065
【図６４】
2018042763.tif 000066
【図６５】
2018042763.tif 000067
【図６６】
2018042763.tif 000068